(57)【要約】  本明細書に開示される技術は一般に、縦溝付きフィルタアセンブリに関し、フィルタ媒体に形成される縦溝は、フィルタアセンブリの第１の流れ面からフィルタアセンブリの第２の流れ面まで延在し、１つの流れ面は入口であり、１つの流れ面は出口である。いくつかの実施形態は、第１の流れ面と第２の流れ面との間の第１の縦溝距離が、第１の流れ面と第２の流れ面との間の第２の縦溝距離と２ｍｍを超えて異なることに関する。いくつかの実施形態では、第１の流れ面及び第２の流れ面のうちの少なくとも１つは非平面状であり、一方、他の実施形態では、第１の流れ面及び第２の流れ面の両方において、平面状で非平行である。他の実施形態が説明される。
2020534994.tif 000002
【特許請求の範囲】
【請求項１】
第１の複数の縦溝と、フィルタアセンブリの第１の端部上の第１の流れ面と、前記フィルタアセンブリの反対側の第２の端部上の第２の流れ面とを相互に画定する、フィルタ媒体の第１のシートと前記フィルタ媒体の第２のシートとを備え、
前記第１の複数の縦溝のそれぞれが、前記第１の流れ面から前記第２の流れ面までの距離を画定し、
前記第１の複数の縦溝のそれぞれが、前記第１の流れ面における縦溝開口部と、前記第２の流れ面の近くの縦溝閉鎖部とを画定し、
前記第１の複数の縦溝の第１の縦溝が第１の縦溝距離を画定し、
前記第１の複数の縦溝の第２の縦溝が第２の縦溝距離を画定し、
前記第１の縦溝距離及び前記第２の縦溝距離が、２ｍｍを超えて異なる、
フィルタアセンブリ。
【請求項２】
前記フィルタ媒体の第１のシート及び前記フィルタ媒体の第２のシートが不連続である、
請求項１及び３〜１７のいずれか一項に記載のフィルタアセンブリ。
【請求項３】
前記フィルタ媒体の第１のシート及び前記フィルタ媒体の第２のシートが連続し、折り目によって分離されている、
請求項１〜２及び４〜１７のいずれか一項に記載のフィルタアセンブリ。
【請求項４】
前記縦溝閉鎖部が前記第２の流れ面に隣接している、
請求項１〜３及び５〜１７のいずれか一項に記載のフィルタアセンブリ。
【請求項５】
フィルタ媒体の第３のシートをさらに備え、
前記フィルタ媒体の第３のシート及び前記フィルタ媒体の第２のシートが、第２の複数の縦溝と、前記第１の流れ面と、前記第２の流れ面とを相互に画定し、
前記第２の複数の縦溝のそれぞれが、前記第１の流れ面から前記第２の流れ面に延在し、
前記第２の複数の縦溝のそれぞれが、前記第２の流れ面における縦溝開口部と、前記第１の流れ面の近くの縦溝閉鎖部とを画定する、
請求項１〜４及び６〜１７のいずれか一項に記載のフィルタアセンブリ。
【請求項６】
前記第２の複数の縦溝が、前記第１の流れ面から前記第２の流れ面までの第３の縦溝距離を画定する第３の縦溝を備え、
前記第３の縦溝距離が、前記第１の縦溝距離及び前記第２の縦溝距離と２ｍｍを超えて異なる、
請求項１〜５及び７〜１７のいずれか一項に記載のフィルタアセンブリ。
【請求項７】
前記第１の複数の縦溝が、第３の縦溝距離を画定する第３の縦溝を備え、
前記第３の縦溝距離が、前記第１の縦溝距離及び前記第２の縦溝距離と２ｍｍを超えて異なる、
請求項１〜６及び８〜１７のいずれか一項に記載のフィルタアセンブリ。
【請求項８】
前記第１の縦溝距離が、前記第２の縦溝距離と少なくとも５ｍｍ異なる、
請求項１〜７及び９〜１７のいずれか一項に記載のフィルタアセンブリ。
【請求項９】
前記第１の縦溝距離が、前記第２の縦溝距離と３ｍｍ〜２０ｍｍ異なる、
請求項１〜８及び１０〜１７のいずれか一項に記載のフィルタアセンブリ。
【請求項１０】
前記第１の縦溝距離が、前記第２の縦溝距離と少なくとも８ｍｍ異なる、
請求項１〜９及び１１〜１７のいずれか一項に記載のフィルタアセンブリ。
【請求項１１】
前記第１の縦溝距離が、前記第２の縦溝距離と少なくとも１５ｍｍ異なる、
請求項１〜１０及び１２〜１７のいずれか一項に記載のフィルタアセンブリ。
【請求項１２】
前記第１の流れ面及び前記第２の流れ面が非平行である、
請求項１〜１１及び１３〜１７のいずれか一項に記載のフィルタアセンブリ。
【請求項１３】
前記第１の流れ面及び前記第２の流れ面のうちの少なくとも１つが非平面状である、
請求項１〜１２及び１４〜１７のいずれか一項に記載のフィルタアセンブリ。
【請求項１４】
前記第１の流れ面及び前記第２の流れ面のうちの少なくとも１つが凹状である、
請求項１〜１３及び１５〜１７のいずれか一項に記載のフィルタアセンブリ。
【請求項１５】
前記第１の流れ面及び前記第２の流れ面のうちの少なくとも１つが平面状である、
請求項１〜１４及び１６〜１７のいずれか一項に記載のフィルタアセンブリ。
【請求項１６】
前記第１の流れ面及び前記第２の流れ面がどちらも非平面状である、
請求項１〜１５及び１７のいずれか一項に記載のフィルタアセンブリ。
【請求項１７】
前記第１のシートがフィルタ媒体の縦溝付きシートであり、
前記第２のシートがフィルタ媒体の対面シートである、
請求項１〜１６及び１８のいずれか一項に記載のフィルタアセンブリ。
【請求項１８】
前記第１のシート及び前記第２のシートがどちらも、フィルタ媒体の縦溝付きシートである、
請求項１〜１７のいずれか一項に記載のフィルタアセンブリ。
【請求項１９】
ｚ軸のまわりに渦巻状構成を画定するフィルタ媒体を備え、
前記フィルタ媒体が、第１の流れ面と、第２の流れ面と、前記第１の流れ面から前記第２の流れ面に延在する複数の縦溝とを画定し、
前記複数の縦溝のそれぞれが、縦溝開口部と縦溝閉鎖部とを画定し、
前記複数の縦溝が、前記第１の流れ面と前記第２の流れ面との間の第１の縦溝距離を画定する第１の縦溝と、前記第１の流れ面と前記第２の流れ面との間の第２の縦溝距離を画定する第２の縦溝とを備え、
前記第１の縦溝距離が、前記第２の縦溝距離と２ｍｍを超えて異なる、
フィルタアセンブリ。
【請求項２０】
前記第２の流れ面が、前記第１の流れ面に対して非平行である、
請求項１９及び２１〜３２のいずれか一項に記載のフィルタアセンブリ。
【請求項２１】
前記第１の流れ面が非平面状であり、
前記第２の流れ面が平面状である、
請求項１９〜２０及び２２〜３２のいずれか一項に記載のフィルタアセンブリ。
【請求項２２】
非平面状の前記第１の流れ面、
前記第２の流れ面が非平面状である、
請求項１９〜２１及び２３〜３２のいずれか一項に記載のフィルタアセンブリ。
【請求項２３】
前記第１の流れ面及び前記第２の流れ面のうちの１つが凹状である、
請求項１９〜２２及び２４〜３２のいずれか一項に記載のフィルタアセンブリ。
【請求項２４】
フィルタ媒体の第１のシートと、前記フィルタ媒体の第１のシートに隣接するフィルタ媒体の第２のシートとを備え、
前記第１のシート及び前記第２のシートが前記ｚ軸のまわりに渦巻状構成を画定し、
前記第１のシート及び前記第２のシートが前記複数の縦溝を相互に画定する、
請求項１９〜２３及び２５〜３２のいずれか一項に記載のフィルタアセンブリ。
【請求項２５】
前記第１のシート及び前記第２のシートが不連続である、
請求項１９〜２４及び２６〜３２のいずれか一項に記載のフィルタアセンブリ。
【請求項２６】
前記第１のシート及び前記第２のシートが連続し、前記第２の流れ面を画定する折り目によって分離されている、
請求項１９〜２５及び２７〜３２のいずれか一項に記載のフィルタアセンブリ。
【請求項２７】
前記フィルタ媒体の第１のシートが、前記第１の流れ面及び前記第２の流れ面によって画定された第１の幅を有し、
前記フィルタ媒体の第２のシートが、前記第１の流れ面及び前記第２の流れ面によって画定された第２の幅を有し、
前記第１の幅が、前記第２の幅と２ｍｍを超えて異なる、
請求項１９〜２６及び２８〜３２のいずれか一項に記載のフィルタアセンブリ。
【請求項２８】
前記フィルタ媒体の第１のシートが縦溝付きシートであり、
前記フィルタ媒体の第２のシートが対面シートである、
請求項１９〜２７及び２９〜３２のいずれか一項に記載のフィルタアセンブリ。
【請求項２９】
前記第１の縦溝距離が、前記第２の縦溝距離と少なくとも５ｍｍ異なる、
請求項１９〜２８及び３２のいずれか一項に記載のフィルタアセンブリ。
【請求項３０】
前記第１の縦溝距離が、前記第２の縦溝距離と３ｍｍ〜２０ｍｍ異なる、
請求項１９〜２９及び３１〜３２のいずれか一項に記載のフィルタアセンブリ。
【請求項３１】
前記第１の縦溝距離が、前記第２の縦溝距離と少なくとも８ｍｍ異なる、
請求項１９〜３０及び３２のいずれか一項に記載のフィルタアセンブリ。
【請求項３２】
前記第１の縦溝距離が、前記第２の縦溝距離と少なくとも１５ｍｍ異なる、
請求項１９〜３１のいずれか一項に記載のフィルタアセンブリ。
【請求項３３】
第１の流れ面と、第２の流れ面と、前記第１の流れ面から前記第２の流れ面に延在する複数の縦溝とを相互に画定する積層構成であるフィルタ媒体の複数のシートを備え、
前記フィルタ媒体の複数のシートが、第１の縦溝層及び第２の縦溝層の規則的に交互になるパターンを画定し、
前記第１の層のそれぞれが、前記第１の流れ面と前記第２の流れ面との間の第１の層距離を画定し、
前記第２の層のそれぞれが、前記第１の流れ面と前記第２の流れ面との間の第２の層距離を画定し、
前記第１の層距離及び前記第２の層距離が、２ｍｍを超えて異なる、
パネルフィルタアセンブリ。
【請求項３４】
前記複数の縦溝のそれぞれが、縦溝開口部と縦溝閉鎖部とを画定する、
請求項３３及び３５〜４８のいずれか一項に記載のパネルフィルタアセンブリ。
【請求項３５】
前記第１の層及び第２の層のそれぞれが、縦溝付きシート及び隣接する対面シートによって画定される、
請求項３３〜３４及び３６〜４８のいずれか一項に記載のパネルフィルタアセンブリ。
【請求項３６】
各縦溝層の各縦溝付きシート及び対面シートが、前記第１の流れ面と前記第２の流れ面との間の略等しい距離を画定する、
請求項３３〜３５及び３７〜４８のいずれか一項に記載のパネルフィルタアセンブリ。
【請求項３７】
少なくとも１つの縦溝層の各縦溝付きシート及び対面シートが、２ｍｍを超えて異なる前記第１の流れ面と前記第２の流れ面との間の距離を画定する、
請求項３３〜３６及び３８〜４８のいずれか一項に記載のパネルフィルタアセンブリ。
【請求項３８】
前記第１の層及び前記第２の層のそれぞれが、フィルタ媒体の２つの隣接する縦溝付きシートによって画定される、
請求項３３〜３７及び３９〜４８のいずれか一項に記載のパネルフィルタアセンブリ。
【請求項３９】
前記フィルタ媒体の複数のシートが不連続である、
請求項３３〜３８及び４０〜４８のいずれか一項に記載のパネルフィルタアセンブリ。
【請求項４０】
前記フィルタ媒体の複数のシートが連続し、前記第１の流れ面を形成する折り目の第１の組及び前記第２の流れ面を形成する折り目の第２の組によって分離されている、
請求項３３〜３９及び４１〜４８のいずれか一項に記載のパネルフィルタアセンブリ。
【請求項４１】
前記フィルタ媒体の複数のシートが、第３の縦溝層の規則的に交互になるパターンをさらに画定し、
各第３の縦溝層が、前記第１の流れ面と前記第２の流れ面との間の第３の層距離を有し、
前記第３の層距離が、前記第１の層距離及び前記第２の層距離と２ｍｍを超えて異なる、
請求項３３〜４０及び４２〜４８のいずれか一項に記載のパネルフィルタアセンブリ。
【請求項４２】
前記フィルタ媒体の複数のシートが、第４の縦溝層の規則的に交互になるパターンをさらに画定し、
各第４の縦溝層が、前記第１の流れ面と前記第２の流れ面との間の第４の層距離を有し、
前記第４の層距離が、前記第１の層距離、前記第２の層距離、及び前記第３の層距離と２ｍｍを超えて異なる、
請求項３３〜４１及び４３〜４８のいずれか一項に記載のパネルフィルタアセンブリ。
【請求項４３】
前記第２の流れ面が平面状である、
請求項３３〜４２及び４４〜４８のいずれか一項に記載のパネルフィルタアセンブリ。
【請求項４４】
前記第１の流れ面及び前記第２の流れ面は非平面状である、
請求項３３〜４３及び４５〜４８のいずれか一項に記載のパネルフィルタアセンブリ。
【請求項４５】
前記第１の層距離が、前記第２の層距離と少なくとも５ｍｍ異なる、
請求項３３〜４４及び４６〜４８のいずれか一項に記載のパネルフィルタアセンブリ。
【請求項４６】
前記第１の層距離が、前記第２の層距離と３ｍｍ〜２０ｍｍ異なる、
請求項３３〜４５及び４７〜４８のいずれか一項に記載のパネルフィルタアセンブリ。
【請求項４７】
前記第１の層距離が、前記第２の層距離と少なくとも８ｍｍ異なる、
請求項３３〜４６及び４８のいずれか一項に記載のパネルフィルタアセンブリ。
【請求項４８】
前記第１の層距離が、前記第２の層距離と少なくとも１４ｍｍ異なる、
請求項３３〜４７のいずれか一項に記載のパネルフィルタアセンブリ。
【請求項４９】
第１の複数の縦溝と、第１の流れ面と、第２の流れ面とを相互に画定する、フィルタ媒体の第１のシート及びフィルタ媒体の第２のシートを備え、
前記第１の複数の縦溝のそれぞれが、前記第１の流れ面から前記第２の流れ面に延在し、
前記第１の複数の縦溝のそれぞれが、前記第１の流れ面における縦溝開口部と、前記第２の流れ面の近くの縦溝閉鎖部とを画定し、
前記第１の流れ面及び前記第２の流れ面のうちの少なくとも１つが凹状である、
フィルタアセンブリ。
【請求項５０】
前記第１のシートがフィルタ媒体の縦溝付きシートであり、前記第２のシートがフィルタ媒体の対面シートである、
請求項４９及び５１〜６２のいずれか一項に記載のフィルタアセンブリ。
【請求項５１】
前記第１のシート及び前記第２のシートがどちらも、フィルタ媒体の縦溝付きシートである、
請求項４９〜５０及び５２〜６２のいずれか一項に記載のフィルタアセンブリ。
【請求項５２】
前記縦溝閉鎖部が前記第２の流れ面に隣接している、
請求項４９〜５１及び５３〜６２のいずれか一項に記載のフィルタアセンブリ。
【請求項５３】
フィルタ媒体の第３のシートをさらに備え、
前記フィルタ媒体の第３のシート及び前記フィルタ媒体の第２のシートが、第２の複数の縦溝と、前記第１の流れ面と、前記第２の流れ面とを相互に画定し、
前記第２の複数の縦溝のそれぞれが、前記第１の流れ面から前記第２の流れ面に延在し、
前記第２の複数の縦溝のそれぞれが、前記第２の流れ面における縦溝開口部と、前記第１の流れ面の近くの縦溝閉鎖部とを画定する、
請求項４９〜５２及び５４〜６２のいずれか一項に記載のフィルタアセンブリ。
【請求項５４】
前記第１の複数の縦溝が、前記第１の流れ面と前記第２の流れ面との間の第１の縦溝距離を画定する第１の縦溝と、前記第１の流れ面と前記第２の流れ面との間の第２の縦溝距離を画定する第２の縦溝とを有し、
前記第２の複数の縦溝が、前記第１の流れ面と前記第２の流れ面との間の第３の縦溝距離を画定する第３の縦溝を有し、
前記第１の縦溝距離、第２の縦溝距離、及び第３の縦溝距離のそれぞれが、２ｍｍを超えて異なる、
請求項４９〜５３及び５５〜６２のいずれか一項に記載のフィルタアセンブリ。
【請求項５５】
前記フィルタアセンブリがパネルフィルタである、
請求項４９〜５４及び５６〜６２のいずれか一項に記載のフィルタアセンブリ。
【請求項５６】
前記フィルタ媒体の第１のシート及び前記フィルタ媒体の第２のシートが、ｚ軸のまわりに渦巻状構成を画定する、
請求項４９〜５５及び５７〜６２のいずれか一項に記載のフィルタアセンブリ。
【請求項５７】
前記フィルタ媒体の第１のシート及び前記フィルタ媒体の第２のシートが連続し、前記第２の流れ面を画定する折り目によって分離されている、
請求項４９〜５６及び５８〜６２のいずれか一項に記載のフィルタアセンブリ。
【請求項５８】
前記第１の複数の縦溝の第１の縦溝が、前記第１の流れ面と前記第２の流れ面との間の第１の縦溝距離を画定し、
前記第１の複数の縦溝の第２の縦溝が、前記第１の流れ面と前記第２の流れ面との間の第２の縦溝距離を画定し、
前記第１の縦溝距離が、前記第２の縦溝距離と２ｍｍを超えて異なる、
請求項４９〜５７及び５９〜６２のいずれか一項に記載のフィルタアセンブリ。
【請求項５９】
前記第１の流れ面及び前記第２の流れ面がどちらも非平面状である、
請求項４９〜５８及び６０〜６２のいずれか一項に記載のフィルタアセンブリ。
【請求項６０】
前記第１のシート及び前記第２のシートが不連続である、
請求項４９〜５９及び６１〜６２のいずれか一項に記載のフィルタアセンブリ。
【請求項６１】
前記第１の流れ面が、前記フィルタアセンブリに対して前記第２の流れ面の反対側にある、
請求項４９〜６０及び６２のいずれか一項に記載のフィルタアセンブリ。
【請求項６２】
前記複数の縦溝が平行である、
請求項４９〜６１のいずれか一項に記載のフィルタアセンブリ。
【請求項６３】
それぞれがｘ軸に平行な方向に延在する幅とｚ軸に平行な方向に延在する長さとを有する、フィルタ媒体の複数の積層シートを備え、
前記フィルタ媒体の複数のシートが、ｙ軸に平行な方向に積み重ねられ、
前記フィルタ媒体の複数のシートが、複数の縦溝と、第１の流れ面と、第２の流れ面とを画定し、
前記複数の縦溝のそれぞれが、前記第１の流れ面における縦溝開口部と、前記第２の流れ面の近くの縦溝閉鎖部とを画定し、
前記複数の縦溝の第１の縦溝が、前記第１の流れ面と前記第２の流れ面との間の第１の縦溝距離を画定し、
前記複数の縦溝の第２の縦溝が、前記第１の流れ面と前記第２の流れ面との間の第２の縦溝距離を画定し、
前記複数の縦溝の第３の縦溝が、前記第１の流れ面と前記第２の流れ面との間の第３の縦溝距離を画定し、
前記第２の縦溝が、前記第１の縦溝にｘ軸方向に隣接し、
前記第３の縦溝が、前記第１の縦溝に対してｙ軸方向に位置付けられ、
前記第１の縦溝距離が、前記第２の縦溝距離と２ｍｍを超えて異なり、
前記第１の縦溝距離が、前記第３の縦溝距離と２ｍｍを超えて異なる、
パネルフィルタアセンブリ。
【請求項６４】
前記フィルタ媒体の複数の積層シートが不連続である、
請求項６３及び６５〜７６のいずれか一項に記載のパネルフィルタアセンブリ。
【請求項６５】
前記フィルタ媒体の複数の積層シートが連続し、折り目によって分離されている、
請求項６３〜６４及び６６〜７６のいずれか一項に記載のパネルフィルタアセンブリ。
【請求項６６】
第１の縦溝距離、前記第２の縦溝距離、及び前記第３の縦溝距離が、２ｍｍを超えて異なる、
請求項６３〜６５及び６７〜７６のいずれか一項に記載のパネルフィルタアセンブリ。
【請求項６７】
前記第１の流れ面及び前記第２の流れ面のうちの少なくとも１つが非平面状である、
請求項６３〜６６及び６８〜７６のいずれか一項に記載のパネルフィルタアセンブリ。
【請求項６８】
前記第１の流れ面及び前記第２の流れ面のうちの少なくとも１つが凹状である、
請求項６３〜６７及び６９〜７６のいずれか一項に記載のパネルフィルタアセンブリ。
【請求項６９】
前記第１の流れ面及び前記第２の流れ面がどちらも非平面状である、
請求項６３〜６８及び７０〜７６のいずれか一項に記載のパネルフィルタアセンブリ。
【請求項７０】
前記第１の流れ面及び前記第２の流れ面が非平行である、
請求項６３〜６９及び７１〜７６のいずれか一項に記載のパネルフィルタアセンブリ。
【請求項７１】
前記第１の縦溝距離が、前記第２の縦溝距離及び前記第３の縦溝距離と少なくとも５ｍｍ異なる、
請求項６３〜７０及び７２〜７６のいずれか一項に記載のパネルフィルタアセンブリ。
【請求項７２】
前記第１の縦溝距離が、前記第２の縦溝距離及び前記第３の縦溝距離と３ｍｍ〜２０ｍｍ異なる、
請求項６３〜７１及び７３〜７６のいずれか一項に記載のパネルフィルタアセンブリ。
【請求項７３】
前記第１の縦溝距離が、前記第２の縦溝距離及び前記第３の縦溝距離と少なくとも８ｍｍ異なる、
請求項６３〜７２及び７４〜７６のいずれか一項に記載のパネルフィルタアセンブリ。
【請求項７４】
前記第１の縦溝距離が、前記第２の縦溝距離及び前記第３の縦溝距離と少なくとも１５ｍｍ異なる、
請求項６３〜７３及び７５〜７６のいずれか一項に記載のパネルフィルタアセンブリ。
【請求項７５】
前記フィルタ媒体の複数の積層シートが、交互になるフィルタ媒体の縦溝付きシート及びフィルタ媒体の対面シートを備える、
請求項６３〜７４及び７６のいずれか一項に記載のパネルフィルタアセンブリ。
【請求項７６】
前記フィルタ媒体の複数の積層シートのそれぞれが、フィルタ媒体の縦溝付きシートである、
請求項６３〜７５のいずれか一項に記載のパネルフィルタアセンブリ。
【請求項７７】
複数の縦溝と、第１の流れ面を画定する第１の縁部と、前記フィルタアセンブリに対して前記第１の流れ面の反対側の第２の流れ面とを画定するフィルタ媒体を備え、
前記複数の縦溝のそれぞれが、前記第１の流れ面における縦溝開口部と、前記第２の流れ面の近くの縦溝閉鎖部とを画定し、
前記複数の縦溝が、非平面状である縦溝開口部を画定する少なくとも１つの縦溝を備える、
フィルタアセンブリ。
【請求項７８】
前記フィルタ媒体が、積層構成であるフィルタ媒体の複数のシートを備える、
請求項７７及び７９〜９０のいずれか一項に記載のフィルタアセンブリ。
【請求項７９】
前記フィルタ媒体の複数のシートが、交互になるフィルタ媒体の縦溝付きシート及びフィルタ媒体の対面シートを備える、
請求項７７〜７８及び８０〜９０のいずれか一項に記載のフィルタアセンブリ。
【請求項８０】
前記フィルタ媒体の複数のシートが、フィルタ媒体の縦溝付きシートである、
請求項７７〜７９及び８１〜９０のいずれか一項に記載のフィルタアセンブリ。
【請求項８１】
前記フィルタ媒体が、ｚ軸のまわりの渦巻状構成である、フィルタ媒体の第１のシート及びフィルタ媒体の第２のシートを備える、
請求項７７〜８０及び８２〜９０のいずれか一項に記載のフィルタアセンブリ。
【請求項８２】
前記フィルタ媒体の第１のシートが縦溝付きシートであり、
前記フィルタ媒体の第２のシートが対面シートである、
請求項７７〜８１及び８３〜９０のいずれか一項に記載のフィルタアセンブリ。
【請求項８３】
前記フィルタアセンブリがパネルフィルタである、
請求項７７〜８２及び８４〜９０のいずれか一項に記載のフィルタアセンブリ。
【請求項８４】
前記複数の縦溝の前記第１の縦溝が、前記第１の流れ面と前記第２の流れ面との間の第１の縦溝距離を画定し、
前記複数の縦溝の前記第２の縦溝が、前記第１の流れ面と前記第２の流れ面との間の第２の縦溝距離を画定し、
前記第１の縦溝距離が、前記第２の縦溝距離と２ｍｍを超えて異なる、
請求項７７〜８３及び８５〜９０のいずれか一項に記載のフィルタアセンブリ。
【請求項８５】
前記第１の縦溝距離が、前記第２の縦溝距離と少なくとも５ｍｍ異なる、
請求項７７〜８４及び８６〜９０のいずれか一項に記載のフィルタアセンブリ。
【請求項８６】
前記第１の縦溝距離が、前記第２の縦溝距離と３ｍｍ〜２０ｍｍ異なる、
請求項７７〜８５及び８７〜９０のいずれか一項に記載のフィルタアセンブリ。
【請求項８７】
前記第１の縦溝距離が、前記第２の縦溝距離と少なくとも８ｍｍ異なる、
請求項７７〜８６及び８８〜９０のいずれか一項に記載のフィルタアセンブリ。
【請求項８８】
前記第１の縦溝距離が、前記第２の縦溝距離と少なくとも１５ｍｍ異なる、
請求項７７〜８７及び８９〜９０のいずれか一項に記載のフィルタアセンブリ。
【請求項８９】
前記第１の流れ面及び前記第２の流れ面がどちらも非平面状である、
請求項７７〜８８及び９０のいずれか一項に記載のフィルタアセンブリ。
【請求項９０】
前記縦溝閉鎖部が前記第２の流れ面に隣接している、
請求項７７〜８９のいずれか一項に記載のフィルタアセンブリ。
【請求項９１】
第１の複数の縦溝と、第１の流れ面と、第２の流れ面とを相互に画定する、フィルタ媒体の第１のシート及びフィルタ媒体の第２のシートを備え、
前記第１の複数の縦溝のそれぞれが、前記第１の流れ面から前記第２の流れ面に延在し、
前記第１の複数の縦溝のそれぞれが、前記第１の流れ面における縦溝開口部と、前記第２の流れ面の近くの縦溝閉鎖部とを画定し、
前記第１の流れ面及び前記第２の流れ面が平面状であり、
前記第１の流れ面が前記第２の流れ面に対して非平行である、
フィルタアセンブリ。
【請求項９２】
前記第１のシートがフィルタ媒体の縦溝付きシートであり、
前記第２のシートがフィルタ媒体の対面シートである、
請求項９１及び９３〜１０３のいずれか一項に記載のフィルタアセンブリ。
【請求項９３】
前記第１のシート及び前記第２のシートがどちらも、フィルタ媒体の縦溝付きシートである、
請求項９１〜９２及び９４〜１０３のいずれか一項に記載のフィルタアセンブリ。
【請求項９４】
前記縦溝閉鎖部が前記第２の流れ面に隣接している、
請求項９１〜９３及び９５〜１０３のいずれか一項に記載のフィルタアセンブリ。
【請求項９５】
フィルタ媒体の第３のシートをさらに備え、
前記フィルタ媒体の第３のシート及び前記フィルタ媒体の第２のシートが、前記第２の複数の縦溝と、前記第１の流れ面と、前記第２の流れ面とを相互に画定し、
前記第２の複数の縦溝のそれぞれが、前記第１の流れ面から前記第２の流れ面に延在し、
前記第２の複数の縦溝のそれぞれが、前記第２の流れ面における縦溝開口部と、前記第１の流れ面の近くの縦溝閉鎖部とを画定する、
請求項９１〜９４及び９６〜１０３のいずれか一項に記載のフィルタアセンブリ。
【請求項９６】
前記第１の複数の縦溝が、前記第１の流れ面と前記第２の流れ面との間の第１の縦溝距離を画定する第１の縦溝と、前記第１の流れ面と前記第２の流れ面との間の第２の縦溝距離を画定する第２の縦溝とを有し、
前記第２の複数の縦溝が、前記第１の流れ面と前記第２の流れ面との間の第３の縦溝距離を画定する第３の縦溝を有し、
前記第１の縦溝距離、第２の縦溝距離、及び第３の縦溝距離のそれぞれが、２ｍｍを超えて異なる、
請求項９１〜９５及び９７〜１０３のいずれか一項に記載のフィルタアセンブリ。
【請求項９７】
前記フィルタアセンブリがパネルフィルタである、
請求項９１〜９６及び９８〜１０３のいずれか一項に記載のフィルタアセンブリ。
【請求項９８】
前記フィルタ媒体の第１のシート及び前記フィルタ媒体の第２のシートが、ｚ軸のまわりに渦巻状構成を画定する、
請求項９１〜９７及び９９〜１０３のいずれか一項に記載のフィルタアセンブリ。
【請求項９９】
前記第１の複数の縦溝の第１の縦溝が、前記第１の流れ面と前記第２の流れ面との間の第１の縦溝距離を画定し、
前記第１の複数の縦溝の第２の縦溝が、前記第１の流れ面と前記第２の流れ面との間の第２の縦溝距離を画定し、
前記第１の縦溝距離が、前記第２の縦溝距離と２ｍｍを超えて異なる、
請求項９１〜９８及び１００〜１０３のいずれか一項に記載のフィルタアセンブリ。
【請求項１００】
前記第１のシート及び前記第２のシートが不連続である、
請求項９１〜９９及び１０１〜１０３のいずれか一項に記載のフィルタアセンブリ。
【請求項１０１】
前記第１のシート及び前記第２のシートが連続し、折り目によって分離されている、
請求項９１〜１００及び１０２〜１０３のいずれか一項に記載のフィルタアセンブリ。
【請求項１０２】
前記第１の流れ面が、前記フィルタアセンブリに対して前記第２の流れ面の反対側にある、
請求項９１〜１０１及び１０３のいずれか一項に記載のフィルタアセンブリ。
【請求項１０３】
前記第１の複数の縦溝は平行である、
請求項９１〜１０２のいずれか一項に記載のフィルタアセンブリ。
【発明の詳細な説明】
【技術分野】
【０００１】
優先権主張
本出願は、２０１７年９月２５日に出願された米国仮特許出願第６２／５６２，９１７号明細書の利益を主張し、その開示は、参照により全体として本明細書に組み込まれる。
【０００２】
本明細書に開示される技術は一般に、フィルタに関する。より詳細には、本明細書に開示される技術は、フィルタアセンブリに関する。
【背景技術】
【０００３】
空気や液体などの流体の流れは、その中の汚染物質を運んでいる。多くの例において、この汚染物質の一部又はすべてを流体の流れからろ過することが望ましい。たとえば、自動車又は発電機器用のエンジンへの空気の流れ、ガスタービンシステムへの空気及びガスの流れ、さまざまな燃焼炉への空気及びガスの流れ、並びに、熱交換器（たとえば、加熱及び空調用）への空気及びガスの流れは、多くの場合、ろ過されるべき粒子状の汚染物質を運んでいる。また、エンジン潤滑システム、液圧システム、クーラントシステム、及び燃料システムにおける液体の流れも、ろ過されるべき汚染物質を運んでいる可能性がある。このようなシステムにおいては、選択された汚染物質を流体から除去すること（或いは、その含有濃度を低減すること）が望ましい。汚染物質低減用として、さまざまな流体フィルタ（ガス又は液体フィルタ）が開発されてきた。しかしながら、一般に、絶え間ない改良が求められている。
【発明の概要】
【課題を解決するための手段】
【０００４】
いくつかの実施形態において、本明細書に開示される技術は、ｚ軸のまわりに渦巻状構成を画定するフィルタ媒体を有するフィルタアセンブリを対象とする。フィルタ媒体は、第１の流れ面と、第２の流れ面と、第１の流れ面から第２の流れ面に延在する複数の縦溝とを画定する。複数の縦溝のそれぞれは、縦溝開口部と縦溝閉鎖部とを画定する。複数の縦溝は、第１の流れ面と第２の流れ面との間の第１の縦溝距離を画定する第１の縦溝と、第１の流れ面と第２の流れ面との間の第２の縦溝距離を画定する第２の縦溝とを有し、第１の縦溝距離は、第２の縦溝距離と２ｍｍを超えて異なる。
【０００５】
いくつかの実施形態において、第２の流れ面は、第１の流れ面に対して非平行である。追加的に又は代替的に、第１の流れ面は非平面状であり、第２の流れ面は平面状である。追加的に又は代替的に、非平面状の第１の流れ面、第２の流れ面は非平面状である。追加的に又は代替的に、第１の流れ面及び第２の流れ面のうちの１つは凹状である。追加的に又は代替的に、第１の流れ面及び第２の流れ面のうちの１つは外方に突出している。
【０００６】
追加的に又は代替的に、フィルタアセンブリは、フィルタ媒体の第１のシートと、フィルタ媒体の第１のシートに隣接するフィルタ媒体の第２のシートとを有し、第１のシート及び第２のシートはｚ軸のまわりに渦巻状構成を画定し、第１のシート及び第２のシートは複数の縦溝を相互に画定する。追加的に又は代替的に、第１のシート及び第２のシートは不連続である。追加的に又は代替的に、第１のシート及び第２のシートは連続し、第２の流れ面を画定する折り目によって分離されている。追加的に又は代替的に、フィルタ媒体の第１のシートは、第１の流れ面及び第２の流れ面によって画定された第１の幅を有し、フィルタ媒体の第２のシートは、第１の流れ面及び第２の流れ面によって画定された第２の幅を有し、第１の幅は、第２の幅と２ｍｍを超えて異なる。追加的に又は代替的に、フィルタ媒体の第１のシートは縦溝付きシートであり、フィルタ媒体の第２のシートは対面シートである。
【０００７】
追加的に又は代替的に、第１の縦溝距離は、第２の縦溝距離と少なくとも５ｍｍ異なる。追加的に又は代替的に、第１の縦溝距離は、第２の縦溝距離と３ｍｍ〜２０ｍｍ異なる。追加的に又は代替的に、第１の縦溝距離は、第２の縦溝距離と少なくとも８ｍｍ異なる。追加的に又は代替的に、第１の縦溝距離は、第２の縦溝距離と少なくとも１５ｍｍ異なる。
【０００８】
いくつかの実施形態において、本明細書に開示される技術は、第１の流れ面と、第２の流れ面と、第１の流れ面から第２の流れ面に延在する複数の縦溝とを相互に画定する積層構成であるフィルタ媒体の複数のシートを有するパネルフィルタアセンブリに関する。フィルタ媒体の複数のシートは、第１の縦溝層及び第２の縦溝層の規則的に交互になるパターンを画定し、第１の層のそれぞれは、第１の流れ面と第２の流れ面との間の第１の層距離を画定し、第２の層のそれぞれは、第１の流れ面と第２の流れ面との間の第２の層距離を画定する。第１の層距離及び第２の層距離は、２ｍｍを超えて異なる。
【０００９】
さまざまな実施形態において、複数の縦溝のそれぞれは、縦溝開口部と縦溝閉鎖部とを画定する。追加的に又は代替的に、第１の層及び第２の層のそれぞれは、縦溝付きシート及び隣接する対面シートによって画定される。追加的に又は代替的に、各縦溝層の各縦溝付きシート及び対面シートは、第１の流れ面と第２の流れ面との間の略等しい距離を画定する。追加的に又は代替的に、少なくとも１つの縦溝層の各縦溝付きシート及び対面シートは、２ｍｍを超えて異なる第１の流れ面と第２の流れ面との間の距離を画定する。追加的に又は代替的に、第１の層及び第２の層のそれぞれは、フィルタ媒体の２つの隣接する縦溝付きシートによって画定される。追加的に又は代替的に、フィルタ媒体の複数のシートは不連続である。追加的に又は代替的に、フィルタ媒体の複数のシートは連続し、第１の流れ面を形成する折り目の第１の組及び第２の流れ面を形成する折り目の第２の組によって分離されている。
【００１０】
追加的に又は代替的に、フィルタ媒体の複数のシートは、第３の縦溝層の規則的に交互になるパターンをさらに画定し、各第３の縦溝層は、第１の流れ面と第２の流れ面との間の第３の層距離を有し、第３の層距離は、第１の層距離及び第２の層距離と２ｍｍを超えて異なる。追加的に又は代替的に、フィルタ媒体の複数のシートは、第４の縦溝層の規則的に交互になるパターンをさらに画定し、各第４の縦溝層は、第１の流れ面と第２の流れ面との間の第４の層距離を有し、第４の層距離は、第１の層距離、第２の層距離、及び第３の層距離と２ｍｍを超えて異なる。
【００１１】
追加的に又は代替的に、第２の流れ面は平面状である。追加的に又は代替的に、第１の流れ面及び第２の流れ面は非平面状である。追加的に又は代替的に、第１の流れ面及び第２の流れ面のうちの１つは凹状である。追加的に又は代替的に、第１の流れ面及び第２の流れ面のうちの１つは外方に突出している。追加的に又は代替的に、第１の層距離は、第２の層距離と少なくとも５ｍｍ異なる。追加的に又は代替的に、第１の層距離は、第２の層距離と３ｍｍ〜２０ｍｍ異なる。追加的に又は代替的に、第１の層距離は、第２の層距離と少なくとも８ｍｍ異なる。追加的に又は代替的に、第１の層距離は、第２の層距離と少なくとも１４ｍｍ異なる。
【００１２】
いくつかの実施形態において、本明細書に開示される技術は、第１の複数の縦溝と、第１の流れ面と、第２の流れ面とを相互に画定するフィルタ媒体の第１のシート及びフィルタ媒体の第２のシートを有するフィルタアセンブリに関する。第１の複数の縦溝のそれぞれは、第１の流れ面から第２の流れ面に延在し、第１の複数の縦溝のそれぞれは、第１の流れ面における縦溝開口部と、第２の流れ面の近くの縦溝閉鎖部とを画定する。第１の流れ面及び第２の流れ面のうちの少なくとも１つは非平面状である。
【００１３】
いくつかのこのような実施形態において、第１のシートはフィルタ媒体の縦溝付きシートであり、第２のシートはフィルタ媒体の対面シートである。代替的に、第１のシート及び第２のシートはどちらも、フィルタ媒体の縦溝付きシートである。追加的に又は代替的に、縦溝閉鎖部は第２の流れ面に隣接している。追加的に又は代替的に、第１の流れ面及び第２の流れ面のうちの１つは凹状である。追加的に又は代替的に、第１の流れ面及び第２の流れ面のうちの１つは外方に突出している。
【００１４】
追加的に又は代替的に、フィルタアセンブリは、フィルタ媒体の第３のシートを有し、フィルタ媒体の第３のシート及びフィルタ媒体の第２のシートは、第２の複数の縦溝と、第１の流れ面と、第２の流れ面とを相互に画定する。第２の複数の縦溝のそれぞれは、第１の流れ面から第２の流れ面に延在し、第２の複数の縦溝のそれぞれは、第２の流れ面における縦溝開口部と、第１の流れ面の近くの縦溝閉鎖部とを画定する。追加的に又は代替的に、第１の複数の縦溝は、第１の流れ面と第２の流れ面との間の第１の縦溝距離を画定する第１の縦溝と、第１の流れ面と第２の流れ面との間の第２の縦溝距離を画定する第２の縦溝とを有する。第２の複数の縦溝は、第１の流れ面と第２の流れ面との間の第３の縦溝距離を画定する第３の縦溝を有し、第１の縦溝距離、第２の縦溝距離、及び第３の縦溝距離のそれぞれは、２ｍｍを超えて異なる。
【００１５】
追加的に又は代替的に、フィルタアセンブリはパネルフィルタである。追加的に又は代替的に、フィルタ媒体の第１のシート及びフィルタ媒体の第２のシートは、ｚ軸のまわりに渦巻状構成を画定する。追加的に又は代替的に、フィルタ媒体の第１のシート及びフィルタ媒体の第２のシートは連続し、第２の流れ面を画定する折り目によって分離されている。追加的に又は代替的に、第１の複数の縦溝の第１の縦溝は、第１の流れ面と第２の流れ面との間の第１の縦溝距離を画定し、第１の複数の縦溝の第２の縦溝は、第１の流れ面と第２の流れ面との間の第２の縦溝距離を画定し、第１の縦溝距離は、第２の縦溝距離と２ｍｍを超えて異なる。
【００１６】
追加的に又は代替的に、第１の流れ面及び第２の流れ面はどちらも非平面状である。追加的に又は代替的に、第１の流れ面及び第２の流れ面のうちの１つは凹状である。追加的に又は代替的に、第１の流れ面及び第２の流れ面のうちの１つは外方に突出している。追加的に又は代替的に、第１のシート及び第２のシートは不連続である。追加的に又は代替的に、第１の流れ面は、フィルタアセンブリに対して第２の流れ面の反対側にある。追加的に又は代替的に、複数の縦溝は平行である。
【００１７】
いくつかの実施形態において、本明細書に開示される技術は、第１の複数の縦溝と、フィルタアセンブリの第１の端部上の第１の流れ面と、フィルタアセンブリの反対側の第２の端部上の第２の流れ面とを相互に画定する、フィルタ媒体の第１のシート及びフィルタ媒体の第２のシートを有するフィルタアセンブリに関する。第１の複数の縦溝のそれぞれは、第１の流れ面から第２の流れ面までの距離を画定し、第１の複数の縦溝のそれぞれは、第１の流れ面における縦溝開口部と、第２の流れ面の近くの縦溝閉鎖部とを画定する。第１の複数の縦溝の第１の縦溝は第１の縦溝距離を画定し、第１の複数の縦溝の第２の縦溝は第２の縦溝距離を画定し、第１の縦溝距離及び第２の縦溝距離は、２ｍｍを超えて異なる。
【００１８】
いくつかのこのような実施形態において、フィルタ媒体の第１のシート及びフィルタ媒体の第２のシートは不連続であり、一方、他の実施形態において、フィルタ媒体の第１のシート及びフィルタ媒体の第２のシートは連続し、折り目によって分離されている。追加的に又は代替的に、縦溝閉鎖部は第２の流れ面に隣接している。
【００１９】
追加的に又は代替的に、フィルタアセンブリは、フィルタ媒体の第３のシートを有し、フィルタ媒体の第３のシート及びフィルタ媒体の第２のシートは、第２の複数の縦溝と、第１の流れ面と、第２の流れ面とを相互に画定する。第２の複数の縦溝のそれぞれは、第１の流れ面から第２の流れ面まで延在し、第２の複数の縦溝のそれぞれは、第２の流れ面における縦溝開口部と、第１の流れ面の近くの縦溝閉鎖部とを画定する。追加的に又は代替的に、第２の複数の縦溝は、第１の流れ面から第２の流れ面までの第３の縦溝距離を画定する第３の縦溝を有し、第３の縦溝距離は、第１の縦溝距離及び第２の縦溝距離と２ｍｍを超えて異なる。
【００２０】
追加的に又は代替的に、第１の複数の縦溝は、第３の縦溝距離を画定する第３の縦溝を有し、第３の縦溝距離は、第１の縦溝距離及び第２の縦溝距離と２ｍｍを超えて異なる。追加的に又は代替的に、第１の縦溝距離は、第２の縦溝距離と少なくとも５ｍｍ異なる。追加的に又は代替的に、第１の縦溝距離は、第２の縦溝距離と３ｍｍ〜２０ｍｍ異なる。追加的に又は代替的に、第１の縦溝距離は、第２の縦溝距離と少なくとも８ｍｍ異なる。追加的に又は代替的に、第１の縦溝距離は、第２の縦溝距離と少なくとも１５ｍｍ異なる。
【００２１】
追加的に又は代替的に、第１の流れ面及び第２の流れ面は非平行である。追加的に又は代替的に、第１の流れ面及び第２の流れ面のうちの少なくとも１つは非平面状である。追加的に又は代替的に、第１の流れ面及び第２の流れ面のうちの１つは凹状である。追加的に又は代替的に、第１の流れ面及び第２の流れ面のうちの１つは外方に突出している。追加的に又は代替的に、第１の流れ面及び第２の流れ面のうちの少なくとも１つは平面状である。追加的に又は代替的に、第１の流れ面及び第２の流れ面はどちらも非平面状である。追加的に又は代替的に、第１のシートはフィルタ媒体の縦溝付きシートであり、第２のシートはフィルタ媒体の対面シートである。追加的に又は代替的に、第１のシート及び第２のシートはどちらも、フィルタ媒体の縦溝付きシートである。
【００２２】
いくつかの実施形態において、本明細書に開示される技術は、それぞれがｘ軸に平行な方向に延在する幅とｚ軸に平行な方向に延在する長さとを有する、フィルタ媒体の複数の積層シートを有するパネルフィルタアセンブリを対象とする。フィルタ媒体の複数のシートは、ｙ軸に平行な方向に積み重ねられる。フィルタ媒体の複数のシートは、複数の縦溝と、第１の流れ面と、第２の流れ面とを画定し、複数の縦溝のそれぞれは、第１の流れ面における縦溝開口部と、第２の流れ面の近くの縦溝閉鎖部とを画定する。複数の縦溝の第１の縦溝は、第１の流れ面と第２の流れ面との間の第１の縦溝距離を画定し、複数の縦溝の第２の縦溝は、第１の流れ面と第２の流れ面との間の第２の縦溝距離を画定し、複数の縦溝の第３の縦溝は、第１の流れ面と第２の流れ面との間の第３の縦溝距離を画定し、第２の縦溝は、第１の縦溝にｘ軸方向に隣接し、第３の縦溝は、第１の縦溝に対してｙ軸方向に位置付けられる。第１の縦溝距離は、第２の縦溝距離と２ｍｍを超えて異なり、第１の縦溝距離は、第３の縦溝距離と２ｍｍを超えて異なる。
【００２３】
いくつかのこのような実施形態において、フィルタ媒体の複数の積層シートは不連続である。追加的に又は代替的に、フィルタ媒体の複数の積層シートは連続し、折り目によって分離されている。追加的に又は代替的に、第１の縦溝距離、第２の縦溝距離、及び第３の縦溝距離は、２ｍｍを超えて異なる。追加的に又は代替的に、第１の流れ面及び第２の流れ面のうちの少なくとも１つは非平面状である。追加的に又は代替的に、第１の流れ面及び第２の流れ面はどちらも非平面状である。追加的に又は代替的に、第１の流れ面及び第２の流れ面のうちの１つは凹状である。追加的に又は代替的に、第１の流れ面及び第２の流れ面のうちの１つは外方に突出している。追加的に又は代替的に、第１の流れ面及び第２の流れ面は非平行である。
【００２４】
追加的に又は代替的に、第１の縦溝距離は、第２の縦溝距離及び第３の縦溝距離と少なくとも５ｍｍ異なる。追加的に又は代替的に、第１の縦溝距離は、第２の縦溝距離及び第３の縦溝距離と３ｍｍ〜２０ｍｍ異なる。追加的に又は代替的に、第１の縦溝距離は、第２の縦溝距離及び第３の縦溝距離と少なくとも８ｍｍ異なる。追加的に又は代替的に、第１の縦溝距離は、第２の縦溝距離及び第３の縦溝距離と少なくとも１５ｍｍ異なる。追加的に又は代替的に、フィルタ媒体の複数の積層シートは、フィルタ媒体の交互になる縦溝付きシートと、フィルタ媒体の対面シートとを有する。追加的に又は代替的に、フィルタ媒体の複数の積層シートのそれぞれは、フィルタ媒体の縦溝付きシートである。
【００２５】
いくつかの実施形態は、複数の縦溝と、第１の流れ面を画定する第１の縁部と、フィルタアセンブリに対して第１の流れ面の反対側にある第２の流れ面とを画定するフィルタ媒体を有するフィルタアセンブリを対象とする。複数の縦溝のそれぞれは、第１の流れ面における縦溝開口部と、第２の流れ面の近くの縦溝閉鎖部とを画定する。複数の縦溝は、非平面状である縦溝開口部を画定する少なくとも１つの縦溝を有する。
【００２６】
いくつかのこのような実施形態において、フィルタ媒体は、積層構成のフィルタ媒体の複数のシートである。追加的に又は代替的に、フィルタ媒体の複数のシートは、フィルタ媒体の交互になる縦溝付きシートと、フィルタ媒体の対面シートとを有する。追加的に又は代替的に、フィルタ媒体の複数のシートは、フィルタ媒体の縦溝付きシートである。追加的に又は代替的に、フィルタ媒体は、フィルタ媒体の第１のシートと、ｚ軸のまわりで渦巻状構成であるフィルタ媒体の第２のシートとを有する。追加的に又は代替的に、フィルタ媒体の第１のシートは縦溝付きシートであり、フィルタ媒体の第２のシートは対面シートである。追加的に又は代替的に、フィルタアセンブリはパネルフィルタである。
【００２７】
追加的に又は代替的に、複数の縦溝の第１の縦溝は、第１の流れ面と第２の流れ面との間の第１の縦溝距離を画定し、複数の縦溝の第２の縦溝は、第１の流れ面と第２の流れ面との間の第２の縦溝距離を画定し、第１の縦溝距離は、第２の縦溝距離と２ｍｍを超えて異なる。追加的に又は代替的に、第１の縦溝距離は、第２の縦溝距離と少なくとも５ｍｍ異なる。追加的に又は代替的に、第１の縦溝距離は、第２の縦溝距離と３ｍｍ〜２０ｍｍ異なる。追加的に又は代替的に、第１の縦溝距離は、第２の縦溝距離と少なくとも８ｍｍ異なる。追加的に又は代替的に、第１の縦溝距離は、第２の縦溝距離と少なくとも１５ｍｍ異なる。追加的に又は代替的に、第１の流れ面及び第２の流れ面はどちらも非平面状である。追加的に又は代替的に、第１の流れ面及び第２の流れ面のうちの１つは凹状である。追加的に又は代替的に、第１の流れ面及び第２の流れ面のうちの１つは外方に突出している。追加的に又は代替的に、縦溝閉鎖部は第２の流れ面に隣接している。
【００２８】
本明細書に開示される技術のいくつかの実施形態は、第１の複数の縦溝と、第１の流れ面と、第２の流れ面とを相互に画定するフィルタ媒体の第１のシート及びフィルタ媒体の第２のシートを有するフィルタアセンブリを対象とする。第１の複数の縦溝のそれぞれは、第１の流れ面から第２の流れ面に延在する。第１の複数の縦溝のそれぞれは、第１の流れ面における縦溝開口部と、第２の流れ面の近くの縦溝閉鎖部とを画定する。第１の流れ面及び第２の流れ面は平面状であり、第１の流れ面は、第２の流れ面に対して非平行である。
【００２９】
いくつかのこのような実施形態において、第１のシートはフィルタ媒体の縦溝付きシートであり、第２のシートはフィルタ媒体の対面シートである。追加的に又は代替的に、第１のシート及び第２のシートはどちらも、フィルタ媒体の縦溝付きシートである。追加的に又は代替的に、縦溝閉鎖部は第２の流れ面に隣接している。
【００３０】
追加的に又は代替的に、フィルタアセンブリは、フィルタ媒体の第３のシートを有し、フィルタ媒体の第３のシート及びフィルタ媒体の第２のシートは、第２の複数の縦溝と、第１の流れ面と、第２の流れ面とを相互に画定し、第２の複数の縦溝のそれぞれは、第１の流れ面から第２の流れ面に延在する。第２の複数の縦溝のそれぞれは、第２の流れ面における縦溝開口部と、第１の流れ面の近くの縦溝閉鎖部とを画定する。追加的に又は代替的に、第１の複数の縦溝は、第１の流れ面と第２の流れ面との間の第１の縦溝距離を画定する第１の縦溝と、第１の流れ面と第２の流れ面との間の第２の縦溝距離を画定する第２の縦溝とを有する。第２の複数の縦溝は、第１の流れ面と第２の流れ面との間の第３の縦溝距離を画定する第３の縦溝を有し、第１の縦溝距離、第２の縦溝距離、及び第３の縦溝距離のそれぞれは、２ｍｍを超えて異なる。
【００３１】
追加的に又は代替的に、フィルタアセンブリはパネルフィルタである。追加的に又は代替的に、フィルタ媒体の第１のシート及びフィルタ媒体の第２のシートは、ｚ軸のまわりに渦巻状構成を画定する。追加的に又は代替的に、第１の複数の縦溝の第１の縦溝は、第１の流れ面と第２の流れ面との間の第１の縦溝距離を画定し、第１の複数の縦溝の第２の縦溝は、第１の流れ面と第２の流れ面との間の第２の縦溝距離を画定し、第１の縦溝距離は、第２の縦溝距離と２ｍｍを超えて異なる。追加的に又は代替的に、第１のシート及び第２のシートは不連続である。追加的に又は代替的に、第１のシート及び第２のシートは連続し、折り目によって分離されている。追加的に又は代替的に、第１の流れ面は、フィルタアセンブリに対して第２の流れ面の反対側にある。追加的に又は代替的に、第１の複数の縦溝は平行である。
【図面の簡単な説明】
【００３２】
【図１】本明細書に開示される技術に一致する例示的なフィルタアセンブリの斜視図である。
【図２ａ】本明細書に開示される技術に一致する別の例示的なフィルタアセンブリの斜視図である。
【図２ｂ】図２ａの詳細図Ａ'である。
【図３】本明細書に開示される技術に一致する別の例示的なフィルタアセンブリの側断面図である。
【図４ａ】いくつかの実施形態に一致する例示的なフィルタ媒体である。
【図４ｂ】いくつかの実施形態に一致する別の例示的なフィルタ媒体である。
【図４ｃ】いくつかの実施形態に一致するさらに別の例示的なフィルタ媒体である。
【図４ｄ】いくつかの実施形態に一致する例示的なフィルタ媒体である。
【図５】本明細書に開示される技術に一致する別の例示的なフィルタアセンブリの斜視図である。
【図６ａ】本明細書に開示される技術に一致する別の例示的なフィルタアセンブリの斜視図である。
【図６ｂ】図６ａのフィルタアセンブリの第１の面の正面図である。
【図７】本明細書に開示される技術に一致するさらに別の例示的なフィルタアセンブリの斜視図である。
【図８】本明細書に開示される技術に一致するさらに別の例示的なフィルタアセンブリの斜視図である。
【図９】本明細書に開示される技術に一致するさらに別の例示的なフィルタアセンブリの斜視図である。
【図１０】本明細書に開示される技術に一致するさらに別の例示的なフィルタアセンブリの斜視図である。
【図１１Ａ】本明細書に開示される技術に一致する別の例示的なフィルタアセンブリの側面図である。
【図１１Ｂ】図１１Ａに一致するフィルタ媒体の正面図である。
【図１２Ａ】本明細書に開示される技術に一致する別の例示的なフィルタアセンブリの断面図である。
【図１２Ｂ】図１２Ａに一致するフィルタ媒体の正面図である。
【図１３Ａ】本明細書に開示される技術に一致する別の例示的なフィルタアセンブリの断面図である。
【図１３Ｂ】図１３Ａに一致するフィルタ媒体の正面図である。
【図１４Ａ】本明細書に開示される技術に一致する別の例示的なフィルタアセンブリの斜視図である。
【図１４Ｂ】図１４Ａに一致するフィルタ媒体の正面図である。
【図１５】本明細書に開示される技術に一致するフィルタアセンブリ側断面である。
【図１６】本明細書に開示される技術に一致するフィルタアセンブリの別の側断面図である。
【図１７】本明細書に開示される技術に一致するフィルタアセンブリの別の側断面図である。
【図１８】さまざまな実施形態に一致するフィルタ媒体の断面図である。
【図１９】本明細書に開示される技術に一致する例示的なフィルタアセンブリの流れ面の正面概略図である。
【図２０】本明細書に開示される技術に一致するフィルタアセンブリの断面概略図である。
【発明を実施するための形態】
【００３３】
本技術は、本技術のさまざまな実施形態の、添付図面に関連する以下の詳細な説明を考察することによって、さらに完全に理解及び認識することができる。
【００３４】
本明細書に開示される技術は一般に、縦溝付きフィルタアセンブリに関し、ここで、フィルタ媒体に形成される縦溝は、フィルタアセンブリの第１の流れ面からフィルタアセンブリの第２の流れ面まで延在し、１つの流れ面は入口であり、１つの流れ面は出口である。本明細書に開示されるいくつかの実施形態は、より大きなシステムの特定の空間に収容することができるフィルタ媒体の量を増加させることができ、それにより、例として、効率、フィルタ寿命、及び圧力低下を改善することができる。本明細書に開示されるいくつかの実施形態は、フィルタアセンブリを通る流体流れを改善することができ、たとえば、フィルタアセンブリへの流体流れを増加させることができる。本明細書に開示されるいくつかの実施形態は、フィルタアセンブリの入口を形成する流れ面上で「固化する」微粒子を減少させることができ、それにより、フィルタアセンブリの寿命にわたってフィルタアセンブリへの流体流れを改善することができる。他の利点も本技術によっても実現されるであろう。
【００３５】
いくつかの実施形態において、本明細書に開示される技術は、ｚ軸のまわりに渦巻状構成を画定するフィルタ媒体を有するフィルタアセンブリを対象とする。フィルタ媒体は、第１の流れ面と、第２の流れ面と、第１の流れ面から第２の流れ面に延在する複数の縦溝とを画定する。複数の縦溝のそれぞれは、縦溝開口部と縦溝閉鎖部とを画定する。複数の縦溝は、第１の流れ面と第２の流れ面との間の第１の縦溝距離を画定する第１の縦溝と、第１の流れ面と第２の流れ面との間の第２の縦溝距離を画定する第２の縦溝とを有し、第１の縦溝距離は、第２の縦溝距離と２ｍｍを超えて異なる。
【００３６】
いくつかの実施形態において、第２の流れ面は、第１の流れ面に対して非平行である。追加的に又は代替的に、第１の流れ面は非平面状であり、第２の流れ面は平面状である。追加的に又は代替的に、非平面状の第１の流れ面、第２の流れ面は非平面状である。追加的に又は代替的に、第１の流れ面及び第２の流れ面のうちの１つは凹状である。追加的に又は代替的に、第１の流れ面及び第２の流れ面のうちの１つは外方に突出している。
【００３７】
追加的に又は代替的に、フィルタアセンブリは、フィルタ媒体の第１のシートと、フィルタ媒体の第１のシートに隣接するフィルタ媒体の第２のシートとを有し、第１のシート及び第２のシートはｚ軸のまわりに渦巻状構成を画定し、第１のシート及び第２のシートは複数の縦溝を相互に画定する。追加的に又は代替的に、第１のシート及び第２のシートは不連続である。追加的に又は代替的に、第１のシート及び第２のシートは連続し、第２の流れ面を画定する折り目によって分離されている。追加的に又は代替的に、フィルタ媒体の第１のシートは、第１の流れ面及び第２の流れ面によって画定された第１の幅を有し、フィルタ媒体の第２のシートは、第１の流れ面及び第２の流れ面によって画定された第２の幅を有し、第１の幅は、第２の幅と２ｍｍを超えて異なる。追加的に又は代替的に、フィルタ媒体の第１のシートは縦溝付きシートであり、フィルタ媒体の第２のシートは対面シートである。
【００３８】
追加的に又は代替的に、第１の縦溝距離は、第２の縦溝距離と少なくとも５ｍｍ異なる。追加的に又は代替的に、第１の縦溝距離は、第２の縦溝距離と３ｍｍ〜２０ｍｍ異なる。追加的に又は代替的に、第１の縦溝距離は、第２の縦溝距離と少なくとも８ｍｍ異なる。追加的に又は代替的に、第１の縦溝距離は、第２の縦溝距離と少なくとも１５ｍｍ異なる。
【００３９】
いくつかの実施形態において、本明細書に開示される技術は、第１の流れ面と、第２の流れ面と、第１の流れ面から第２の流れ面に延在する複数の縦溝とを相互に画定する積層構成であるフィルタ媒体の複数のシートを有するパネルフィルタアセンブリに関する。フィルタ媒体の複数のシートは、第１の縦溝層及び第２の縦溝層の規則的に交互になるパターンを画定し、第１の層のそれぞれは、第１の流れ面と第２の流れ面との間の第１の層距離を画定し、第２の層のそれぞれは、第１の流れ面と第２の流れ面との間の第２の層距離を画定する。第１の層距離及び第２の層距離は、２ｍｍを超えて異なる。
【００４０】
さまざまな実施形態において、複数の縦溝のそれぞれは、縦溝開口部と縦溝閉鎖部とを画定する。追加的に又は代替的に、第１の層及び第２の層のそれぞれは、縦溝付きシート及び隣接する対面シートによって画定される。追加的に又は代替的に、各縦溝層の各縦溝付きシート及び対面シートは、第１の流れ面と第２の流れ面との間の略等しい距離を画定する。追加的に又は代替的に、少なくとも１つの縦溝層の各縦溝付きシート及び対面シートは、２ｍｍを超えて異なる第１の流れ面と第２の流れ面との間の距離を画定する。追加的に又は代替的に、第１の層及び第２の層のそれぞれは、フィルタ媒体の２つの隣接する縦溝付きシートによって画定される。追加的に又は代替的に、フィルタ媒体の複数のシートは不連続である。追加的に又は代替的に、フィルタ媒体の複数のシートは連続し、第１の流れ面を形成する折り目の第１の組及び第２の流れ面を形成する折り目の第２の組によって分離されている。
【００４１】
追加的に又は代替的に、フィルタ媒体の複数のシートは、第３の縦溝層の規則的に交互になるパターンをさらに画定し、各第３の縦溝層は、第１の流れ面と第２の流れ面との間の第３の層距離を有し、第３の層距離は、第１の層距離及び第２の層距離と２ｍｍを超えて異なる。追加的に又は代替的に、フィルタ媒体の複数のシートは、第４の縦溝層の規則的に交互になるパターンをさらに画定し、各第４の縦溝層は、第１の流れ面と第２の流れ面との間の第４の層距離を有し、第４の層距離は、第１の層距離、第２の層距離、及び第３の層距離と２ｍｍを超えて異なる。
【００４２】
追加的に又は代替的に、第２の流れ面は平面状である。追加的に又は代替的に、第１の流れ面及び第２の流れ面は非平面状である。追加的に又は代替的に、第１の流れ面及び第２の流れ面のうちの１つは凹状である。追加的に又は代替的に、第１の流れ面及び第２の流れ面のうちの１つは外方に突出している。追加的に又は代替的に、第１の層距離は、第２の層距離と少なくとも５ｍｍ異なる。追加的に又は代替的に、第１の層距離は、第２の層距離と３ｍｍ〜２０ｍｍ異なる。追加的に又は代替的に、第１の層距離は、第２の層距離と少なくとも８ｍｍ異なる。追加的に又は代替的に、第１の層距離は、第２の層距離と少なくとも１４ｍｍ異なる。
【００４３】
いくつかの実施形態において、本明細書に開示される技術は、第１の複数の縦溝と、第１の流れ面と、第２の流れ面とを相互に画定するフィルタ媒体の第１のシート及びフィルタ媒体の第２のシートを有するフィルタアセンブリに関する。第１の複数の縦溝のそれぞれは、第１の流れ面から第２の流れ面に延在し、第１の複数の縦溝のそれぞれは、第１の流れ面における縦溝開口部と、第２の流れ面の近くの縦溝閉鎖部とを画定する。第１の流れ面及び第２の流れ面のうちの少なくとも１つは非平面状である。
【００４４】
いくつかのこのような実施形態において、第１のシートはフィルタ媒体の縦溝付きシートであり、第２のシートはフィルタ媒体の対面シートである。代替的に、第１のシート及び第２のシートはどちらも、フィルタ媒体の縦溝付きシートである。追加的に又は代替的に、縦溝閉鎖部は第２の流れ面に隣接している。
【００４５】
追加的に又は代替的に、フィルタアセンブリは、フィルタ媒体の第３のシートを有し、フィルタ媒体の第３のシート及びフィルタ媒体の第２のシートは、第２の複数の縦溝と、第１の流れ面と、第２の流れ面とを相互に画定する。第２の複数の縦溝のそれぞれは、第１の流れ面から第２の流れ面に延在し、第２の複数の縦溝のそれぞれは、第２の流れ面における縦溝開口部と、第１の流れ面の近くの縦溝閉鎖部とを画定する。追加的に又は代替的に、第１の複数の縦溝は、第１の流れ面と第２の流れ面との間の第１の縦溝距離を画定する第１の縦溝と、第１の流れ面と第２の流れ面との間の第２の縦溝距離を画定する第２の縦溝とを有する。第２の複数の縦溝は、第１の流れ面と第２の流れ面との間の第３の縦溝距離を画定する第３の縦溝を有し、第１の縦溝距離、第２の縦溝距離、及び第３の縦溝距離のそれぞれは、２ｍｍを超えて異なる。
【００４６】
追加的に又は代替的に、フィルタアセンブリはパネルフィルタである。追加的に又は代替的に、フィルタ媒体の第１のシート及びフィルタ媒体の第２のシートは、ｚ軸のまわりに渦巻状構成を画定する。追加的に又は代替的に、フィルタ媒体の第１のシート及びフィルタ媒体の第２のシートは連続し、第２の流れ面を画定する折り目によって分離されている。追加的に又は代替的に、第１の複数の縦溝の第１の縦溝は、第１の流れ面と第２の流れ面との間の第１の縦溝距離を画定し、第１の複数の縦溝の第２の縦溝は、第１の流れ面と第２の流れ面との間の第２の縦溝距離を画定し、第１の縦溝距離は、第２の縦溝距離と２ｍｍを超えて異なる。
【００４７】
追加的に又は代替的に、第１の流れ面及び第２の流れ面はどちらも非平面状である。追加的に又は代替的に、第１の流れ面及び第２の流れ面のうちの１つは凹状である。追加的に又は代替的に、第１の流れ面及び第２の流れ面のうちの１つは外方に突出している。追加的に又は代替的に、第１のシート及び第２のシートは不連続である。追加的に又は代替的に、第１の流れ面は、フィルタアセンブリに対して第２の流れ面の反対側にある。追加的に又は代替的に、複数の縦溝は平行である。
【００４８】
いくつかの実施形態において、本明細書に開示される技術は、第１の複数の縦溝と、フィルタアセンブリの第１の端部上の第１の流れ面と、フィルタアセンブリの反対側の第２の端部上の第２の流れ面とを相互に画定するフィルタ媒体の第１のシート及びフィルタ媒体の第２のシートを有するフィルタアセンブリに関する。第１の複数の縦溝のそれぞれは、第１の流れ面から第２の流れ面までの距離を画定し、第１の複数の縦溝のそれぞれは、第１の流れ面における縦溝開口部と、第２の流れ面の近くの縦溝閉鎖部とを画定する。第１の複数の縦溝の第１の縦溝は第１の縦溝距離を画定し、第１の複数の縦溝の第２の縦溝は第２の縦溝距離を画定し、第１の縦溝距離及び第２の縦溝距離は、２ｍｍを超えて異なる。
【００４９】
いくつかのこのような実施形態において、フィルタ媒体の第１のシート及びフィルタ媒体の第２のシートは不連続であり、一方、他の実施形態において、フィルタ媒体の第１のシート及びフィルタ媒体の第２のシートは連続し、折り目によって分離されている。追加的に又は代替的に、縦溝閉鎖部は第２の流れ面に隣接している。
【００５０】
追加的に又は代替的に、フィルタアセンブリは、フィルタ媒体の第３のシートを有し、フィルタ媒体の第３のシート及びフィルタ媒体の第２のシートは、第２の複数の縦溝と、第１の流れ面と、第２の流れ面とを相互に画定する。第２の複数の縦溝のそれぞれは、第１の流れ面から第２の流れ面まで延在し、第２の複数の縦溝のそれぞれは、第２の流れ面における縦溝開口部と、第１の流れ面の近くの縦溝閉鎖部とを画定する。追加的に又は代替的に、第２の複数の縦溝は、第１の流れ面から第２の流れ面までの第３の縦溝距離を画定する第３の縦溝を有し、第３の縦溝距離は、第１の縦溝距離及び第２の縦溝距離と２ｍｍを超えて異なる。
【００５１】
追加的に又は代替的に、第１の複数の縦溝は、第３の縦溝距離を画定する第３の縦溝を有し、第３の縦溝距離は、第１の縦溝距離及び第２の縦溝距離と２ｍｍを超えて異なる。追加的に又は代替的に、第１の縦溝距離は、第２の縦溝距離と少なくとも５ｍｍ異なる。追加的に又は代替的に、第１の縦溝距離は、第２の縦溝距離と３ｍｍ〜２０ｍｍ異なる。追加的に又は代替的に、第１の縦溝距離は、第２の縦溝距離と少なくとも８ｍｍ異なる。追加的に又は代替的に、第１の縦溝距離は、第２の縦溝距離と少なくとも１５ｍｍ異なる。
【００５２】
追加的に又は代替的に、第１の流れ面及び第２の流れ面は非平行である。追加的に又は代替的に、第１の流れ面及び第２の流れ面のうちの少なくとも１つは非平面状である。追加的に又は代替的に、第１の流れ面及び第２の流れ面のうちの１つは凹状である。追加的に又は代替的に、第１の流れ面及び第２の流れ面のうちの１つは外方に突出している。追加的に又は代替的に、第１の流れ面及び第２の流れ面のうちの少なくとも１つは平面状である。追加的に又は代替的に、第１の流れ面及び第２の流れ面はどちらも非平面状である。追加的に又は代替的に、第１のシートはフィルタ媒体の縦溝付きシートであり、第２のシートはフィルタ媒体の対面シートである。追加的に又は代替的に、第１のシート及び第２のシートはどちらも、フィルタ媒体の縦溝付きシートである。
【００５３】
いくつかの実施形態において、本明細書に開示される技術は、それぞれがｘ軸に平行な方向に延在する幅とｚ軸に平行な方向に延在する長さとを有する、フィルタ媒体の複数の積層シートを有するパネルフィルタアセンブリを対象とする。フィルタ媒体の複数のシートは、ｙ軸に平行な方向に積み重ねられる。フィルタ媒体の複数のシートは、複数の縦溝と、第１の流れ面と、第２の流れ面とを画定し、複数の縦溝のそれぞれは、第１の流れ面における縦溝開口部と、第２の流れ面の近くの縦溝閉鎖部とを画定する。複数の縦溝の第１の縦溝は、第１の流れ面と第２の流れ面との間の第１の縦溝距離を画定し、複数の縦溝の第２の縦溝は、第１の流れ面と第２の流れ面との間の第２の縦溝距離を画定し、複数の縦溝の第３の縦溝は、第１の流れ面と第２の流れ面との間の第３の縦溝距離を画定し、第２の縦溝は、第１の縦溝にｘ軸方向に隣接し、第３の縦溝は、第１の縦溝に対してｙ軸方向に位置付けられる。第１の縦溝距離は、第２の縦溝距離と２ｍｍを超えて異なり、第１の縦溝距離は、第３の縦溝距離と２ｍｍを超えて異なる。
【００５４】
いくつかのこのような実施形態において、フィルタ媒体の複数の積層シートは不連続である。追加的に又は代替的に、フィルタ媒体の複数の積層シートは連続し、折り目によって分離されている。追加的に又は代替的に、第１の縦溝距離、第２の縦溝距離、及び第３の縦溝距離は、２ｍｍを超えて異なる。追加的に又は代替的に、第１の流れ面及び第２の流れ面のうちの少なくとも１つは非平面状である。追加的に又は代替的に、第１の流れ面及び第２の流れ面のうちの１つは凹状である。追加的に又は代替的に、第１の流れ面及び第２の流れ面のうちの１つは外方に突出している。追加的に又は代替的に、第１の流れ面及び第２の流れ面はどちらも非平面状である。追加的に又は代替的に、第１の流れ面及び第２の流れ面は非平行である。
【００５５】
追加的に又は代替的に、第１の縦溝距離は、第２の縦溝距離及び第３の縦溝距離と少なくとも５ｍｍ異なる。追加的に又は代替的に、第１の縦溝距離は、第２の縦溝距離及び第３の縦溝距離と３ｍｍ〜２０ｍｍ異なる。追加的に又は代替的に、第１の縦溝距離は、第２の縦溝距離及び第３の縦溝距離と少なくとも８ｍｍ異なる。追加的に又は代替的に、第１の縦溝距離は、第２の縦溝距離及び第３の縦溝距離と少なくとも１５ｍｍ異なる。追加的に又は代替的に、フィルタ媒体の複数の積層シートは、フィルタ媒体の交互になる縦溝付きシートと、フィルタ媒体の対面シートとを有する。追加的に又は代替的に、フィルタ媒体の複数の積層シートのそれぞれは、フィルタ媒体の縦溝付きシートである。
【００５６】
いくつかの実施形態は、複数の縦溝と、第１の流れ面を画定する第１の縁部と、フィルタアセンブリに対して第１の流れ面の反対側にある第２の流れ面とを画定するフィルタ媒体を有するフィルタアセンブリを対象とする。複数の縦溝のそれぞれは、第１の流れ面における縦溝開口部と、第２の流れ面の近くの縦溝閉鎖部とを画定する。複数の縦溝は、非平面状である縦溝開口部を画定する少なくとも１つの縦溝を有する。
【００５７】
いくつかのこのような実施形態において、フィルタ媒体は、積層構成のフィルタ媒体の複数のシートである。追加的に又は代替的に、フィルタ媒体の複数のシートは、フィルタ媒体の交互になる縦溝付きシートと、フィルタ媒体の対面シートとを有する。追加的に又は代替的に、フィルタ媒体の複数のシートは、フィルタ媒体の縦溝付きシートである。追加的に又は代替的に、フィルタ媒体は、フィルタ媒体の第１のシートと、ｚ軸のまわりで渦巻状構成であるフィルタ媒体の第２のシートとを有する。追加的に又は代替的に、フィルタ媒体の第１のシートは縦溝付きシートであり、フィルタ媒体の第２のシートは対面シートである。追加的に又は代替的に、フィルタアセンブリはパネルフィルタである。
【００５８】
追加的に又は代替的に、複数の縦溝の第１の縦溝は、第１の流れ面と第２の流れ面との間の第１の縦溝距離を画定し、複数の縦溝の第２の縦溝は、第１の流れ面と第２の流れ面との間の第２の縦溝距離を画定し、第１の縦溝距離は、第２の縦溝距離と２ｍｍを超えて異なる。追加的に又は代替的に、第１の縦溝距離は、第２の縦溝距離と少なくとも５ｍｍ異なる。追加的に又は代替的に、第１の縦溝距離は、第２の縦溝距離と３ｍｍ〜２０ｍｍ異なる。追加的に又は代替的に、第１の縦溝距離は、第２の縦溝距離と少なくとも８ｍｍ異なる。追加的に又は代替的に、第１の縦溝距離は、第２の縦溝距離と少なくとも１５ｍｍ異なる。追加的に又は代替的に、第１の流れ面及び第２の流れ面はどちらも非平面状である。追加的に又は代替的に、第１の流れ面及び第２の流れ面のうちの１つは凹状である。追加的に又は代替的に、第１の流れ面及び第２の流れ面のうちの１つは外方に突出している。追加的に又は代替的に、縦溝閉鎖部は第２の流れ面に隣接している。
【００５９】
本明細書に開示される技術のいくつかの実施形態は、第１の複数の縦溝と、第１の流れ面と、第２の流れ面とを相互に画定するフィルタ媒体の第１のシート及びフィルタ媒体の第２のシートを有するフィルタアセンブリを対象とする。第１の複数の縦溝のそれぞれは、第１の流れ面から第２の流れ面に延在する。第１の複数の縦溝のそれぞれは、第１の流れ面における縦溝開口部と、第２の流れ面の近くの縦溝閉鎖部とを画定する。第１の流れ面及び第２の流れ面は平面状であり、第１の流れ面は、第２の流れ面に対して非平行である。
【００６０】
いくつかのこのような実施形態において、第１のシートはフィルタ媒体の縦溝付きシートであり、第２のシートはフィルタ媒体の対面シートである。追加的に又は代替的に、第１のシート及び第２のシートはどちらも、フィルタ媒体の縦溝付きシートである。追加的に又は代替的に、縦溝閉鎖部は第２の流れ面に隣接している。
【００６１】
追加的に又は代替的に、フィルタアセンブリは、フィルタ媒体の第３のシートを有し、フィルタ媒体の第３のシート及びフィルタ媒体の第２のシートは、第２の複数の縦溝と、第１の流れ面と、第２の流れ面とを相互に画定し、第２の複数の縦溝のそれぞれは、第１の流れ面から第２の流れ面に延在する。第２の複数の縦溝のそれぞれは、第２の流れ面における縦溝開口部と、第１の流れ面の近くの縦溝閉鎖部とを画定する。追加的に又は代替的に、第１の複数の縦溝は、第１の流れ面と第２の流れ面との間の第１の縦溝距離を画定する第１の縦溝と、第１の流れ面と第２の流れ面との間の第２の縦溝距離を画定する第２の縦溝とを有する。第２の複数の縦溝は、第１の流れ面と第２の流れ面との間の第３の縦溝距離を画定する第３の縦溝を有し、第１の縦溝距離、第２の縦溝距離、及び第３の縦溝距離のそれぞれは、２ｍｍを超えて異なる。
【００６２】
追加的に又は代替的に、フィルタアセンブリはパネルフィルタである。追加的に又は代替的に、フィルタ媒体の第１のシート及びフィルタ媒体の第２のシートは、ｚ軸のまわりに渦巻状構成を画定する。追加的に又は代替的に、第１の複数の縦溝の第１の縦溝は、第１の流れ面と第２の流れ面との間の第１の縦溝距離を画定し、第１の複数の縦溝の第２の縦溝は、第１の流れ面と第２の流れ面との間の第２の縦溝距離を画定し、第１の縦溝距離は、第２の縦溝距離と２ｍｍを超えて異なる。追加的に又は代替的に、第１のシート及び第２のシートは不連続である。追加的に又は代替的に、第１のシート及び第２のシートは連続し、折り目によって分離されている。追加的に又は代替的に、第１の流れ面は、フィルタアセンブリに対して第２の流れ面の反対側にある。追加的に又は代替的に、第１の複数の縦溝は平行である。
【００６３】
図１は、本明細書に開示される技術に一致する１つの例示的なフィルタアセンブリを示す。フィルタアセンブリ１は、第１の流れ面２０と、第２の流れ面３０と、第１の流れ面２０から第２の流れ面３０に延在する複数の縦溝４０とを画定するフィルタ媒体１０から構築される。本例において、第１の流れ面は、フィルタアセンブリ１の第１の端部１２上に画定され、第２の流れ面３０は、フィルタアセンブリ１の反対側の第２の端部１４上に画定される。本明細書で画定される「流れ面」は、流体がフィルタアセンブリに出入りするように構成されたフィルタアセンブリの側面である。
【００６４】
フィルタ媒体１０は、フィルタ媒体の複数のシート、特に、フィルタ媒体の第１のシート５０及びフィルタ媒体の第２のシート６０である。フィルタ媒体の第２のシート６０は、フィルタ媒体の第１のシート５０に隣接する。フィルタ媒体の第１のシート５０及びフィルタ媒体の第２のシート６０は、複数の縦溝４０を相互に画定する。フィルタ媒体１０は、ｚ軸のまわりに渦巻状構成を画定する。したがって、フィルタ媒体の第１のシート５０及びフィルタ媒体の第２のシート６０のそれぞれは、ｚ軸のまわりに渦巻状構成を画定する。よって、複数の縦溝４０は、ｚ軸のまわりの渦巻状構成にもある。
【００６５】
フィルタ媒体の第１のシート５０及びフィルタ媒体の第２のシート６０は一般に細長く、それにより、フィルタ媒体の第１のシート５０及びフィルタ媒体の第２のシート６０はｚ軸のまわりで渦巻状になりフィルタアセンブリを形成することができる。この例において、フィルタ媒体の第１のシート５０及びフィルタ媒体の第２のシート６０は連続しており、それは、フィルタ媒体の第１のシート５０及びフィルタ媒体の第２のシート６０がフィルタ媒体の単一の粘着性シートの一部であることを意味する。フィルタ媒体の第１のシート５０及びフィルタ媒体の第２のシート６０は、折り目７０によって分離される。折り目７０は、フィルタアセンブリの第２の流れ面３０を画定する。フィルタ媒体の第１のシート５０は第１の縁部５２を画定し、フィルタ媒体の第２のシート６０は第２の縁部６２を画定する。第１の縁部５２及び第２の縁部６２は、フィルタアセンブリ１の第１の流れ面２０を相互に画定する。媒体シートの「縁部」は、本明細書では、媒体の外側限界として定義され、折り目７０と区別される。
【００６６】
本実施形態と一致する例において、フィルタ媒体の第１のシート５０及びフィルタ媒体の第２のシート６０はどちらも、それぞれ縦溝が付けられている。本明細書で使用される用語「縦溝付き」は、用語「波形」と同義であり、一連の交互になる細長い隆起／頂点及び細長い溝／谷を表す。用語「縦溝」用語は本明細書では、媒体の隣接する部分によって相互に画定される細長いチャンネルを表すのに使用される。本実施形態では、複数の縦溝は平行であるが、いくつかの他の実施形態では、複数の縦溝は平行ではない。
【００６７】
フィルタアセンブリ１は一般に、流体がフィルタ媒体１０によってろ過されるような、フィルタ媒体１０を通る第１の流れ面２０と第２の流れ面３０との間の流体経路１６を画定するように構築される。特に、複数の縦溝４０は、（１）フィルタアセンブリ１の中へ、次いで、フィルタ媒体１０への流体経路１６（「入口縦溝」）、又は、（２）フィルタ媒体１０から、フィルタアセンブリ１の外への流体経路１６（「出口縦溝」）を画定する。本出願で提供される図はそれぞれ、明瞭にするために、示されたフィルタアセンブリを通る特定の方向の流体経路を示すが、流体経路は、さまざまな例において、逆方向とすることもできることが理解されよう。
【００６８】
複数の縦溝４０のそれぞれは、縦溝開口部４２及び縦溝閉鎖部７０を画定する。縦溝開口部４２は、縦溝に沿った流体経路１６の最端部を形成し、フィルタアセンブリ１への又はフィルタアセンブリ１からの流体流れに適合する。縦溝閉鎖部７０は、縦溝に沿った流体流れを遮断し、それによって、フィルタ媒体１０を通る流体経路１６の一部を画定する。本例において、複数の入口縦溝は、第１の流れ面２０における縦溝開口部４２を画定し、縦溝閉鎖部７０は、第２の流れ面３０の近くに画定される。示された実施形態を含む、いくつかの実施形態において、縦溝閉鎖部７０は、第２の流れ面３０に隣接する。より詳細には、縦溝閉鎖部７０は、第２の流れ面３０に当接することができる。縦溝閉鎖部７０は、さまざまな異なる構成を有することができるが、本実施形態では、縦溝閉鎖部７０は、折り目７０によって画定される。
【００６９】
本実施形態において、フィルタ媒体の第１のシートの外面５６とフィルタ媒体の第２のシートの外面６６との間に画定される容積は、複数の縦溝によって画定されることを必ずしも特徴としない流体経路１６の出口経路を画定する。文言「外面」は、フィルタ媒体１０が平坦なシートとして配置される場合に互いに反対側を向くフィルタ媒体の第１のシート及びフィルタ媒体の第２のシートの表面として定義される（渦巻状でないとき。出口経路は、閉塞物７２から、渦巻状の折り目７０の間のフィルタアセンブリ１の第２の端部１４において画定された開口部まで延在する。
【００７０】
閉塞物７２は、渦巻内且つ複数の縦溝４０の外側に配設することができ、それにより、フィルタアセンブリ１の第１の流れ面２０及び第２の流れ面３０を通過する流体は、最初に、フィルタ媒体１０を通過しなければならない。付加的な閉塞物は、フィルタアセンブリ１の外周のまわり、フィルタアセンブリ１の中央開口などのフィルタ媒体の任意の他の間隙に配設し、そこを通る流体流れを阻止することができる。閉塞物は、適切な位置に接着剤ビードなどの接着剤を置くことによって形成することができる。
【００７１】
複数の縦溝４０のそれぞれは、第１の流れ面２０と第２の流れ面３０との間の縦溝距離を画定する。本明細書で画定される「縦溝距離」は、フィルタアセンブリの第１の流れ面の特定の縦溝の第１の端部とフィルタアセンブリの第２の流れ面の特定の縦溝の第２の端部との間の距離である。本実施形態において、複数の縦溝４０のそれぞれは直線状である、よって、縦溝の長さは、本明細書で画定される「縦溝距離」に等しい。しかしながら、いくつかの代替的な実施形態において、たとえば、縦溝が湾曲している、又は、それ以外の場合に、単一の直線を形成していない実施形態においては、「縦溝距離」は、縦溝の長さに等しくない。さらにまた、縦溝の端部間が一定の距離で離れていない実施形態では、「縦溝距離」は、縦溝の端部間の最大距離であるように画定される。
【００７２】
本実施形態において、複数の縦溝４０の第１の縦溝４４は、第１の流れ面２０と第２の流れ面３０との間の第１の縦溝距離Ｄ１を画定し、複数の縦溝４０の第２の縦溝４６は、第１の流れ面２０と第２の流れ面３０との間の第２の縦溝距離Ｄ２を画定する。いくつかの例において、第１の縦溝距離Ｄ１は、本明細書で示されるように、第２の縦溝距離Ｄ２より小さい。いくつかの他の例において、第１の縦溝距離Ｄ１は第２の縦溝距離Ｄ２より大きい。ある実施形態において、第１の縦溝距離Ｄ１及び第２の縦溝距離Ｄ２は、２ｍｍを超えて異なる。いくつかの実施形態において、第１の縦溝距離Ｄ１は、第２の縦溝距離Ｄ２と少なくとも５ｍｍ、少なくとも８ｍｍ、又はさらには少なくとも１５ｍｍ異なる。いくつかの実施形態において、第１の縦溝距離Ｄ１は、第２の縦溝距離Ｄ２と３ｍｍ〜２０ｍｍ、１０ｍｍ〜２０ｍｍ、又は１５ｍｍ〜２５ｍｍ異なる。
【００７３】
いくつかの実施形態において、複数の縦溝４０の第３の縦溝４８は、第１の流れ面２０と第２の流れ面３０との間の第３の縦溝距離Ｄ３を画定する。第３の縦溝距離Ｄ３は一般に、第１の縦溝距離Ｄ１及び第２の縦溝距離Ｄ２のうちの少なくとも１つと２ｍｍを超えて異なる。いくつかの実施形態において、第３の縦溝距離Ｄ３は、第１の縦溝距離Ｄ１及び第２の縦溝距離Ｄ２の両方と２ｍｍを超えて異なる。第３の縦溝距離Ｄ３は、第１の縦溝距離Ｄ１及び第２の縦溝距離Ｄ２の一方又は両方と、上記と同程度の範囲で異なる可能性がある。本例において、第３の縦溝距離Ｄ３は、第１の縦溝距離Ｄ１及び第２の縦溝距離Ｄ２より大きい。いくつかの他の例において、第３の縦溝距離Ｄ３は、理解されるように、第１の縦溝距離Ｄ１及び第２の縦溝距離Ｄ２の一方より大きく、第１の縦溝距離Ｄ１及び第２の縦溝距離Ｄ２の他方より小さい。
【００７４】
フィルタアセンブリ１の第１の流れ面２０とフィルタアセンブリ１の第２の流れ面３０との間の縦溝距離の差は、互いに対する流れ面の形状によっても証明される。さまざまな実施形態において、第１の流れ面２０及び第２の流れ面３０のうちの少なくとも１つは非平面状である。さまざまな実施形態において、第１の流れ面２０及び第２の流れ面３０のうちの少なくとも１つは略平面状である。本明細書で定義される「平面状の」流れ面は、流れ面を画定する媒体の表面が２ｍｍの誤差範囲内で仮想平面を形成することを意味する。
【００７５】
この特定の実施形態と一致するいくつかの例において、第１の流れ面２０は非平面状であり、第２の流れ面３０は平面状である。この特定の実施形態と一致するいくつかの他の例において、第１の流れ面２０は非平面状であり、第２の流れ面３０は非平面状である。ここで、第１の流れ面２０は、軸方向に延在するＺ軸のまわりに螺旋を画定する。第２の流れ面３０は本図では見えないが、第２の流れ面３０は非平面状又は平面状である可能性があることが理解されるであろう。たとえば、いくつかの実施形態において、第２の流れ面３０は、図１５に示された流れ面と同様に、凹状で、フィルタアセンブリに対して内方に延在することができる。
【００７６】
いくつかの代替的な実施形態において、第１の流れ面２０が平面状である可能性があり、第２の流れ面３０が非平面状である可能性があることが理解されるであろう。いくつかの実施形態において、複数の縦溝４０の少なくとも１つの縦溝は、非平面状である縦溝開口部を画定し、ここで、「非平面状」は、縦溝開口部が２ｍｍの誤差範囲内で平面を画定しないことを意味する。
【００７７】
本実施形態と一致する例において、閉塞物７２は、フィルタ媒体の第２のシート６０の長さに沿って、フィルタ媒体の第２のシート６０の第２の縁部６２に隣接して配設される。フィルタ媒体の第２のシート６０の第２の縁部６２が非平面状であるので、閉塞物７２も非平面状である。フィルタ面が非平面状であるいくつかの実施形態において、フィルタ面に隣接して配設される閉塞物も非平面状である。しかしながら、フィルタ面が非平面状である他の実施形態において、たとえば、図２ａに示される実施形態において、そのフィルタ面に隣接して配設される閉塞物は平面状である。
【００７８】
図２ａは、本明細書に開示される技術に一致する別の例示的なフィルタアセンブリ１００を示す。フィルタアセンブリ１００は、第１の流れ面１２０と、第２の流れ面１３０と、第１の流れ面１２０から第２の流れ面１３０に延在する複数の縦溝１４０とを画定するフィルタ媒体１１０から構築される。本例において、第１の流れ面１２０は、フィルタアセンブリ１００の第１の端部１０２上に画定され、第２の流れ面１３０は、フィルタアセンブリ１００の反対側の第２の端部１０４上に画定される。
【００７９】
フィルタ媒体１１０は、フィルタ媒体の複数のシート、特に、フィルタ媒体の第１のシート１５０及びフィルタ媒体の第２のシート１６０である。フィルタ媒体の第２のシート１６０は、フィルタ媒体の第１のシート１５０に隣接する。フィルタ媒体の第１のシート１５０及びフィルタ媒体の第２のシート１６０は、複数の縦溝１４０を相互に画定する。フィルタ媒体１１０は、ｚ軸のまわりに渦巻状構成を画定する。したがって、フィルタ媒体の第１のシート１５０及びフィルタ媒体の第２のシート１６０のそれぞれは、ｚ軸のまわりに渦巻状構成を画定する。よって、複数の縦溝１４０は、ｚ軸のまわりの渦巻状構成にもある。そうでなければ見ることができない構成要素を示すために、フィルタ媒体１１０の端部１０１が渦巻から外方に延在する断面図に示されているが、一般に、フィルタ媒体１１０の略全長が渦巻状構成である。この例では、複数の縦溝１４０は略平行である。
【００８０】
フィルタ媒体の第１のシート１５０及びフィルタ媒体の第２のシート１６０は一般に細長い。この例では、フィルタ媒体の第１のシート１５０及びフィルタ媒体の第２のシート１６０は不連続であり、それは、フィルタ媒体の第１のシート１５０及びフィルタ媒体の第２のシート１６０がフィルタ媒体の別々のシートであることを意味する。本実施形態と一致する例において、フィルタ媒体の第１のシート１５０は縦溝付きシートであり、フィルタ媒体の第２のシート１６０は対面シートであり、ここで、「対面シート」は一般に、平面状の縦溝のないシートとして定義される。
【００８１】
フィルタ媒体の第１のシート１５０は、第１の縁部１５２と、第１の縁部１５２の反対側にある第２の縁部１５４とを画定する。第１の縁部１５２は第１の流れ面１２０を画定し、第２の縁部１５４は第２の流れ面１３０を画定する。フィルタ媒体の第１のシート１５０は、第１の縁部１５２又は第１の流れ面１２０から、第２の縁部１５４又は第２の流れ面１３０までの垂直距離によって画定される第１の幅Ｗ１を有し、第１の幅Ｗ１は、フィルタ媒体の第１のシート１５０に沿って略一定である。同様に、フィルタ媒体の第２のシート１６０は、第３の縁部１６２と、第３の縁部１６２の反対側にある第４の縁部１６４とを画定する。第３の縁部１６２は第１の流れ面１２０を画定し、第４の縁部１６４は第２の流れ面１３０を画定する。フィルタ媒体の第２のシート１６０は、第３の縁部１６２又は第１の流れ面１２０から、第４の縁部１６４又は第２の流れ面１３０までの垂直距離によって画定される第２の幅Ｗ２を有し、幅は、フィルタ媒体の第２のシート１６０に沿って略一定である。本実施形態において、第１の幅Ｗ１は、第２の幅Ｗ２と２ｍｍを超えて異なる。
【００８２】
フィルタアセンブリ１００は一般に、流体がフィルタ媒体１１０によってろ過されるような、フィルタ媒体１１０を通る第１の流れ面１２０と第２の流れ面１３０との間の流体経路１１６を画定するように構築される。複数の縦溝１４０のそれぞれは、縦溝開口部１４２を画定し、それらは、図２ｂで、図２ａの詳細図として、より明確に見ることができる。複数の縦溝１４０のそれぞれは、縦溝閉鎖部１７０を画定し、それらは、フィルタ媒体の第１のシート１５０の一部が明瞭にするために切り取られているので、図２ａで見ることができる。本例において、縦溝開口部１４２は、第１の流れ面１２０において画定され、縦溝閉鎖部１７０は、第２の流れ面１３０の近くに画定される。示された実施形態を含む、いくつかの実施形態において、縦溝閉鎖部１７０は、第２の流れ面１３０に隣接する。より詳細には、縦溝閉鎖部１７０は、第２の流れ面１３０に当接することができる。縦溝閉鎖部１７０は、さまざまな異なる構成を有することができるが、本実施形態において、縦溝閉鎖部１７０は、フィルタ媒体の第１のシート１５０とフィルタ媒体の第２のシート１６０との間の、第２の流れ面の近くに配設される接着剤ビードなどの物理的バリアである。
【００８３】
閉塞物１７２は、渦巻内且つ複数の縦溝１４０の外側に配設することができ、それにより、フィルタアセンブリ１００の第１の流れ面１２０及び第２の流れ面１３０を通過する流体は、最初に、フィルタ媒体１１０を通過しなければならない。付加的な閉塞物は、フィルタアセンブリ１００の外周のまわり、フィルタアセンブリ１００の中央開口などのフィルタ媒体での意の他の間隙に配設し、そこを通る流体流れを阻止することができる。閉塞物は、適切な位置に接着剤ビード又は他のバリアなどの接着剤を置くことによって形成することができる。
【００８４】
示された実施形態を含む、さまざまな実施形態において、第１の流れ面１２０及び第２の流れ面１３０のうちの少なくとも１つは非平面状である。この特定の実施形態と一致する例において、第１の流れ面１２０は非平面状であり、第２の流れ面１３０は非平面状である。特に、第１の縁部１５２が平面状であり、且つ、第３の縁部１６２が平面状であるにもかかわらず、第１の流れ面１２０を画定する第１の縁部１５２及び第３の縁部１６２（特に、図２ｂで見ることができる）は非平面状である。第２の縁部１５４が平面状であり、且つ、第４の縁部１６４は平面状であるにもかかわらず、第２の流れ面１３０を画定する第２の縁部１５４及び第４の縁部１６４は同様に非平面状である。本実施形態において、縦溝閉鎖部１７０は、フィルタ媒体の第２のシート１６０の第４の縁部１６４に隣接して配設される、よって、縦溝閉鎖部１７０は略平面状であるが、いくつかの代替的な例において、縦溝閉鎖部１７０は非平面状である。同様に、閉塞物１７２は、フィルタ媒体の第２のシート１６０の第３の縁部１６２に隣接して配設される、その結果、閉塞物１７２も平面状であるが、いくつかの代替的な例において、閉塞物は非平面状である１７２。
【００８５】
さまざまな実施形態において、この例示的実施形態の第１の縦溝１４４（図２ｂ）などの、複数の縦溝の少なくとも１つの縦溝は、非平面状である開口部を画定する。特に、本実施形態では、複数の縦溝１４０のすべてが、一方の縦溝開口部を画定する第１の縁部１５２及び第３の縁部１６２、並びに、他方の縦溝開口部を画定する第２の縁部１５４及び第４の縁部１６４によって、非平面状開口部を画定する。
【００８６】
図３は、本明細書に開示される技術に一致するさらに別の例示的なフィルタアセンブリ２００の側断面図を示す。フィルタアセンブリ２００は、第１の流れ面２２０を画定する第１の細長い縁部２１２と、第２の流れ面２３０を画定する第２の細長い縁部２１４と、第１の流れ面２２０から第２の流れ面２３０に延在する複数の縦溝２４０とを有するフィルタ媒体２１０から構築される。本例において、第１の流れ面２２０は、フィルタアセンブリ２００の第１の端部２０２上に画定され、第２の流れ面２３０は、フィルタアセンブリ２００の反対側の第２の端部２０４上に画定される。図１〜２ｂに示された実施形態と同様に、フィルタアセンブリ２００は一般に、流体がフィルタ媒体２１０によってろ過されるような、フィルタ媒体２１０を通る第１の流れ面２２０と第２の流れ面２３０との間の流体経路２１８を画定するように構築される。よって、複数の縦溝２４０のそれぞれは、縦溝開口部と縦溝閉鎖部とを画定する。また、図１〜２ｂに示された実施形態と同様に、フィルタアセンブリ２００は、ｚ軸のまわりで渦巻状構成であるフィルタ媒体２１０から構築される。図３及び本明細書に開示される他の実施形態に一致する例示的なフィルタ媒体２１０構成は、図４ａ〜４ｄを参照して以下でさらに詳細に説明される。
【００８７】
図３に戻ると、複数の縦溝２４０のそれぞれは、第１の流れ面２２０と第２の流れ面２３０との間の縦溝距離を画定する。本実施形態において、複数の縦溝２４０の第１の縦溝２４４は、第１の流れ面２２０と第２の流れ面２３０との間の第１の縦溝距離Ｄ１を画定し、複数の縦溝２４０の第２の縦溝２４６は、第１の流れ面２２０と第２の流れ面２３０との間の第２の縦溝距離Ｄ２を画定する。本実施形態において、第１の縦溝距離Ｄ１は第２の縦溝距離Ｄ２より小さいが、他の実施形態において、第１の縦溝距離Ｄ１は第２の縦溝距離Ｄ２より大きい。さまざまな実施形態において、第１の縦溝距離Ｄ１及び第２の縦溝距離Ｄ２は、２ｍｍを超えて異なる。いくつかの実施形態において、第１の縦溝距離Ｄ１は、第２の縦溝距離Ｄ２と少なくとも５ｍｍ、少なくとも８ｍｍ、又はさらには少なくとも１５ｍｍ異なる。いくつかの実施形態において、第１の縦溝距離Ｄ１は、第２の縦溝距離Ｄ２と３ｍｍ〜２０ｍｍ、１０ｍｍ〜２０ｍｍ、又は１５ｍｍ〜２５ｍｍ異なる。
【００８８】
いくつかの実施形態において、複数の縦溝２４０の第３の縦溝２４８は、第１の流れ面２２０と第２の流れ面２３０との間の第３の縦溝距離Ｄ３を画定する。本実施形態において、第３の縦溝距離Ｄ３は、第１の縦溝距離Ｄ１及び第２の縦溝距離Ｄ２より大きいが、縦溝距離は、上記のような他の相対関係を有することができる。第３の縦溝距離Ｄ３は一般に、第１の縦溝距離Ｄ１及び第２の縦溝距離Ｄ２のうちの少なくとも１つと２ｍｍを超えて異なる。いくつかの実施形態において、第３の縦溝距離Ｄ３は、第１の縦溝距離Ｄ１及び第２の縦溝距離Ｄ２の両方と２ｍｍを超えて異なる。第３の縦溝距離Ｄ３は、第１の縦溝距離Ｄ１及び第２の縦溝距離Ｄ２の一方又は両方と、上記と同程度の範囲で異なる可能性がある。
【００８９】
さまざまな実施形態において、第１の流れ面２２０及び第２の流れ面２３０のうちの少なくとも１つは平面状である。この特定の実施形態と一致する例において、第１の流れ面２２０は平面状であり、第２の流れ面２３０は平面状であり、第１の流れ面２２０は第２の流れ面２３０に非平行である。いくつかの実施形態において、第１の流れ面及び第２の流れ面の一方又は両方は非平面状である可能性がある。たとえば、第１の流れ面及び第２の流れ面の一方又は両方は、三次元表面であるように切断することができる。
【００９０】
図３のフィルタアセンブリ２００は、フィルタ媒体２１０のさまざまな構成から構築することができ、その例は、図４ａ〜４ｄに関連して表現及び説明され、この文書において後で全般的にも説明される。最初に図４ａを参照すると、例示的なフィルタ媒体２１０は、フィルタ媒体の複数のシート、特に、フィルタ媒体の第１のシート２５０及びフィルタ媒体の第２のシート２６０である。フィルタ媒体の第２のシート２６０は、フィルタ媒体の第１のシート２５０に隣接する。フィルタ媒体の第１のシート２５０及びフィルタ媒体の第２のシート２６０は、複数の縦溝２４０を相互に画定する。ここで、図３に一致するような巻かれてない配置で示されるが、フィルタ媒体２１０は、ｚ軸（図３）のまわりの渦巻状構成で配置される。したがって、フィルタ媒体の第１のシート２５０及びフィルタ媒体の第２のシート２６０のそれぞれは、ｚ軸のまわりに渦巻状構成を画定するように配置される。よって、複数の縦溝２４０は、ｚ軸のまわりの渦巻状構成にもある。この例では、複数の縦溝２４０は略平行である。図４ａの実施形態と一致する例において、フィルタ媒体の第１のシート２５０は縦溝付きシートであり、フィルタ媒体の第２のシート２６０は縦溝付きシートである。
【００９１】
フィルタ媒体の第１のシート２５０及びフィルタ媒体の第２のシート２６０は一般に細長い。この例では、フィルタ媒体の第１のシート２５０及びフィルタ媒体の第２のシート２６０は連続し、折り目２７０によって分離されている。折り目２７０は、図３に示されたフィルタアセンブリ２００の第２の流れ面２３０及び第２の細長い縁部２１４を画定する。フィルタ媒体の第１のシート２５０は第１の縁部２５２を画定し、フィルタ媒体の第２のシート２６０は第２の縁部２６２を画定する。第１の縁部２５２及び第２の縁部２６２は、フィルタアセンブリ２００の第１の流れ面２２０、したがって、第１の細長い縁部２１２を相互に画定するように構成される（図３）。
【００９２】
本例のフィルタ媒体２１０において、複数の縦溝２４０の縦溝開口部２４２（図４ａで見ることができる）は、第１の流れ面２２０（図３で見ることができる）で画定され、縦溝閉鎖部２７０（図４ａで見ることができる）は、第２の流れ面２３０（図３で見ることができる）の近くに画定される。示された実施形態を含む、いくつかの実施形態において、縦溝閉鎖部２７０は、第２の流れ面２３０（図３）に隣接する。より詳細には、縦溝閉鎖部２７０は、第２の流れ面２３０に当接することができる。縦溝閉鎖部２７０は、さまざまな異なる構成を有することができるが、図４ａの実施形態において、縦溝閉鎖部２７０は、フィルタ媒体の第１のシート２５０とフィルタ媒体の第２のシート２６０との間の折り目２７０である。
【００９３】
閉塞物２７２は、複数の縦溝２４０の外側に配設することができ、それにより、フィルタアセンブリ２００の第１の流れ面２２０及び第２の流れ面２３０（図３）を通過する流体は、最初に、フィルタ媒体２１０を通過しなければならない。閉塞物は、図３のファイラ組立体２００の構築中、フィルタ媒体２１０の第１の細長い縁部２１２の近くに配設することができる。説明されたように、付加的な閉塞物は、フィルタアセンブリ２００の外周のまわり、フィルタアセンブリ２００の中央開口などのフィルタ媒体２１０で任意の他の間隙に配設し、そこを通る流体流れを阻止することができる。閉塞物は、適切な位置に接着剤ビードなどの接着剤を置くことによって形成することができる。
【００９４】
すでに述べたように、図３のフィルタアセンブリ２００を構築するために、図４ａのフィルタ媒体２１０がｚ軸のまわりに巻かれて、閉塞物２７２が適切な位置にフィルタ媒体２１０と接触して配設されて、媒体を通る望ましい流体流れを引き出す。さまざまな実施形態において、フィルタ媒体２１０が円筒形状に巻かれた後、フィルタ媒体２１０は、第１の流れ面２２０の望ましい形状を形成するように切断される。図３に示された実施形態では、第１の流れ面２２０は、切断ツールで切断して、第２の流れ面２３０に非平行である平面を形成することができる。本実施形態と一致する例において、第２の流れ面２３０は一般に、流体流れを導く閉塞物を形成する折り目２７０が存在するために切断されない。いくつかの例では、フィルタ媒体２１０はレーザー断を使用して切断することができ、他の例では、フィルタ媒体２１０は、鋸又はナイフブレードなどの鋭い刃を使用して切断することができる。このような実施形態において、閉塞物２７２は、切断及び除去されない位置に、フィルタ媒体２１０と接触して配設することができる。
【００９５】
いくつかの代替的な実施形態において、フィルタ媒体２１０の第１の細長い縁部２１２は、フィルタ媒体２１０が巻かれた後、関連する流れ面の意図された形状を形成するために巻かれる前に切断される。
【００９６】
図４ｂは、フィルタ媒体が巻かれて切断される前の、図３に示された実施形態に一致する別のフィルタ媒体２１０を示す。フィルタ媒体２１０は、フィルタ媒体の複数のシート、特に、フィルタ媒体の第１のシート２５７及びフィルタ媒体の第２のシート２６７である。フィルタ媒体の第２のシート２６７は、フィルタ媒体の第１のシート２５７に隣接する。フィルタ媒体の第１のシート２５７及びフィルタ媒体の第２のシート２６７は、図３に示された複数の縦溝２４０を相互に画定する。
【００９７】
フィルタ媒体の第１のシート２５７及びフィルタ媒体の第２のシート２６７は一般に細長い。この例では、フィルタ媒体の第１のシート２５７及びフィルタ媒体の第２のシート２６７は不連続である。フィルタ媒体の第１のシート２５７は第１の縁部２５４を画定し、フィルタ媒体の第２のシート２６７は第２の縁部２６４を画定する。第１の縁部２５４及び第２の縁部２６４は、フィルタアセンブリ２００の第１の流れ面２２０、したがって、第１の細長い縁部２１２を相互に画定するように構成される（図３）。フィルタ媒体の第１のシート２５７は第３の縁部２５６を画定し、フィルタ媒体の第２のシート２６７は第４の縁部２６６を画定する。第３の縁部２５６及び第４の縁部２６６は、フィルタアセンブリ２００の第２の流れ面２３０、したがって、第２の細長い縁部２１４を相互に画定するように構成される（図３）。
【００９８】
図３のフィルタアセンブリ２００の構築のために、フィルタ媒体２１０はｚ軸のまわりに渦巻状構成で配置される（図３）。したがって、フィルタ媒体の第１のシート２５７及びフィルタ媒体の第２のシート２６７のそれぞれは、ｚ軸のまわりに渦巻状構成を画定するように配置される。よって、複数の縦溝２４０は、ｚ軸のまわりの渦巻状構成にもある。この例では、複数の縦溝２４０は略平行である。図４ｂの実施形態と一致する例において、フィルタ媒体の第１のシート２５７は縦溝付きシートであり、フィルタ媒体の第２のシート２６７も縦溝付きシートである。
【００９９】
本例のフィルタ媒体２１０において、縦溝開口部２４５（図４ｂで見ることができる）は、第１の流れ面２２０（図３で見ることができる）で画定され、縦溝閉鎖部２７５（図４ｂの切取り部で見ることができる）は、第２の流れ面２３０（図３で見ることができる）の近くに画定される。図４ｂに示された実施形態を含む、いくつかの実施形態において、縦溝閉鎖部２７５は、第２の流れ面２３０（図３）に隣接する。より詳細には、縦溝閉鎖部２７５は、第２の流れ面２３０に当接することができる。縦溝閉鎖部２７５は、さまざまな異なる構成を有することができるが、図４ｂの実施形態において、縦溝閉鎖部２７５は、フィルタ媒体の第１のシート２５７とフィルタ媒体の第２のシート２６７との間に置かれた接着剤ビードなどの物理的閉塞物である。
【０１００】
閉塞物２７３は、複数の縦溝２４０の外側に配設することができ、それにより、フィルタアセンブリ２００の第１の流れ面２２０及び第２の流れ面２３０（図３）を通過する流体は、最初に、フィルタ媒体２１０を通過しなければならない。閉塞物は、図３のフィルタアセンブリ２００の構築中、フィルタ媒体２１０の第１の細長い縁部２１２の近くに配設することができる。説明されたように、付加的な閉塞物は、フィルタアセンブリ２００の外周のまわり、フィルタアセンブリ２００の中央開口などのフィルタ媒体２１０で任意の他の間隙に配設し、そこを通る流体流れを阻止することができる。
【０１０１】
図４ｂのフィルタ媒体２１０は、上記の図４ａに記載のフィルタ媒体と同様に、切断して、フィルタアセンブリ２００へと形成することができる。
【０１０２】
図４ｃは、フィルタ媒体が巻かれて切断される前の、図３に示された実施形態に一致するさらに別のフィルタ媒体２１０を示す。フィルタ媒体２１０は、フィルタ媒体の複数のシート、特に、フィルタ媒体の第１のシート２５１及びフィルタ媒体の第２のシート２６１である。フィルタ媒体の第２のシート２６１は、フィルタ媒体の第１のシート２５１に隣接する。フィルタ媒体の第１のシート２５１及びフィルタ媒体の第２のシート２６１は、複数の縦溝２４０を相互に画定する。
【０１０３】
フィルタ媒体の第１のシート２５１及びフィルタ媒体の第２のシート２６１は一般に細長い。この例では、フィルタ媒体の第１のシート２５１及びフィルタ媒体の第２のシート２６１は不連続である。フィルタ媒体の第１のシート２５１は第１の縁部２５３を画定し、フィルタ媒体の第２のシート２６１は第２の縁部２６３を画定する。第１の縁部２５３及び第２の縁部２６３は、フィルタアセンブリ２００の第１の流れ面２２０、したがって、第１の細長い縁部２１２を相互に画定するように構成される（図３）。フィルタ媒体の第１のシート２５１は第３の縁部２５５を画定し、フィルタ媒体の第２のシート２６１は第４の縁部２６５を画定する。第３の縁部２５５及び第４の縁部２６５は、フィルタアセンブリ２００の第２の流れ面２３０、したがって、第２の細長い縁部２１４を相互に画定するように構成される（図３）。
【０１０４】
図３のフィルタアセンブリ２００の構築のために、フィルタ媒体２１０はｚ軸のまわりに渦巻状構成で配置される（図３）。したがって、フィルタ媒体の第１のシート２５１及びフィルタ媒体の第２のシート２６１のそれぞれは、ｚ軸のまわりに渦巻状構成を画定するように配置される。よって、複数の縦溝２４０は、ｚ軸のまわりの渦巻状構成にもある。この例では、複数の縦溝２４０は略平行である。図４ｃの実施形態と一致する例において、フィルタ媒体の第１のシート２５１は縦溝付きシートであり、フィルタ媒体の第２のシート２６１は対面シートである。
【０１０５】
本例のフィルタ媒体２１０において、縦溝開口部２４３（図４ｃで見ることができる）は、第１の流れ面２２０（図３で見ることができる）で画定され、縦溝閉鎖部２７１（図４ｂの切取り部で見ることができる）は、第２の流れ面２３０（図３で見ることができる）の近くに画定される。図４ｃに示された実施形態を含む、いくつかの実施形態において、縦溝閉鎖部２７１は、第２の流れ面２３０（図３）に隣接する。より詳細には、縦溝閉鎖部２７１は、第２の流れ面２３０に当接することができる。縦溝閉鎖部２７１は、さまざまな異なる構成を有することができるが、図４ｃの実施形態において、縦溝閉鎖部２７１は、フィルタ媒体の第１のシート２５１とフィルタ媒体の第２のシート２６１との間に置かれた接着剤ビードなどの物理的閉塞物である。
【０１０６】
閉塞物２７３は、複数の縦溝２４０の外側に配設することができ、それにより、フィルタアセンブリ２００の第１の流れ面２２０及び第２の流れ面２３０（図３）を通過する流体は、最初に、フィルタ媒体２１０を通過しなければならない。閉塞物は、図３のフィルタアセンブリ２００の構築中、フィルタ媒体２１０の第１の細長い縁部２１２の近くに配設することができる。説明されたように、付加的な閉塞物は、フィルタアセンブリ２００の外周のまわり、フィルタアセンブリ２００の中央開口などのフィルタ媒体２１０で任意の他の間隙に配設し、そこを通る流体流れを阻止することができる。
【０１０７】
図４ｃのフィルタ媒体２１０は、上記の図４ａに記載のフィルタ媒体と同様に、切断して、フィルタアセンブリ２００へと形成することができる。
【０１０８】
図４ｄは、図４ａ〜４ｃに示されたものより比較的大きいフィルタ媒体２１０の細長いセグメントの正面図であり、巻かれてない構成のフィルタ媒体２１０の一般的な全体形状の理解をもたらす。図４ｄは一般に、図４ａ〜４ｃのそれぞれに示された媒体に一致することができる。図４ｄは、フィルタ媒体２１０が、第１の細長い縁部２８０と、第２の細長い縁部２８２と、第１の端縁部２８４と、第２の端縁部２８６とを有することを示す。第１の細長い縁部２８０は、上記の図４ａ〜４ｃにおけるフィルタ媒体の第１のシートの第１の縁部及びフィルタ媒体の第２のシートの第２の縁部に対応する。よって、第１の細長い縁部２８０は、フィルタアセンブリの第１の流れ面２２０（図３）も画定する。第２の細長い縁部２８２は、図４ａにおけるフィルタ媒体の第１のシートとフィルタ媒体の第２のシートとの間の折り目２７０、又は、図４ｂ〜４ｃのフィルタ媒体の第１のシートの第３の縁部及びフィルタ媒体の第２のシートの第４の縁部に対応することができる。
【０１０９】
第１の細長い縁部２８０は一般に、フィルタ媒体２１０の長さにわたって周波数が増加又は減少する正弦波パターンを形成する。第２の細長い縁部２８２は略直線的に延在する。同様に、第１の端縁部２８４及び第２の端縁部２８６は直線的に延在し、それぞれ、第２の細長い縁部２８２に対して垂直である。本例において、フィルタ媒体２１０は、少なくとも第１の細長い縁部２８０の波形パターンによる台形状を形成しない。
【０１１０】
図５は、本明細書に開示される技術に一致する別の例示的なフィルタアセンブリ３００を示す。フィルタアセンブリ３００は、パネルフィルタアセンブリである。フィルタアセンブリ３００は、第１の流れ面３２０と、第２の流れ面３３０と、第１の流れ面３２０から第２の流れ面３３０に延在する複数の縦溝３４０とを画定するフィルタ媒体３１０から構築される。図５の本例において、第１の流れ面３２０は、フィルタアセンブリ３００の第１の端部３０２上に画定され、第２の流れ面３３０は、フィルタアセンブリ３００の反対側の第２の端部３０４上に画定される。図５の本例において、第１の流れ面３２０は非平面状であり、第２の流れ面３３０は略平面状であるが、いくつかの他の実施形態において、第１の流れ面３２０及び第２の流れ面３３０のそれぞれは、非平面状である可能性がある。
【０１１１】
フィルタ媒体３１０は、フィルタ媒体の複数のシートである。特に、フィルタ媒体の複数のシートは、フィルタ媒体の交互になる縦溝付きシート３５２と、フィルタ媒体の交互になる対面シート３５４とを有する。フィルタ媒体の複数のシートは積層構成である。フィルタ媒体の複数のシートのそれぞれは不連続である。フィルタ媒体の各シートは、フィルタアセンブリ３００の第１の流れ面３２０を画定する第１の縁部３１２を有する。本実施形態において、フィルタ媒体の各シートは、フィルタアセンブリ３００の第２の流れ面３３０を画定する第２の縁部３１４を有する。フィルタ媒体の複数のシートは、複数の縦溝３４０を累積的に画定する。複数の縦溝３４０のそれぞれは、縦溝開口部３４２と、縦溝閉鎖部３７０とを画定し、ここで、対面シート３５４の一部が縦溝付きシート３５２から切り取られており、例示的な縦溝閉鎖部３７０を見ることができる。複数の縦溝３４０のそれぞれは、第１の流れ面３２０から第２の流れ面３３０まで延在する縦溝距離を画定する。この例では、複数の縦溝３４０は略平行である。複数の縦溝３４０は、上流側縦溝又は下流側縦溝である可能性がある。
【０１１２】
フィルタ媒体の複数のシートによって画定される複数の縦溝３４０は、縦溝層の規則的に交互になるパターンで配置される。第１の縦溝層３５０は、第２の縦溝層３６０と規則的に交互に並ぶ。第１の縦溝層３５０はそれぞれ、第１の流れ面３２０と第２の流れ面３３０との間の第１の層距離Ｌ１を有する。第２の層のそれぞれは、第１の流れ面３２０と第２の流れ面３３０との間の第２の層距離Ｌ２を有する。本例では、第１の層距離Ｌ１は第２の層距離Ｌ２より小さいが、他の例では、第１の層距離Ｌ１は第２の層距離Ｌ２より大きい。第１の層距離Ｌ１及び第２の層距離Ｌ２は一般に、２ｍｍを超えて異なる。さまざまな実施形態において、第１の層距離Ｌ１は、第２の層距離Ｌ２と少なくとも５ｍｍ異なる。いくつかの実施形態において、第１の層Ｌ１は、第２の層距離Ｌ２と３ｍｍ〜２０ｍｍ異なる。いくつかの実施形態において、第１の層距離Ｌ１は、第２の層距離Ｌ２と少なくとも８ｍｍ異なる。いくつかのこのような実施形態において、第１の層距離Ｌ１は、第２の層距離Ｌ２と少なくとも１４ｍｍ異なる。
【０１１３】
第１の縦溝層３５０の個々の縦溝は、縦溝付きシート３５２及び隣接する対面シート３５４によって画定される。同様に、第２の層３６０のそれぞれは、縦溝付きシート３６２及び隣接する対面シート３６４によって画定される。図５の例において、各縦溝層の各縦溝付きシート及び対面シートは、第１の流れ面３２０と第２の流れ面３３０との間に略等しい距離を画定する。しかしながら、いくつかの実施形態において、少なくとも１つの縦溝層の各縦溝付きシート及び対面シートは、２ｍｍを超えて異なる距離を画定する。また、図５の実施形態において、各縦溝層は、（図５において矢印によって表される）深さ方向ｄに、第１の流れ面３２０と第２の流れ面３３０との間の略一定の距離を画定する。これは、第１の流れ面３２０と第２の流れ面３３０との間の各縦溝層によって画定される距離が、縦溝層における各縦溝の第１の流れ面３２０と第２の流れ面３３０との間の縦溝距離と等しいことを意味する。しかしながら、いくつかの実施形態において、フィルタ媒体の１つ又は複数のシートに関する第１の流れ面と第２の流れ面との間に画定される距離は、深さ方向において変化する可能性があり、その場合、第１の流れ面と第２の流れ面との間の縦溝距離は、縦溝層を特徴づけるのに使用することができる。
【０１１４】
図５に示された実施形態を含む、いくつかの実施形態において、フィルタ媒体の複数のシートは、第１の縦溝層３５０及び第２の縦溝層３６０と規則的に交互に並ぶ第３の縦溝層３８０をさらに画定する。各第３の縦溝層３８０は、第１の流れ面３２０と第２の流れ面３３０との間の第３の層距離Ｌ３を画定する。本実施形態において、第３の層距離Ｌ３は第１の層距離Ｌ１より大きく、第３の層距離Ｌ３は第２の層距離Ｌ２より小さいが、説明されたように、他の相対関係は可能である。ここで示された例では、第３の層距離Ｌ３は、第１の層距離Ｌ１及び第２の層距離Ｌ２と２ｍｍを超えて異なる。
【０１１５】
さらにまた、図５の本例において、フィルタ媒体の複数のシートは、第４の縦溝層３９０の規則的に交互になるパターンを画定し、各第４の縦溝層は、第１の流れ面３２０と第２の流れ面３３０との間の第４の層距離Ｌ４を画定する。第４の層距離Ｌ４は、第１の層距離Ｌ１、第２の層距離Ｌ２、及び第３の層距離Ｌ３のそれぞれより小さいが、前述のとおり、他の相対関係は可能である。第４の層距離Ｌ４は、第１の層距離Ｌ１、第２の層距離Ｌ２、及び第３の層距離Ｌ３と２ｍｍを超えて異なる。第１の縦溝層３５０及び第２の縦溝層３６０と同様に、第３の縦溝層３８０及び第４の縦溝層３９０はそれぞれ、縦溝付きシート３８２、３９２及び対面シート（見ることはできない）を有する。代替的な実施形態において、付加的な、又は、より少ない縦溝層が、本技術に一致するフィルタアセンブリに組み込むことができる。本例（及び、以下の図６ａを参照して論じられる例）では、各規則的に交互になる層は、第１の流れ面３２０と第２の流れ面３３０との間に異なる距離を画定するが、いくつかの例では、２つ以上の規則的に交互になる層が、第１の流れ面と第２の流れ面との間に同じ距離を画定することができる。
【０１１６】
図６ａは、本明細書に開示される技術に一致する別の例示的なフィルタアセンブリ４００の斜視図を示し、図６ｂは、例示的なフィルタアセンブリ４００の第１の流れ面４２０における正面図を示す。フィルタアセンブリ４００は、パネルフィルタアセンブリである。フィルタアセンブリ４００は、第１の流れ面４２０と、第２の流れ面４３０と、第１の流れ面４２０から第２の流れ面４３０に延在する複数の縦溝４４０とを画定するフィルタ媒体４１０から構築される。第１の流れ面４２０は、フィルタアセンブリ４００の第１の端部４０２上に画定され、第２の流れ面４３０は、フィルタアセンブリ４００の反対側の第２の端部４０４上に画定される。図６の本例では、第１の流れ面４２０及び第２の流れ面４３０はどちらも非平面状であるが、いくつかの他の実施形態では、第１の流れ面４２０及び第２の流れ面４３０の一方のみ非平面状であり、第１の流れ面４２０及び第２の流れ面４３０の他方は平面状である。
【０１１７】
フィルタ媒体４１０は、フィルタ媒体の複数のシートである。特に、フィルタ媒体の複数のシートは、フィルタ媒体の縦溝付きシートを有する。フィルタ媒体の複数のシートは積層構成である。フィルタ媒体の複数のシートは、互いに対して連続している。フィルタ媒体の各シートは、フィルタアセンブリ４００の第１の流れ面４２０を画定する第１の折り目４１２を有する。本実施形態において、フィルタ媒体の各シートは、フィルタアセンブリ４００の第２の流れ面４３０を画定する第２の折り目４１４を有する。フィルタ媒体の複数のシート４１０は、複数の縦溝４４０を累積的に画定する。複数の縦溝４４０のそれぞれは、縦溝開口部４４２と、縦溝閉鎖部４７０とを画定し、縦溝閉鎖部４７０は、第１の流れ面４２０の第１の折り目４１２の対と、第２の流れ面４３０の第２の折り目４１４の対との間に画定される。いくつかの代替的な実施形態において、縦溝閉鎖部は、フィルタ媒体の隣接するシートを分離する単一の折り曲げ線によって画定することができる。この例では、複数の縦溝４４０は略平行である。複数の縦溝４４０は、上流側縦溝又は下流側縦溝である可能性がある。
【０１１８】
フィルタ媒体の複数のシートは、第１の縦溝層４５０及び第２の縦溝層４６０の規則的に交互になるパターンを画定する。第１の縦溝層４５０はそれぞれ、第１の流れ面４２０と第２の流れ面４３０との間の第１の層距離Ｌ１を有する。第２の縦溝層４６０のそれぞれは、第１の流れ面４２０と第２の流れ面４３０との間の第２の層距離Ｌ２を有する。第２の層距離Ｌ２は、本例では、第１の層距離Ｌ１より小さいが、いくつかの実施形態では、第２の層距離Ｌ２は、第１の層距離Ｌ１より大きい。第１の層距離Ｌ１及び第２の層距離Ｌ２は一般に、２ｍｍを超えて異なる。さまざまな実施形態において、第１の層距離Ｌ１は、第２の層距離Ｌ２と少なくとも５ｍｍ異なる。いくつかの実施形態において、第１の層Ｌ１は、第２の層距離Ｌ２と４ｍｍ〜２０ｍｍ異なる。いくつかの実施形態において、第１の層距離Ｌ１は、第２の層距離Ｌ２と少なくとも８ｍｍ異なる。いくつかのこのような実施形態において、第１の層距離Ｌ１は、第２の層距離Ｌ２と少なくとも１４ｍｍ異なる。
【０１１９】
第１の縦溝層４５０のそれぞれは、第１の縦溝付きシート４５２及び隣接する第２の縦溝付きシート４５４によって画定される。同様に、第２の縦溝層４６０のそれぞれは、第３の縦溝付きシート４６２及び隣接する第４の縦溝付きシート４６４によって画定される。図５に関する上記の実施形態と同様に、図６ａの本実施形態において、各縦溝層は、深さ方向ｄ２に、第１の流れ面４２０と第２の流れ面４３０との間の略一定の距離を画定する。これは、各縦溝層によって画定される距離が、縦溝層における各縦溝の第１の流れ面４２０と第２の流れ面４３０との間の縦溝距離と等しいことを意味する。しかしながら、いくつかの実施形態において、フィルタ媒体の１つ又は複数のシートが第１の流れ面４２０と第２の流れ面４３０との間に画定する距離は、深さ方向ｄ２において変化する可能性がある。
【０１２０】
図５に示された前の例と同様に、付加的な交互になる縦溝層が、本明細書に開示される技術に一致するフィルタアセンブリに組み込むことができる。
【０１２１】
図７は、本明細書に開示される技術に一致するさらに別の例示的なフィルタアセンブリ７００の斜視図を示す。フィルタアセンブリ７００は、第１の複数の縦溝７４０と、第１の流れ面７２０と、フィルタアセンブリ７００に対して第１の流れ面の反対側の第２の流れ面７３０とを累積的に画定する積層構成の、フィルタ媒体７１０の複数のシートから構築されるパネルフィルタである。フィルタ媒体７１０の複数の積層シートは、フィルタ媒体の交互になる縦溝付きシート及びフィルタ媒体の対面シートである。フィルタ媒体７１０の複数の積層シートは不連続である。さまざまな実施形態において、第１の流れ面７２０及び第２の流れ面７３０のうちの少なくとも１つは非平面状である。
【０１２２】
第１の複数の縦溝７４０のそれぞれは、第１の流れ面７２０における縦溝開口部７４２と、第２の流れ面７３０の近くの縦溝閉鎖部７４４とを画定する。いくつかの実施形態において、複数の縦溝７４０の少なくとも１つの縦溝７４５は、非平面状である縦溝開口部７４２を画定する。第１の複数の縦溝７４０のそれぞれは、第１の流れ面７２０から第２の流れ面７３０までの縦溝距離を画定する。フィルタ媒体７１０の各シートは、ｘ軸に平行な方向に延在する幅とｚ軸に平行な方向に延在する長さとを有することを特徴とすることができる。フィルタ媒体７１０の複数のシートは、ｙ軸に平行な方向に積み重ねられる。
【０１２３】
複数の実施形態において、フィルタアセンブリ７００は、第１の流れ面７２０と、第２の流れ面７３０と、第１の複数の縦溝７４０の一部とを相互に画定するフィルタ媒体の第１のシート７５０及びフィルタ媒体の第２のシート７６０を少なくとも有する。この例では、フィルタ媒体の第１のシート７５０は縦溝付きシートであり、フィルタ媒体の第２のシート７６０は対面シートである。第１の複数の縦溝７４０の第１の縦溝７４１は、第１の縦溝距離ｄ１を画定し、第１の複数の縦溝７４０の第２の縦溝７４３は、第２の縦溝距離ｄ２を画定する。本例では、第１の縦溝距離ｄ１は第２の縦溝距離ｄ２より大きいが、いくつかの他の例では、第１の縦溝距離ｄ１は第２の縦溝距離ｄ２より小さい。第１の縦溝距離ｄ１及び第２の縦溝距離ｄ２は、２ｍｍを超えて異なる。いくつかの実施形態において、第１の縦溝距離ｄ１及び第２の縦溝距離ｄ２は、少なくとも５ｍｍ異なる。いくつかの実施形態において、第１の縦溝距離ｄ１及び第２の縦溝距離ｄ２は、３ｍｍ〜２０ｍｍ異なる。いくつかの実施形態において、第１の縦溝距離ｄ１及び第２の縦溝距離ｄ２は、少なくとも８ｍｍ異なる。いくつかの実施形態において、第１の縦溝距離ｄ１及び第２の縦溝距離ｄ２は、少なくとも１５ｍｍ異なる。
【０１２４】
フィルタアセンブリ７００は、フィルタ媒体の第３のシート７７０も有し、フィルタ媒体の第３のシート及びフィルタ媒体の第２のシート７６０は、第２の複数の縦溝７８０と、第１の流れ面７２０と、第２の流れ面７３０とを相互に画定する。第２の複数の縦溝７８０のそれぞれは、第１の流れ面７２０から第２の流れ面７３０まで延在する。第２の複数の縦溝７８０のそれぞれは、第２の流れ面７３０における縦溝開口部（この図では見ることができない）と、第１の流れ面７２０の近くの縦溝閉鎖部とを画定する。縦溝閉鎖部は、第１の流れ面７２０の近くで、フィルタ媒体の第２のシート７６０とフィルタ媒体の第３のシート７７０との間に配設された閉塞物である可能性がある。第２の複数の縦溝７８０は、第１の流れ面７２０と第２の流れ面７３０との間の第３の縦溝距離ｄ３を画定する第３の縦溝７４７を有することができる。本例では、第３の縦溝距離ｄ３は、第１の縦溝距離ｄ１及び第２の縦溝距離ｄ２より大きいが、前述と同様に、縦溝距離の間の交互の相対関係が意図される。第１の縦溝距離ｄ１は、第３の縦溝距離ｄ３と２ｍｍを超えて異なる。いくつかの実施形態において、第１の縦溝距離ｄ１、第２の縦溝距離ｄ２、及び第３の縦溝距離ｄ３のそれぞれは、２ｍｍを超えて異なる。いくつかの実施形態において、第１の縦溝距離ｄ１は、第２の縦溝距離ｄ２及び第３の縦溝距離ｄ３と本明細書の前述の量及び範囲で異なる。
【０１２５】
図７の本例では、第２の縦溝７４３は、第１の縦溝７４１にｘ軸方向に隣接するが、いくつかの他の実施形態では、第２の縦溝７４３は、第１の縦溝７４１に隣接していない。いくつかの実施形態では、第３の縦溝７４７は、第１の縦溝７４１に対してｙ軸方向に位置付けられているが、他の実施形態では、第３の縦溝７４７は、第１の縦溝７４１に対してｙ軸方向に位置付けられていない。いくつかの代替的な実施形態において、第３の縦溝７４７は、第１の複数の縦溝７４０の縦溝である可能性がある。
【０１２６】
本例において、第１の流れ面７２０は非平面状であり、第２の流れ面７３０は平面状である。代替的な例示的実施形態において、第１の流れ面及び第２の流れ面はどちらも非平面状である。いくつかの実施形態において、第１の流れ面及び第２の流れ面は平面状であり、互いに非平行である。さまざまな実施形態では、複数の縦溝７４０は平行であるが、いくつかの実施形態では、複数の縦溝７４０は平行でない。
【０１２７】
図１〜２ｂに示された実施形態と同様に、フィルタアセンブリ７００は一般に、流体がフィルタ媒体７１０によってろ過されるような、フィルタ媒体７１０を通る第１の流れ面７２０と第２の流れ面７３０との間の流体経路７１８を画定するように構築される。
【０１２８】
さまざまな実施形態において、第１の流れ面７２０及び第２の流れ面７３０のうちの少なくとも１つは平面状である。図７の特定の実施形態と一致する例において、第１の流れ面７２０は平面状であり、第２の流れ面７３０は平面状であり、第１の流れ面７２０は第２の流れ面７３０に非平行である。代替的な実施形態において、第１の流れ面及び第２の流れ面の一方又は両方は非平面状である可能性がある。たとえば、第１の流れ面及び第２の流れ面の一方又は両方は、三次元表面であるように切断することができる。
【０１２９】
図８は、本明細書に開示される技術に一致するさらに別の例示的なフィルタアセンブリ８００の斜視図を示す。フィルタアセンブリ８００は、第１の複数の縦溝８４０と、第１の流れ面８２０と、フィルタアセンブリ８００に対して第１の流れ面の反対側の第２の流れ面８３０とを画定する積層構成の、フィルタ媒体８１０の複数のシートから構築されるパネルフィルタである。フィルタ媒体８１０の複数の積層シートは、フィルタ媒体の縦溝付きシートである。フィルタ媒体８１０の複数の積層シートは不連続である。さまざまな実施形態では、第１の流れ面８２０及び第２の流れ面８３０のうちの少なくとも１つは非平面状であり、本実施形態では、第１の流れ面８２０及び第２の流れ面８３０はどちらも非平面状である。
【０１３０】
フィルタ媒体８１０の複数のシートは、複数の縦溝８４０を累積的に画定する。第１の複数の縦溝８４０のそれぞれは、第１の流れ面８２０における縦溝開口部８４２と、第２の流れ面８３０の近くの縦溝閉鎖部（図示せず）とを画定し、ここで、縦溝閉鎖部は、上記の、少なくとも図２ａ及び４ｂに示されたものと同様である。いくつかの実施形態において、複数の縦溝８４０の少なくとも１つの縦溝８４５は、非平面状である縦溝開口部８４２を画定する。第１の複数の縦溝８４０のそれぞれは、第１の流れ面８２０から第２の流れ面８３０までの縦溝距離を画定する。フィルタ媒体８１０の各シートは、ｘ軸に平行な方向に延在する幅とｚ軸に平行な方向に延在する長さとを有することを特徴とすることができる。フィルタ媒体８１０の複数のシートは、ｙ軸に平行な方向に積み重ねられる。
【０１３１】
複数の実施形態において、フィルタアセンブリ８００は、第１の流れ面８２０と、第２の流れ面８３０と、第１の複数の縦溝８４０の一部とを相互に画定するフィルタ媒体の第１のシート８５０及びフィルタ媒体の第２のシート８６０を少なくとも有する。この例では、フィルタ媒体の第１のシート８５０及びフィルタ媒体の第２のシート８６０はどちらも、縦溝付きシートである。第１の複数の縦溝８４０の一部の第１の縦溝８４１は、第１の縦溝距離ｄ１を画定し、第１の複数の縦溝８４０の第２の縦溝８４３は、第２の縦溝距離ｄ２を画定する。本例では、第１の縦溝距離ｄ１は第２の縦溝距離ｄ２より大きいが、いくつかの他の実施例では、第１の縦溝距離ｄ１は第２の縦溝距離ｄ２より小さい。第１の縦溝距離ｄ１及び第２の縦溝距離ｄ２は、２ｍｍを超えて異なり、前述の量及び範囲でさらに異なる可能性がある。
【０１３２】
フィルタアセンブリ８００は、フィルタ媒体の第３のシート８７０も有し、フィルタ媒体の第３のシート及びフィルタ媒体の第２のシート８６０は、第２の複数の縦溝８８０と、第１の流れ面８２０と、第２の流れ面８３０とを相互に画定する。第２の複数の縦溝８８０のそれぞれは、第１の流れ面８２０から第２の流れ面８３０まで延在する。第２の複数の縦溝８８０のそれぞれは、第２の流れ面８３０における縦溝開口部（この図では見ることができない）と、第１の流れ面８２０の近くの縦溝閉鎖部とを画定する。縦溝閉鎖部は、第１の流れ面８２０の近くで、フィルタ媒体の第２のシート８６０とフィルタ媒体の第３のシート８７０との間に配設された閉塞物である可能性がある。
【０１３３】
第２の複数の縦溝８８０は、第１の流れ面８２０と第２の流れ面８３０との間の第３の縦溝距離ｄ３を画定する第３の縦溝８４７を有することができる。本例では、第３の縦溝距離ｄ３は、第１の縦溝距離ｄ１及び第２の縦溝距離ｄ２より大きいが、縦溝距離の間の交互の相対関係が意図される。第１の縦溝距離ｄ１は、第３の縦溝距離ｄ３と２ｍｍを超えて異なる。いくつかの実施形態において、第１の縦溝距離ｄ１、第２の縦溝距離ｄ２、及び第３の縦溝距離ｄ３のそれぞれは、２ｍｍを超えて異なる。いくつかの実施形態において、第１の縦溝距離ｄ１は、第２の縦溝距離ｄ２及び第３の縦溝距離ｄ３と本明細書の前述の量及び範囲で異なる。
【０１３４】
本例では、第２の縦溝８４３は、第１の縦溝８４１にｘ軸方向に隣接するが、いくつかの他の実施形態では、第２の縦溝８４３は、第１の縦溝８４１に隣接していない。いくつかの実施形態では、第３の縦溝８４７は、第１の縦溝８４１に対してｙ軸方向に位置付けられているが、他の実施形態では、第３の縦溝８４７は、第１の縦溝８４１に対してｙ軸方向に位置付けられていない。いくつかの代替的な実施形態において、第３の縦溝８４７は、第１の複数の縦溝８４０の縦溝である可能性がある。
【０１３５】
本例において、第１の流れ面８２０は非平面状であり、第２の流れ面８３０は非平面状である。特に、第１の流れ面８２０は、フィルタアセンブリ８００に対して凹状である。同様に、第２の流れ面８３０は、フィルタアセンブリに対して凹状である。代替的な実施例において、第１の流れ面及び第２の流れ面はどちらも平面状であり、互いに対して非平行である。いくつかの実施形態では、第１の複数の縦溝８４０は平行であるが、いくつかの実施形態では、第１の複数の縦溝８４０は平行でない。
【０１３６】
上記の実施形態と同様に、フィルタアセンブリ８００は一般に、流体がフィルタ媒体８１０によってろ過されるような、フィルタ媒体８１０を通る第１の流れ面８２０と第２の流れ面８３０との間の流体経路８１８を画定するように構築される。
【０１３７】
図７及び８で説明及び表現される例示的なフィルタアセンブリは、さまざまな異なるアプローチによって構築することができる。少なくとも１つの実施形態において、縦溝閉塞物は、適切な位置でフィルタ媒体の隣接するシートの間に置かれ、フィルタ媒体のシートは積み重ねられる。次いで、積み重ねられた媒体は、切断ツールによって切断され（その例は図３に関して上で述べられた）、第１の流れ面及び／又は第２の流れ面を望ましい構成に形成する。代替的な実施形態において、流れ面に対応するフィルタ媒体のシートの縁部は、望ましい構成に切断され、次いで、媒体の切断されたシートは積み重ねられて、フィルタアセンブリに形成される。フィルタ媒体のシートが切断される前又は切断された後に、縦溝閉塞物はフィルタ媒体のシート上に置くことができる。
【０１３８】
図９は、本明細書に開示される技術に一致するさらに別の例示的なフィルタアセンブリ９００の斜視図を示す。フィルタアセンブリ９００は、第１の複数の縦溝９４０と、フィルタアセンブリ９００の第１の流れ面９２０と、フィルタアセンブリ９００に対して第１の流れ面９２０の反対側の第２の流れ面９３０とを画定する積層構成の、フィルタ媒体９１０の複数のシートから構築されるパネルフィルタである。フィルタ媒体９１０の複数のシートは、フィルタ媒体の縦溝付きシートである。さまざまな実施形態では、第１の流れ面９２０及び第２の流れ面９３０のうちの少なくとも１つは非平面状であり、本実施形態では、第１の流れ面９２０は非平面状であり、第２の流れ面９３０は平面状である。
【０１３９】
フィルタ媒体９１０の複数のシートは、互いに対して連続している。フィルタ媒体の各シートは、フィルタアセンブリ９００の第１の流れ面９２０を画定する第１の折り目９１２を有する。フィルタ媒体９１０の各シートは、フィルタアセンブリ９００の第２の流れ面９３０を画定する第２の折り目９１４（そのほんの一部のみ見ることができる）を有する。第１の複数の縦溝９４０のそれぞれは、第１の流れ面９２０における縦溝開口部９４２と、第２の流れ面９３０の近くの縦溝閉鎖部９１６とを画定する。縦溝閉鎖部９１６は、第２の流れ面９３０上でフィルタ媒体によって画定され、フィルタ媒体は、第２の流れ面９３０上の隣接する第２の折り目９１４の間で延在する。
【０１４０】
いくつかの実施形態において、複数の縦溝９４０の少なくとも１つの縦溝９４５は、非平面状である縦溝開口部９４２を画定する。第１の複数の縦溝９４０のそれぞれは、第１の流れ面９２０から第２の流れ面９３０までの縦溝距離を画定する。フィルタ媒体９１０の各シートは、ｘ軸に平行な方向に延在する幅とｚ軸に平行な方向に延在する長さとを有することを特徴とすることができる。フィルタ媒体９１０の複数のシートは、ｙ軸に平行な方向に積み重ねられる。
【０１４１】
複数の実施形態において、フィルタアセンブリ９００は、第１の流れ面９２０と、第２の流れ面９３０と、第１の複数の縦溝９４０の一部とを相互に画定するフィルタ媒体の第１のシート９５０及びフィルタ媒体の第２のシート９６０を少なくとも有する。この例では、フィルタ媒体の第１のシート９５０及びフィルタ媒体の第２のシート９６０はどちらも、縦溝付きシートである。第１の複数の縦溝９４０の一部の第１の縦溝９４１は、第１の縦溝距離ｄ１を画定し、第１の複数の縦溝９４０の第２の縦溝９４３は、第２の縦溝距離ｄ２を画定する。本例では、第１の縦溝距離ｄ１は第２の縦溝距離ｄ２より小さいが、いくつかの他の例では、第１の縦溝距離ｄ１は第２の縦溝距離ｄ２より大きい。第１の縦溝距離ｄ１及び第２の縦溝距離ｄ２は、２ｍｍを超えて異なり、前述の量及び範囲でさらに異なる可能性がある。
【０１４２】
フィルタアセンブリ９００は、フィルタ媒体の第３のシート９７０も有し、フィルタ媒体の第３のシート及びフィルタ媒体の第２のシート９６０は、第２の複数の縦溝９８０と、第１の流れ面９２０と、第２の流れ面９３０とを相互に画定する。第２の複数の縦溝９８０のそれぞれは、第１の流れ面９２０から第２の流れ面９３０まで延在する。第２の複数の縦溝９８０のそれぞれは、第２の流れ面９３０における縦溝開口部（この図では見ることができない）と、第１の流れ面９２０の近くの縦溝閉鎖部９１６とを画定する。縦溝閉鎖部は、第１の流れ面９２０の近くで、フィルタ媒体の第２のシート９６０とフィルタ媒体の第３のシート９７０との間に配設された閉塞物である可能性がある。本実施形態において、縦溝閉鎖部９１６は、図６ａ及び６ｂに関して説明されたものと同様に、１つ又は複数の折り目９１２によって画定されるフィルタ媒体の一部である。第２の複数の縦溝９８０は、第１の流れ面９２０と第２の流れ面９３０との間の第３の縦溝距離ｄ３を画定する第３の縦溝９８１を有することができる。本例では、第３の縦溝距離ｄ３は、（ここでの見る角度からは明確ではないが）第１の縦溝距離ｄ１及び第２の縦溝距離ｄ２より大きいが、縦溝距離の間の交互の相対関係が意図される。第１の縦溝距離ｄ１は、第３の縦溝距離ｄ３と２ｍｍを超えて異なる。いくつかの実施形態において、第１の縦溝距離ｄ１、第２の縦溝距離ｄ２、及び第３の縦溝距離ｄ３のそれぞれは、２ｍｍを超えて異なる。いくつかの実施形態において、第１の縦溝距離ｄ１は、第２の縦溝距離ｄ２及び第３の縦溝距離ｄ３と本明細書の前述の量及び範囲で異なる。
【０１４３】
図９の本例では、第２の縦溝９４３は、第１の縦溝９４１にｘ軸方向に隣接するが、いくつかの他の実施形態では、第２の縦溝９４３は、第１の縦溝９４１に隣接していない。いくつかの実施形態では、第３の縦溝９８１は、第１の縦溝９４１に対してｙ軸方向に位置付けられているが、他の実施形態では、第３の縦溝９８１は、第１の縦溝９４１に対してｙ軸方向に位置付けられていない。いくつかの代替的な実施形態において、第３の縦溝９８１は、第１の複数の縦溝９４０の縦溝である可能性がある。
【０１４４】
図９の本例において、第１の流れ面９２０は非平面状であり、第２の流れ面９３０は平面状である。代替的な例示的実施形態において、第１の流れ面及び第２の流れ面はどちらも平面状であり、互いに対して非平行である。いくつかの実施形態では、第１の複数の縦溝９４０は平行であるが、いくつかの代替的な実施形態では、第１の複数の縦溝９４０は平行でない。また、本実施形態では、フィルタ媒体はひだを付けられているが、いくつかの他の実施形態では、媒体はひだを付けられていない。
【０１４５】
上記の実施形態と同様に、フィルタアセンブリ９００は一般に、流体がフィルタ媒体９１０によってろ過されるような、フィルタ媒体９１０を通る第１の流れ面９２０と第２の流れ面９３０との間の流体経路９１８を画定するように構築される。
【０１４６】
図１０は、本明細書に開示される技術に一致するさらに別の例示的なフィルタアセンブリ１０００の斜視図を示す。フィルタアセンブリ１０００は、第１の複数の縦溝１０４０と、フィルタアセンブリ１０００の第１の流れ面１０２０と、フィルタアセンブリ１０００に対して第１の流れ面１０２０の反対側の第２の流れ面１０３０とを画定する積層構成の、フィルタ媒体１０１０の複数のシートから構築されるパネルフィルタである。フィルタ媒体１０１０の複数のシートは、フィルタ媒体の縦溝付きシートである。本実施形態において、第１の流れ面１０２０は平面状であり、第２の流れ面１０３０は平面状であり、第１の流れ面１０２０は第２の流れ面１０３０に非平行である。
【０１４７】
フィルタ媒体１０１０の複数のシートは、互いに対して連続している。フィルタ媒体の各シートは、フィルタアセンブリ１０００の第１の流れ面１０２０を画定する第１の折り目１０１２を有する。フィルタ媒体１０１０の各シートは、フィルタアセンブリ１０００の第２の流れ面１０３０を画定する第２の折り目１０１４（そのほんの一部のみ見ることができる）を有する。第１の複数の縦溝１０４０のそれぞれは、第１の流れ面１０２０における縦溝開口部１０４２と、第２の流れ面１０３０の近くの縦溝閉鎖部１０１６とを画定する。縦溝閉鎖部１０１６は、第２の流れ面１０３０上でフィルタ媒体によって画定され、フィルタ媒体は、第２の流れ面１０３０上の隣接する第２の折り目１０１４の間で延在する。縦溝閉鎖部１０１６は、図６ａ及び６ｂの議論で説明されたものと同様である可能性がある。
【０１４８】
第１の複数の縦溝１０４０のそれぞれは、第１の流れ面１０２０から第２の流れ面１０３０までの縦溝距離を画定する。フィルタ媒体１０１０の各シートは、ｘ軸に平行な方向に延在する幅とｚ軸に平行な方向に延在する長さとを有することを特徴とすることができる。フィルタ媒体１０１０の複数のシートは、ｙ軸に平行な方向に積み重ねられる。
【０１４９】
複数の実施形態において、フィルタアセンブリ１０００は、第１の流れ面１０２０と、第２の流れ面１０３０と、第１の複数の縦溝１０４０の一部とを相互に画定するフィルタ媒体の第１のシート１０５０及びフィルタ媒体の第２のシート１０６０を少なくとも有する。この例では、フィルタ媒体の第１のシート１０５０及びフィルタ媒体の第２のシート１０６０はどちらも、縦溝付きシートである。第１の複数の縦溝１０４０の一部の第１の縦溝１０４１は、第１の縦溝距離ｄ１を画定し、第１の複数の縦溝１０４０の第２の縦溝１０４３は、第２の縦溝距離ｄ２を画定する。本例では、第１の縦溝距離ｄ１は第２の縦溝距離ｄ２より小さいが、いくつかの他の実施例では、第１の縦溝距離ｄ１は第２の縦溝距離ｄ２より大きい。第１の縦溝距離ｄ１及び第２の縦溝距離ｄ２は、２ｍｍを超えて異なり、前述の量及び範囲でさらに異なる可能性がある。
【０１５０】
フィルタアセンブリ１０００は、フィルタ媒体の第３のシート１０７０も有し、フィルタ媒体の第３のシート及びフィルタ媒体の第２のシート１０６０は、第２の複数の縦溝１０８０と、第１の流れ面１０２０と、第２の流れ面１０３０とを相互に画定する。第２の複数の縦溝１０８０のそれぞれは、第１の流れ面１０２０から第２の流れ面１０３０まで延在する。第２の複数の縦溝１０８０のそれぞれは、第２の流れ面１０３０における縦溝開口部（この図では見ることができない）と、第１の流れ面１０２０の近くの縦溝閉鎖部１０１６とを画定する。縦溝閉鎖部は、第１の流れ面１０２０の近くで、フィルタ媒体の第２のシート１０６０とフィルタ媒体の第３のシート１０７０との間に配設された閉塞物である可能性がある。本実施形態において、縦溝閉鎖部１０１６は、１つ又は複数の折り目１０１２によって画定されるフィルタ媒体の一部である。
【０１５１】
第２の複数の縦溝１０８０は、第１の流れ面１０２０と第２の流れ面１０３０との間の第３の縦溝距離ｄ３を画定する第３の縦溝１０８１を有することができる。本例では、第３の縦溝距離ｄ３は、第１の縦溝距離ｄ１及び第２の縦溝距離ｄ２より小さいが、いくつかの実施形態では、第３の縦溝距離ｄ３は、第１の縦溝距離ｄ１及び第２の縦溝距離ｄ２の一方又は両方より大きい。第１の縦溝距離ｄ１は、第３の縦溝距離ｄ３と２ｍｍを超えて異なる。いくつかの実施形態において、第１の縦溝距離ｄ１、第２の縦溝距離ｄ２、及び第３の縦溝距離ｄ３のそれぞれは、２ｍｍを超えて異なる。いくつかの実施形態において、第１の縦溝距離ｄ１は、第２の縦溝距離ｄ２及び第３の縦溝距離ｄ３と本明細書の前述の量及び範囲で異なる。
【０１５２】
図１０の本例では、第２の縦溝１０４３は、第１の縦溝１０４１にｘ軸方向に隣接するが、いくつかの他の実施形態では、第２の縦溝１０４３は、第１の縦溝１０４１に隣接していない。いくつかの実施形態では、第３の縦溝１０８１は、第１の縦溝１０４１に対してｙ軸方向に位置付けられているが、他の実施形態では、第３の縦溝１０８１は、第１の縦溝１０４１に対してｙ軸方向に位置付けられていない。いくつかの代替的な実施形態において、第３の縦溝１０８１は、第１の複数の縦溝１０４０の縦溝である可能性がある。
【０１５３】
いくつかの実施形態では、第１の複数の縦溝１０４０は平行であるが、いくつかの実施形態では、第１の複数の縦溝１０４０は平行でない。また、本実施形態では、フィルタ媒体はひだを付けられているが、いくつかの他の実施形態では、ひだのある媒体はひだを付けられておらず、閉塞物は、フィルタ媒体のシートの間に位置付けられて、縦溝の端部を封鎖する。
【０１５４】
上記の実施形態と同様に、フィルタアセンブリ１０００は一般に、流体がフィルタ媒体１０１０によってろ過されるような、フィルタ媒体１０１０を通る第１の流れ面１０２０と第２の流れ面１０３０との間の流体経路１０１８を画定するように構築される。
【０１５５】
図１１Ａは、本明細書に開示される技術に一致する１つの例示的なフィルタアセンブリを示す。フィルタアセンブリ５００は、第１の流れ面５２０と、第２の流れ面５３０と、第１の流れ面５２０から第２の流れ面５３０に延在する複数の縦溝５４０とを画定するフィルタ媒体５１０から構築される。本例において、第１の流れ面５１０は、フィルタアセンブリ５００の第１の端部５０２上に画定され、第２の流れ面５３０は、フィルタアセンブリ５００の反対側の第２の端部５０４上に画定される。
【０１５６】
フィルタ媒体５１０は、フィルタ媒体の複数のシート、特に、フィルタ媒体の第１のシート５１２及びフィルタ媒体の第２のシート５１４である。平坦な巻かれてない配置におけるフィルタ媒体５１０の一部を示すフィルタ媒体の第２のシート５１４は、図１１Ｂで見ることができ、図１１Ａに一致するフィルタアセンブリ５００の渦巻状フィルタ媒体５１０と区別される。図１１Ｂは、フィルタ媒体の第２のシート５１４の正面図である。フィルタ媒体の第２のシート５１４は、フィルタ媒体の第１のシート５１２に隣接する。フィルタ媒体の第１のシート５１２及びフィルタ媒体の第２のシート５１４は、複数の縦溝５４０を相互に画定する。フィルタ媒体５１０は、ｚ軸のまわりに渦巻状構成を画定する。したがって、フィルタ媒体の第１のシート５１２及びフィルタ媒体の第２のシート５１４のそれぞれは、ｚ軸のまわりに渦巻状構成を画定する。よって、複数の縦溝５４０は、ｚ軸のまわりの渦巻状構成にもある。
【０１５７】
図１１Ｂで見ることができるように、フィルタ媒体５１０（特に、フィルタ媒体の第１のシート５１２及びフィルタ媒体の第２のシート５１４）は一般に細長く、それにより、フィルタ媒体の第１のシート５１２及びフィルタ媒体の第２のシート５１４はｚ軸のまわりで渦巻状になりフィルタアセンブリを形成することができる。この例では、フィルタ媒体の第１のシート５１２及びフィルタ媒体の第２のシート５１４は不連続である。フィルタ媒体の第１のシート５１２は、第１の縁部５１１及び第２の縁部５１３を画定する（図１１Ａ）。フィルタ媒体の第２のシート５１４は、第３の縁部５１５及び第４の縁部５１７を画定する（図１１Ｂ）。第１の縁部５１１及び第３の縁部５１５は、フィルタアセンブリ５００の第１の流れ面５２０を相互に画定する。第２の縁部５１３及び第４の縁部５１７は、フィルタアセンブリ５００の第２の流れ面５３０を相互に画定する。第１の縁部５１１及び第３の縁部５１５はそれぞれ、起伏線又は波形線を個々に形成する。第２の縁部５１３及び第４の縁部５１７はそれぞれ、直線を個々に形成する。本実施形態に一致する例のフィルタ媒体５１０は、４つの縁部を有する。フィルタ媒体５１０の形状は一般に、起伏形／波形縁部のために、非長方形且つ非台形である。特に、第１の縁部５１１及び第３の縁部５１５は、複数の凹状形状及び凸状形状を相互に画定する。
【０１５８】
本実施形態と一致する例において、フィルタ媒体の第１のシート５１２は縦溝が付けられ、フィルタ媒体の第２のシート５１４は対面シートである。本実施形態では、複数の縦溝は平行であるが、いくつかの他の実施形態では、複数の縦溝は平行でない。
【０１５９】
フィルタアセンブリ５００は一般に、流体がフィルタ媒体５１０によってろ過されるような、フィルタ媒体５１０を通る第１の流れ面５２０と第２の流れ面５３０との間の流体経路５０６を画定するように構築される。特に、複数の縦溝５４０は、図１で説明されたものと同様に、入口縦溝又は出口縦溝のいずれかを画定する。
【０１６０】
複数の縦溝５４０のそれぞれは、縦溝開口部５４２と、縦溝閉鎖部（見ることはできない）とを画定する。縦溝開口部５４２は、縦溝に沿った流体経路５０６の最端部を形成し、フィルタアセンブリ５００への又はフィルタアセンブリ５００からの流体流れに適合する。縦溝閉鎖部は、縦溝に沿った流体流れを遮断し、それによって、フィルタ媒体５１０を通る流体経路５０６の一部を画定する。そのため、たとえば、複数の入口縦溝は、第１の流れ面５２０における縦溝開口部５４２を画定することができ、縦溝閉鎖部は、第２の流れ面５３０の近くの複数の入口縦溝にわたって画定される。いくつかの実施形態において、縦溝閉鎖部は、第２の流れ面５３０に隣接する。より詳細には、縦溝閉鎖部は、第２の流れ面５３０に当接することができる。縦溝閉鎖部は、上で論じられた縦溝閉鎖部と同様である可能性がある。
【０１６１】
本実施形態において、フィルタ媒体の第１のシート５１２（図１１Ａ）の外面５１６とフィルタ媒体の第２のシート５１４（図１１Ｂ）の外面５１８との間に画定される容積は、フィルタ媒体が渦巻状である（図１１Ａ）とき、複数の縦溝によって画定されることを必ずしも特徴としない流体経路５０６を画定する。
【０１６２】
閉塞物は、渦巻内且つ複数の縦溝５４０の外側に配設することができ、それにより、フィルタアセンブリ５００の第１の流れ面５２０及び第２の流れ面５３０を通過する流体は、最初に、フィルタ媒体５１０を通過しなければならない。付加的な閉塞物は、フィルタアセンブリ５００の外周のまわり、フィルタアセンブリ５００の中央開口などのフィルタ媒体の任意の他の間隙にも配設し、そこを通る流体流れを阻止することができる。閉塞物は、適切な位置に接着剤ビードなどの接着剤を置くことによって形成することができる。
【０１６３】
複数の縦溝５４０のそれぞれは、第１の流れ面５２０と第２の流れ面５３０との間の縦溝距離を画定する。本実施形態において、複数の縦溝５４０の第１の縦溝５４４は、第１の流れ面５２０と第２の流れ面５３０との間の第１の縦溝距離Ｄ１を画定し、複数の縦溝５４０の第２の縦溝５４６は、第１の流れ面５２０と第２の流れ面５３０との間の第２の縦溝距離Ｄ２を画定する。いくつかの実施例において、第１の縦溝距離Ｄ１は、本明細書で示されるように、第２の縦溝距離Ｄ２より小さい。いくつかの他の実施例において、第１の縦溝距離Ｄ１は第２の縦溝距離Ｄ２より大きい。ある実施形態において、第１の縦溝距離Ｄ１及び第２の縦溝距離Ｄ２は、２ｍｍを超えて異なる。いくつかの実施形態において、第１の縦溝距離Ｄ１は、第２の縦溝距離Ｄ２と少なくとも５ｍｍ、少なくとも８ｍｍ、又はさらには少なくとも１５ｍｍ異なる。いくつかの実施形態において、第１の縦溝距離Ｄ１は、第２の縦溝距離Ｄ２と３ｍｍ〜５２０ｍｍ、５１０ｍｍ〜５２０ｍｍ、又は１５ｍｍ〜２５ｍｍ異なる。
【０１６４】
いくつかの実施形態において、複数の縦溝５４０の第３の縦溝５４８は、第１の流れ面５２０と第２の流れ面５３０との間の第３の縦溝距離Ｄ３を画定する。第３の縦溝距離Ｄ３は一般に、第１の縦溝距離Ｄ１及び第２の縦溝距離Ｄ２のうちの少なくとも１つと２ｍｍを超えて異なる。いくつかの実施形態において、第３の縦溝距離Ｄ３は、第１の縦溝距離Ｄ１及び第２の縦溝距離Ｄ２の両方と２ｍｍを超えて異なる。第３の縦溝距離Ｄ３は、第１の縦溝距離Ｄ１及び第２の縦溝距離Ｄ２の一方又は両方と、上記と同程度の範囲で異なる可能性がある。本例において、第３の縦溝距離Ｄ３は、第１の縦溝距離Ｄ１より大きく、第２の縦溝距離Ｄ２より小さい。
【０１６５】
フィルタアセンブリ５００の第１の流れ面５２０とフィルタアセンブリ５００の第２の流れ面５３０との間の縦溝距離の差は、互いに対する流れ面の形状によっても証明される。さまざまな実施形態において、第１の流れ面５２０及び第２の流れ面５３０のうちの少なくとも１つは非平面状である。さまざまな実施形態において、第１の流れ面５２０及び第２の流れ面５３０のうちの少なくとも１つは略平面状である。この特定の実施形態と一致する例において、第１の流れ面５２０は非平面状であり、第２の流れ面５３０は平面状である。さらに、この特定の実施形態において、第１の流れ面５２０は、第１の流れ面５２０がｚ方向にフィルタアセンブリから外方に突出するように構成される。第１の流れ面５２０の形状は一般に、Ｚ軸に対して非対称である。
【０１６６】
いくつかの代替的な実施形態において、第１の流れ面５２０が平面状である可能性があり、第２の流れ面５３０が非平面状である可能性があることが理解されるであろう。いくつかの実施形態において、複数の縦溝５４０の少なくとも１つの縦溝は、非平面状である縦溝開口部を画定する。
【０１６７】
本実施形態と一致する例において、閉塞物５４９は、フィルタ媒体の第２のシート５１４の長さに沿って、フィルタ媒体の第２のシート５１４の第４の縁部５１７に隣接して配設される。フィルタ媒体５１０が渦巻状構成であるとき、フィルタ媒体の第２のシート５１４の第４の縁部５１５は一般に平面状である。ここで、フィルタ媒体５１０が渦巻状構成であるとき、閉塞物５４９も一般に平面状である。
【０１６８】
図１２Ａは、本明細書に開示される技術に一致する例示的なフィルタアセンブリ５５０を示し、図１２Ｂは、巻かれてない又は平面状の配置の、対応するフィルタ媒体５６０の正面図を示す。フィルタアセンブリ５５０は、第１の流れ面５７０と、第２の流れ面５８０と、第１の流れ面５７０から第２の流れ面５８０に延在する複数の縦溝５９０とを画定するフィルタ媒体５６０から構築される。本例において、第１の流れ面５６０は、フィルタアセンブリ５５０の第１の端部５５２上に画定され、第２の流れ面５８０は、フィルタアセンブリ５５０の反対側の第２の端部５５４上に画定される。
【０１６９】
フィルタ媒体５６０は、フィルタ媒体の複数のシート、特に、フィルタ媒体の第１のシート５６２及びフィルタ媒体の第２のシート５６４である。平坦な巻かれてない配置におけるフィルタ媒体５６０の一部であるフィルタ媒体の第２のシート５６４は、図１２Ｂで見ることができ、図１２Ａに一致するフィルタアセンブリ５５０を形成する渦巻状フィルタ媒体５６０と区別される。図１２Ｂは、フィルタ媒体の第２のシート５６４の正面図である。フィルタ媒体の第２のシート５６４は、フィルタ媒体の第１のシート５６２に隣接する。フィルタ媒体の第１のシート５６２及びフィルタ媒体の第２のシート５６４は、複数の縦溝５９０を相互に画定する。フィルタ媒体５６２は、さまざまな構成を有することができ、そのいくつかの例は、図４ａ〜４ｄに関連して説明され、以下でも説明される。本実施形態では、複数の縦溝は平行であるが、いくつかの他の実施形態では、複数の縦溝は平行でない。
【０１７０】
フィルタ媒体５６０は、ｚ軸のまわりに渦巻状構成を画定する。したがって、フィルタ媒体の第１のシート５６２及びフィルタ媒体の第２のシート５６４のそれぞれは、ｚ軸のまわりに渦巻状構成を画定する。よって、複数の縦溝５９０は、ｚ軸のまわりの渦巻状構成にもある。
【０１７１】
図１２Ｂで見ることができるように、フィルタ媒体５６０（特に、フィルタ媒体の第１のシート５６２及びフィルタ媒体の第２のシート５６４）は一般に細長く、それにより、フィルタ媒体の第１のシート５６２及びフィルタ媒体の第２のシート５６４はｚ軸のまわりで渦巻状になりフィルタアセンブリを形成することができる。この例では、フィルタ媒体の第１のシート５６２及びフィルタ媒体の第２のシート５６４は、連続又は不連続である可能性がある。シートが不連続である実施形態において、フィルタ媒体の第１のシート５６２は、第１の縁部５６１及び第２の縁部５６３を画定し（図１２Ａ）、フィルタ媒体の第２のシート５６４は、第３の縁部５６５及び第４の縁部５６７を画定する（図１２Ｂ）。第１の縁部５６１及び第３の縁部５６５は、フィルタアセンブリ５５０の第１の流れ面５７０を相互に画定する。第２の縁部５６３及び第４の縁部５６７は、フィルタアセンブリ５５０の第２の流れ面５８０を相互に画定する。第２の縁部５９３及び第４の縁部５６７はそれぞれ、フィルタ媒体５５０の縁部を画定する直線を個々に形成する。
【０１７２】
第１の縁部５６１及び第３の縁部５６５は、階段状のラインを相互に且つ個々に形成する。階段状ラインは、垂直セグメント５７４によって接合された水平セグメント５７２を有する。フィルタ媒体５５０の形状は一般に、階段状縁部に基づいて、非長方形且つ非台形である。
【０１７３】
フィルタアセンブリ５５０は一般に、流体がフィルタ媒体５６０によってろ過されるような、フィルタ媒体５６０を通る第１の流れ面５７０と第２の流れ面５８０との間の流体経路５５６を画定するように構築される。特に、複数の縦溝５９０は、上で説明されたものと同様に、入口縦溝又は出口縦溝のいずれかを画定する。
【０１７４】
複数の縦溝５９０のそれぞれは、縦溝開口部５９２と、縦溝閉鎖部（見ることはできない）とを画定する。縦溝開口部５９２は、縦溝に沿った流体経路５５６の最端部を形成し、フィルタアセンブリ５５０への又はフィルタアセンブリ５５０からの流体流れに適合する。縦溝閉鎖部は、縦溝に沿った流体流れを遮断し、それによって、フィルタ媒体５６０を通る流体経路５５６の一部を画定する。そのため、たとえば、複数の入口縦溝は、第１の流れ面５７０における縦溝開口部５９２を画定することができ、縦溝閉鎖部は、第２の流れ面５８０の近くの複数の入口縦溝にわたって画定される。いくつかの実施形態において、縦溝閉鎖部は、第２の流れ面５８０に隣接する。より詳細には、縦溝閉鎖部は、第２の流れ面５８０に当接することができる。縦溝閉鎖部は、上で論じられた縦溝閉鎖部と同様である可能性がある。
【０１７５】
本実施形態において、フィルタ媒体の第１のシート５６２（図１２Ａ）の外面５６６とフィルタ媒体の第２のシート５６４（図１２Ｂ）の外面５６８との間に画定される容積は、フィルタ媒体が渦巻状である（図１２Ａ）とき、複数の縦溝によって画定されることを必ずしも特徴としない流体経路５５６を画定する。
【０１７６】
閉塞物は、渦巻内且つ複数の縦溝５９０の外側に配設することができ、それにより、フィルタアセンブリ５５０の第１の流れ面５７０及び第２の流れ面５８０を通過する流体は、最初に、フィルタ媒体５６０を通過しなければならない。付加的な閉塞物は、フィルタアセンブリ５５０の外周のまわり、フィルタアセンブリ５５０の中央開口などのフィルタ媒体の任意の他の間隙に配設し、そこを通る流体流れを阻止することができる。閉塞物は、適切な位置に接着剤ビードなどの接着剤を置くことによって形成することができる。
【０１７７】
複数の縦溝５９０のそれぞれは、第１の流れ面５７０と第２の流れ面５８０との間の縦溝距離を画定する。本実施形態において、複数の縦溝５９０の第１の縦溝５９４は、第１の流れ面５７０と第２の流れ面５８０との間の第１の縦溝距離Ｄ１を画定し、複数の縦溝５９０の第２の縦溝５９６は、第１の流れ面５７０と第２の流れ面５８０との間の第２の縦溝距離Ｄ２を画定する。いくつかの実施例において、第１の縦溝距離Ｄ１は、本明細書で示されるように、第２の縦溝距離Ｄ２より小さい。いくつかの他の実施例において、第１の縦溝距離Ｄ１は第２の縦溝距離Ｄ２より大きい。ある実施形態において、第１の縦溝距離Ｄ１及び第２の縦溝距離Ｄ２は、２ｍｍを超えて異なる。いくつかの実施形態において、第１の縦溝距離Ｄ１は、第２の縦溝距離Ｄ２と少なくとも５ｍｍ、少なくとも８ｍｍ、又はさらには少なくとも１５ｍｍ異なる。いくつかの実施形態において、第１の縦溝距離Ｄ１は、第２の縦溝距離Ｄ２と３ｍｍ〜５７０ｍｍ、５６０ｍｍ〜５７０ｍｍ、又は１５ｍｍ〜２５ｍｍ異なる。
【０１７８】
いくつかの実施形態において、複数の縦溝５９０の第３の縦溝５９８は、第１の流れ面５７０と第２の流れ面５８０との間の第３の縦溝距離Ｄ３を画定する。第３の縦溝距離Ｄ３は一般に、第１の縦溝距離Ｄ１及び第２の縦溝距離Ｄ２のうちの少なくとも１つと２ｍｍを超えて異なる。いくつかの実施形態において、第３の縦溝距離Ｄ３は、第１の縦溝距離Ｄ１及び第２の縦溝距離Ｄ２の両方と２ｍｍを超えて異なる。第３の縦溝距離Ｄ３は、第１の縦溝距離Ｄ１及び第２の縦溝距離Ｄ２の一方又は両方と、上記と同程度の範囲で異なる可能性がある。本例において、第３の縦溝距離Ｄ３は、第１の縦溝距離Ｄ１及び第２の縦溝距離Ｄ２より大きい。いくつかの他の例において、第３の縦溝距離Ｄ３は、理解されるように、第１の縦溝距離Ｄ１及び第２の縦溝距離Ｄ２の一方より大きく、第１の縦溝距離Ｄ１及び第２の縦溝距離Ｄ２の他方より小さい。
【０１７９】
フィルタアセンブリ５５０の第１の流れ面５７０とフィルタアセンブリ５５０の第２の流れ面５８０との間の縦溝距離の差は、互いに対する流れ面の形状によっても証明される。さまざまな実施形態において、第１の流れ面５７０及び第２の流れ面５８０のうちの少なくとも１つは非平面状である。さまざまな実施形態において、第１の流れ面５７０及び第２の流れ面５８０のうちの少なくとも１つは略平面状である。この特定の実施形態と一致する例において、第１の流れ面５７０は非平面状であり、第２の流れ面５８０は平面状である。さらに、この特定の実施形態において、第１の流れ面５７０は、第１の流れ面５７０が複数の平面５７６を画定する階段状構成を有する。各平面は、第１の流れ面５７０を形成する他の平面からｚ方向にオフセットすることができる。第１の流れ面５２０の一般的形状は、ｚ軸に対して放射状に対称とすることができるが、いくつかの実施形態では、第１の流れ面の一般的形状はｚ軸に対して非対称である。
【０１８０】
いくつかの代替的な実施形態において、第１の流れ面５７０が平面状である可能性があり、第２の流れ面５８０が非平面状である可能性があることが理解されるであろう。いくつかの実施形態において、複数の縦溝５９０の少なくとも１つの縦溝は、非平面状である縦溝開口部を画定する。
【０１８１】
本実施形態と一致する例において、閉塞物５９９は、フィルタ媒体の第２のシート５６４の長さに沿って、フィルタ媒体の第２のシート５６４の第４の縁部５６７に隣接して配設される。フィルタ媒体５６０が渦巻状構成であるとき、フィルタ媒体の第２のシート５６４の第４の縁部５６５は一般に平面状であるので、フィルタ媒体５６０が渦巻状構成であるとき、閉塞物５９９も一般に平面状である。
【０１８２】
前の２つの例と同様に、図１３Ａは、本明細書に開示される技術に一致する１つの例示的なフィルタアセンブリ１８００を示し、ここで、フィルタアセンブリ１８００は渦巻状フィルタ媒体１８１０であり、図１３Ｂは、巻かれてない配置のフィルタ媒体１８１０の正面図を示す。フィルタアセンブリ１８００は、第１の流れ面１８２０と、第２の流れ面１８３０と、第１の流れ面１８２０から第２の流れ面１８３０に延在する複数の縦溝１８４０とを画定するフィルタ媒体１８１０から構築される。本例において、第１の流れ面１８１０は、フィルタアセンブリ１８００の第１の端部１８０２上に画定され、第２の流れ面１８３０は、フィルタアセンブリ１８００の反対側の第２の端部１８０４上に画定される。
【０１８３】
フィルタ媒体１８１０は、フィルタ媒体の複数のシート、特に、フィルタ媒体の第１のシート１８１２及びフィルタ媒体の第２のシート１８１４である。平面状の巻かれてない配置におけるフィルタ媒体１８１０の一部であるフィルタ媒体の第２のシート１８１４は、図１３Ｂで見ることができる。図１３Ｂは、フィルタ媒体の第２のシート１８１４の正面図である。フィルタ媒体の第２のシート１８１４は、フィルタ媒体の第１のシート１８１２に隣接する。フィルタ媒体の第１のシート１８１２及びフィルタ媒体の第２のシート１８１４は、複数の縦溝１８４０を相互に画定する。フィルタ媒体１８１０は、さまざまな構成を有することができ、そのいくつかの例は、図４ａ〜４ｄに関連して説明され、以下でも説明される。
【０１８４】
フィルタ媒体１８１０は、ｚ軸のまわりに渦巻状構成を画定する。したがって、フィルタ媒体の第１のシート１８１２及びフィルタ媒体の第２のシート１８１４のそれぞれは、ｚ軸のまわりに渦巻状構成を画定する。よって、複数の縦溝１８４０は、ｚ軸のまわりの渦巻状構成にもある。本実施形態では、複数の縦溝は平行であるが、いくつかの他の実施形態では、複数の縦溝は平行でない。
【０１８５】
図１３Ｂで見ることができるように、フィルタ媒体１８１０（特に、フィルタ媒体の第１のシート１８１２及びフィルタ媒体の第２のシート１８１４）は一般に細長く、それにより、フィルタ媒体の第１のシート１８１２及びフィルタ媒体の第２のシート１８１４はｚ軸のまわりで渦巻状になりフィルタアセンブリを形成することができる。この例では、フィルタ媒体の第１のシート１８１２及びフィルタ媒体の第２のシート１８１４は、不連続である可能性がある。このような実施形態において、フィルタ媒体の第１のシート１８１２は、第１の縁部１８１１及び第２の縁部１８１３を画定し（図１３Ａ）、フィルタ媒体の第２のシート１８１４は、第３の縁部１８１５及び第４の縁部１８１７を画定する（図１３Ｂ）。第１の縁部１８１１及び第３の縁部１８１５は、フィルタアセンブリ１８００の第１の流れ面１８２０を相互に画定する。第２の縁部１８１３及び第４の縁部１８１７は、フィルタアセンブリ１８００の第２の流れ面１８３０を相互に画定する。第１の縁部１８１１及び第３の縁部１８１５は、凸状部及び凹状部を有する曲線を相互に且つ個々に形成する。第２の縁部１８１３及び第４の縁部１８１７は、直線を相互に且つ個々に形成する。
【０１８６】
本実施形態に一致する例のフィルタ媒体１８１０は、４つの縁部、第１の細長い縁部１８０５（第１の縁部１８１１及び第３の縁部１８１５に対応する）と、第２の細長い縁部１８０７（第２の縁部１８１１及び第４の縁部１８１５に対応する）と、第１の端縁部１８０８と、第２の端縁部１８０９とを有する。フィルタ媒体１８１０の形状は一般に、少なくとも第１の細長い縁部１８０５によって画定される曲線に基づいて、非長方形且つ非台形である。
【０１８７】
フィルタアセンブリ１８００は一般に、流体がフィルタ媒体１８１０によってろ過されるような、フィルタ媒体１８１０を通る第１の流れ面１８２０と第２の流れ面１８３０との間の流体経路１８０６を画定するように構築される。特に、複数の縦溝１８４０は、図１で説明されたものと同様に、入口縦溝又は出口縦溝のいずれかを画定する。
【０１８８】
複数の縦溝１８４０のそれぞれは、縦溝開口部１８４２と、縦溝閉鎖部（見ることはできない）とを画定する。縦溝開口部１８４２は、縦溝に沿った流体経路１８０６の最端部を形成し、フィルタアセンブリ１８００への又はフィルタアセンブリ１８００からの流体流れに適合する。縦溝閉鎖部は、縦溝に沿った流体流れを遮断し、それによって、フィルタ媒体１８１０を通る流体経路１８０６の一部を画定する。そのため、たとえば、複数の入口縦溝は、第１の流れ面１８２０における縦溝開口部１８４２を画定することができ、縦溝閉鎖部は、第２の流れ面１８３０の近くの複数の入口縦溝にわたって画定される。いくつかの実施形態において、縦溝閉鎖部は、第２の流れ面１８３０に隣接する。より詳細には、縦溝閉鎖部は、第２の流れ面１８３０に当接することができる。縦溝閉鎖部は、上で論じられた縦溝閉鎖部と同様である可能性がある。
【０１８９】
本実施形態において、フィルタ媒体の第１のシート１８１２（図１３Ａ）の外面１８１６とフィルタ媒体の第２のシート１８１４（図１３Ｂ）の外面１８１８との間に画定される容積は、フィルタ媒体が渦巻状である（図１３Ａ）とき、複数の縦溝によって画定されることを必ずしも特徴としない流体経路１８０６を画定する。
【０１９０】
閉塞物は、渦巻内且つ複数の縦溝１８４０の外側に配設することができ、それにより、フィルタアセンブリ１８００の第１の流れ面１８２０及び第２の流れ面１８３０を通過する流体は、最初に、フィルタ媒体１８１０を通過しなければならない。付加的な閉塞物は、フィルタアセンブリ１８００の外周のまわり、フィルタアセンブリ１８００の中央開口などのフィルタ媒体の任意の他の間隙に配設し、そこを通る流体流れを阻止することができる。閉塞物は、適切な位置に接着剤ビードなどの接着剤を置くことによって形成することができる。
【０１９１】
複数の縦溝１８４０のそれぞれは、第１の流れ面１８２０と第２の流れ面１８３０との間の縦溝距離を画定する。本実施形態において、複数の縦溝１８４０の第１の縦溝１８４４は、第１の流れ面１８２０と第２の流れ面１８３０との間の第１の縦溝距離Ｄ１を画定し、複数の縦溝１８４０の第２の縦溝１８４６は、第１の流れ面１８２０と第２の流れ面１８３０との間の第２の縦溝距離Ｄ２を画定する。いくつかの実施例において、第１の縦溝距離Ｄ１は、本明細書で示されるように、第２の縦溝距離Ｄ２より小さい。いくつかの他の実施例において、第１の縦溝距離Ｄ１は第２の縦溝距離Ｄ２より大きい。ある実施形態において、第１の縦溝距離Ｄ１及び第２の縦溝距離Ｄ２は、２ｍｍを超えて異なる。いくつかの実施形態において、第１の縦溝距離Ｄ１は、第２の縦溝距離Ｄ２と少なくとも１０ｍｍ、少なくとも８ｍｍ、又はさらには少なくとも１５ｍｍ異なる。いくつかの実施形態において、第１の縦溝距離Ｄ１は、第２の縦溝距離Ｄ２と３ｍｍ〜１０２０ｍｍ、１０１０ｍｍ〜１０２０ｍｍ、又は１５ｍｍ〜２５ｍｍ異なる。
【０１９２】
いくつかの実施形態において、複数の縦溝１８４０の第３の縦溝１８４８は、第１の流れ面１８２０と第２の流れ面１８３０との間の第３の縦溝距離Ｄ３を画定する。第３の縦溝距離Ｄ３は一般に、第１の縦溝距離Ｄ１及び第２の縦溝距離Ｄ２のうちの少なくとも１つと２ｍｍを超えて異なる。いくつかの実施形態において、第３の縦溝距離Ｄ３は、第１の縦溝距離Ｄ１及び第２の縦溝距離Ｄ２の両方と２ｍｍを超えて異なる。第３の縦溝距離Ｄ３は、第１の縦溝距離Ｄ１及び第２の縦溝距離Ｄ２の一方又は両方と、上記と同程度の範囲で異なる可能性がある。本例において、第３の縦溝距離Ｄ３は、第１の縦溝距離Ｄ１及び第２の縦溝距離Ｄ２より大きい。いくつかの他の例において、理解されるように、第３の縦溝距離Ｄ３は、第１の縦溝距離Ｄ１及び第２の縦溝距離Ｄ２の一方より大きく、第１の縦溝距離Ｄ１及び第２の縦溝距離Ｄ２の他方より小さい。
【０１９３】
フィルタアセンブリ１８００の第１の流れ面１８２０とフィルタアセンブリ１８００の第２の流れ面１８３０との間の縦溝距離の差は、互いに対する流れ面の形状によっても証明される。さまざまな実施形態において、第１の流れ面１８２０及び第２の流れ面１８３０のうちの少なくとも１つは非平面状である。さまざまな実施形態において、第１の流れ面１８２０及び第２の流れ面１８３０のうちの少なくとも１つは略平面状である。この特定の実施形態と一致する例において、第１の流れ面１８２０は非平面状であり、第２の流れ面１８３０は平面状である。さらに、この特定の実施形態において、第１の流れ面１８２０は、第１の流れ面１８２０がｚ方向にフィルタアセンブリから外方に突出するように構成される。第１の流れ面１８２０の一般的形状は、ｚ軸に対して放射状に対称であると考えることができる。
【０１９４】
いくつかの代替的な実施形態において、第１の流れ面１８２０が平面状である可能性があり、第２の流れ面１８３０が非平面状である可能性があることが理解されるであろう。いくつかの実施形態において、複数の縦溝１８４０の少なくとも１つの縦溝は、非平面状である縦溝開口部を画定する。
【０１９５】
本実施形態と一致する例において、閉塞物１８４９は、フィルタ媒体の第２のシート１８１４の長さに沿って、フィルタ媒体の第２のシート１８１４の第４の縁部１８１７に隣接して配設される。フィルタ媒体１８１０が渦巻状構成であるとき、フィルタ媒体の第２のシート１８１４の第４の縁部１８１５は一般に平面状であるので、フィルタ媒体１８１０が渦巻状構成であるとき、閉塞物１８４９も一般に平面状である。
【０１９６】
図１４Ａは、本明細書に開示される技術に一致するさらに別の例示的なフィルタアセンブリ１１００を示し、ここで、フィルタアセンブリ１１００は渦巻状フィルタ媒体１１１０であり、図１４Ｂは、巻かれてない配置のフィルタ媒体１１１０の正面図を示す。フィルタアセンブリ１１００は、第１の流れ面１１２０と、第２の流れ面１１３０と、第１の流れ面１１２０から第２の流れ面１１３０に延在する複数の縦溝１１４０とを画定するフィルタ媒体１１１０から構築される。本例において、第１の流れ面１１１０は、フィルタアセンブリ１１００の第１の端部１１０２上に画定され、第２の流れ面１１３０は、フィルタアセンブリ１１００の反対側の第２の端部１１０４上に画定される。
【０１９７】
フィルタ媒体１１１０は、フィルタ媒体の複数のシート、特に、フィルタ媒体の第１のシート１１１２及びフィルタ媒体の第２のシート１１１４である。平面状配置におけるフィルタ媒体１１１０の一部であるフィルタ媒体の第２のシート１１１４は、図１４Ｂで見ることができる。図１４Ｂは、フィルタ媒体の第２のシート１１１４の正面図である。フィルタ媒体の第２のシート１１１４は、フィルタ媒体の第１のシート１１１２に隣接する。フィルタ媒体の第１のシート１１１２及びフィルタ媒体の第２のシート１１１４は、複数の縦溝１１４０を相互に画定する。フィルタ媒体１１１０は、さまざまな構成を有することができ、そのいくつかの例は、図４ａ〜４ｄに関連して説明され、以下でも説明される。
【０１９８】
この設計の実施において画定される縦溝の全体は、図面を簡略化して、第１の流れ面１１２０の比較的複雑な形状に関して明瞭にするために、図１４Ａでは省略されていることに留意されたい。
【０１９９】
フィルタ媒体１１１０は、ｚ軸のまわりに渦巻状構成を画定する。したがって、フィルタ媒体の第１のシート１１１２及びフィルタ媒体の第２のシート１１１４のそれぞれは、ｚ軸のまわりに渦巻状構成を画定する。よって、複数の縦溝１１４０は、ｚ軸のまわりの渦巻状構成にもある。本実施形態では、複数の縦溝は平行であるが、いくつかの他の実施形態では、複数の縦溝は平行でない。
【０２００】
図１４Ｂで見ることができるように、フィルタ媒体１１１０（特に、フィルタ媒体の第１のシート１１１２及びフィルタ媒体の第２のシート１１１４）は一般に細長く、それにより、フィルタ媒体の第１のシート１１１２及びフィルタ媒体の第２のシート１１１４はｚ軸のまわりで渦巻状になりフィルタアセンブリを形成することができる。この例では、フィルタ媒体の第１のシート１１１２及びフィルタ媒体の第２のシート１１１４は、連続又は不連続である。シートが不連続である実施形態において、フィルタ媒体の第１のシート１１１２は、第１の縁部１１１１及び第２の縁部１１１３を画定し（図１４Ａ）、フィルタ媒体の第２のシート１１１４は、第３の縁部１１１５及び第４の縁部１１１７を画定する（図１４Ｂ）。第１の縁部１１１１及び第３の縁部１１１５は、フィルタアセンブリ１１００の第１の流れ面１１２０を相互に画定する。第２の縁部１１１３及び第４の縁部１１１７は、フィルタアセンブリ１１００の第２の流れ面１１３０を相互に画定する。第１の縁部１１１１及び第３の縁部１１１５はそれぞれ、フィルタ媒体１１１０の長さにわたって一定の周波数を有する正弦波パターンを個々に形成する。第２の縁部１１１３及び第４の縁部１１１７はそれぞれ、直線を個々に形成する。
【０２０１】
本実施形態に一致する例のフィルタ媒体１１１０は、４つの縁部、第１の細長い縁部１１０５（第１の縁部１１１１及び第３の縁部１１１５に対応する）と、第２の細長い縁部１１０７（第２の縁部１１１１及び第４の縁部１１１５に対応する）と、第１の端縁部１１０８と、第２の端縁部１１０９とを有する。フィルタ媒体１１１０の形状は一般に、少なくとも第１の細長い縁部によって画定される波形パターンに基づいて、非長方形且つ非台形であり、複数の凸状部及び凹状部を画定する。
【０２０２】
フィルタアセンブリ１１００は一般に、流体がフィルタ媒体１１１０によってろ過されるような、フィルタ媒体１１１０を通る第１の流れ面１１２０と第２の流れ面１１３０との間の流体経路１１０６を画定するように構築される。特に、複数の縦溝１１４０は、図１で説明されたものと同様に、入口縦溝又は出口縦溝のいずれかを画定する。
【０２０３】
複数の縦溝１１４０のそれぞれは、縦溝開口部１１４２と、縦溝閉鎖部（見ることはできない）とを画定する。縦溝開口部１１４２は、縦溝に沿った流体経路１１０６の最端部を形成し、フィルタアセンブリ１１００への又はフィルタアセンブリ１１００からの流体流れに適合する。縦溝閉鎖部は、縦溝に沿った流体流れを遮断し、それによって、フィルタ媒体１１１０を通る流体経路１１０６の一部を画定する。そのため、たとえば、複数の入口縦溝は、第１の流れ面１１２０における縦溝開口部１１４２を画定することができ、縦溝閉鎖部は、第２の流れ面１１３０の近くの複数の入口縦溝にわたって画定される。いくつかの実施形態において、縦溝閉鎖部は、第２の流れ面１１３０に隣接する。より詳細には、縦溝閉鎖部は、第２の流れ面１１３０に当接することができる。縦溝閉鎖部は、上で論じられた縦溝閉鎖部と同様である可能性がある。
【０２０４】
本実施形態において、フィルタ媒体の第１のシート１１１２（図１４Ａ）の外面１１１６とフィルタ媒体の第２のシート１１１４（図１４Ｂ）の外面１１１８との間に画定される容積は、フィルタ媒体が渦巻状である（図１４Ａ）とき、複数の縦溝によって画定されることを必ずしも特徴としない流体経路１１０６を画定する。
【０２０５】
閉塞物は、渦巻内且つ複数の縦溝１１４０の外側に配設することができ、それにより、フィルタアセンブリ１１００の第１の流れ面１１２０及び第２の流れ面１１３０を通過する流体は、最初に、フィルタ媒体１１１０を通過しなければならない。付加的な閉塞物は、フィルタアセンブリ１１００の外周のまわり、フィルタアセンブリ１１００の中央開口などのフィルタ媒体の任意の他の間隙に配設し、そこを通る流体流れを阻止することができる。閉塞物は、適切な位置に接着剤ビードなどの接着剤を置くことによって形成することができる。
【０２０６】
複数の縦溝１１４０のそれぞれは、第１の流れ面１１２０と第２の流れ面１１３０との間の縦溝距離を画定する。本実施形態において、複数の縦溝１１４０の第１の縦溝１１４４は、第１の流れ面１１２０と第２の流れ面１１３０との間の第１の縦溝距離Ｄ１を画定し、複数の縦溝１１４０の第２の縦溝１１４６は、第１の流れ面１１２０と第２の流れ面１１３０との間の第２の縦溝距離Ｄ２を画定する。いくつかの実施例において、第１の縦溝距離Ｄ１は、本明細書で示されるように、第２の縦溝距離Ｄ２より小さい。いくつかの他の実施例において、第１の縦溝距離Ｄ１は第２の縦溝距離Ｄ２より大きい。ある実施形態において、第１の縦溝距離Ｄ１及び第２の縦溝距離Ｄ２は、２ｍｍを超えて異なる。いくつかの実施形態において、第１の縦溝距離Ｄ１は、第２の縦溝距離Ｄ２と少なくとも５ｍｍ、少なくとも８ｍｍ、又はさらには少なくとも１５ｍｍ異なる。いくつかの実施形態において、第１の縦溝距離Ｄ１は、第２の縦溝距離Ｄ２と３ｍｍ〜２０ｍｍ、１０ｍｍ〜２０ｍｍ、又は１５ｍｍ〜２５ｍｍ異なる。
【０２０７】
いくつかの実施形態において、複数の縦溝１１４０の第３の縦溝１１４８は、第１の流れ面１１２０と第２の流れ面１１３０との間の第３の縦溝距離Ｄ３を画定する。第３の縦溝距離Ｄ３は一般に、第１の縦溝距離Ｄ１及び第２の縦溝距離Ｄ２のうちの少なくとも１つと２ｍｍを超えて異なる。いくつかの実施形態において、第３の縦溝距離Ｄ３は、第１の縦溝距離Ｄ１及び第２の縦溝距離Ｄ２の両方と２ｍｍを超えて異なる。第３の縦溝距離Ｄ３は、第１の縦溝距離Ｄ１及び第２の縦溝距離Ｄ２の一方又は両方と、上記と同程度の範囲で異なる可能性がある。本例において、第３の縦溝距離Ｄ３は、第１の縦溝距離Ｄ１及び第２の縦溝距離Ｄ２より大きい。いくつかの他の例において、第３の縦溝距離Ｄ３は、理解されるように、第１の縦溝距離Ｄ１及び第２の縦溝距離Ｄ２の一方より大きく、第１の縦溝距離Ｄ１及び第２の縦溝距離Ｄ２の他方より小さい。
【０２０８】
フィルタアセンブリ１１００の第１の流れ面１１２０とフィルタアセンブリ１１００の第２の流れ面１１３０との間の縦溝距離の差は、互いに対する流れ面の形状によっても証明される。さまざまな実施形態において、第１の流れ面１１２０及び第２の流れ面１１３０のうちの少なくとも１つは非平面状である。さまざまな実施形態において、第１の流れ面１１２０及び第２の流れ面１１３０のうちの少なくとも１つは略平面状である。この特定の実施形態と一致する例において、第１の流れ面１１２０は非平面状であり、第２の流れ面１１３０は平面状である。さらに、この特定の実施形態において、第１の流れ面１１２０は、フィルタ媒体１１１０の第１の細長い縁部がｚ軸のまわりに円周方向に波打つように構成される。
【０２０９】
いくつかの代替的な実施形態において、第１の流れ面１１２０が平面状である可能性があり、第２の流れ面１１３０が非平面状である可能性があることが理解されるであろう。いくつかの実施形態において、複数の縦溝１１４０の少なくとも１つの縦溝は、非平面状である縦溝開口部を画定する。
【０２１０】
本実施形態と一致する例において、閉塞物１１４９は、フィルタ媒体の第２のシート１１１４の長さに沿って、フィルタ媒体の第２のシート１１１４の第４の縁部１１１７に隣接して配設される。フィルタ媒体１１１０が渦巻状構成であるとき、フィルタ媒体の第２のシート１１１４の第４の縁部１１１５は一般に平面状であるので、フィルタ媒体１１１０が渦巻状構成であるとき、閉塞物１１４９も一般に平面状である。
【０２１１】
図１５は、本明細書に開示される技術に一致するさらに別の例示的なフィルタアセンブリ１２００の側断面図を示す。フィルタアセンブリ１２００は、第１の流れ面１２２０を画定する第１の細長い縁部１２１２と、第２の流れ面１２３０を画定する第２の細長い縁部１２１４と、第１の流れ面１２２０から第２の流れ面１２３０に延在する複数の縦溝１２４０とを有するフィルタ媒体１２１０から構築される。本例において、第１の流れ面１２２０は、フィルタアセンブリ１２００の第１の端部１２０２上に画定され、第２の流れ面１２３０は、フィルタアセンブリ１２００の反対側の第２の端部１２０４上に画定される。
【０２１２】
本明細書に記載の他の実施形態と同様に、フィルタアセンブリ１２００は一般に、流体がフィルタ媒体１２１０によってろ過されるような、フィルタ媒体１２１０を通る第１の流れ面１２２０と第２の流れ面１２３０との間の流体経路１２１８を画定するように構築される。よって、複数の縦溝１２４０のそれぞれは、前の図に関して説明されたように、縦溝開口部と縦溝閉鎖部とを画定する。また、いくつかの他の実施形態と同様に、フィルタアセンブリ１２００は、ｚ軸のまわりで渦巻状構成であるフィルタ媒体１２１０から構築される。フィルタ媒体の第１のシート１２５０及びフィルタ媒体の第２のシート１２６０は、複数の縦溝１２４０を相互に画定する。フィルタ媒体１２１０は、溝が付けられたフィルタ媒体の第１のシート１２５０と、フィルタ媒体の第１のシート１２５０に隣接する対面シートであるフィルタ媒体の第２のシート１２６０とを有する。図１５のフィルタアセンブリ１２００は、フィルタ媒体１２１０のさまざまな構成から構築することができ、その例は、図４ａ〜４ｄに関連して説明され、以下でも説明される。
【０２１３】
フィルタ媒体の第１のシート１２５０及びフィルタ媒体の第２のシート１２６０は一般に細長い。この例では、フィルタ媒体の第１のシート１２５０及びフィルタ媒体の第２のシート１２６０は不連続である。フィルタ媒体の第１のシート１２５０は第１の縁部１２５３を画定し、フィルタ媒体の第２のシート１２６０は第２の縁部１２６３を画定する。第１の縁部１２５３及び第２の縁部１２６３は、フィルタアセンブリ１２００の第１の流れ面１２２０、したがって、第１の細長い縁部１２１２を相互に画定するように構成される。フィルタ媒体の第１のシート１２５０は第３の縁部１２５５を画定し、フィルタ媒体の第２のシート１２６０は第４の縁部１２６５を画定する。第３の縁部１２５５及び第４の縁部１２６５は、フィルタアセンブリ１２００の第２の流れ面１２３０、したがって、第２の細長い縁部１２１４を相互に画定するように構成される。
【０２１４】
フィルタ媒体の第１のシート１２５０及びフィルタ媒体の第２のシート１２６０のそれぞれは、ｚ軸のまわりに渦巻状構成を画定するように配置される。よって、複数の縦溝１２４０は、ｚ軸のまわりの渦巻状構成にもある。この例では、複数の縦溝１２４０は略平行である。
【０２１５】
複数の縦溝１２４０のそれぞれは、第１の流れ面１２２０と第２の流れ面１２３０との間の縦溝距離を画定する。本実施形態において、複数の縦溝１２４０の第１の縦溝１２４４は、第１の流れ面１２２０と第２の流れ面１２３０との間の第１の縦溝距離Ｄ１を画定し、複数の縦溝１２４０の第２の縦溝１２４６は、第１の流れ面１２２０と第２の流れ面１２３０との間の第２の縦溝距離Ｄ２を画定する。本実施形態では、第１の縦溝距離Ｄ１は第２の縦溝距離Ｄ２より小さいが、他の実施形態では、第１の縦溝距離Ｄ１は第２の縦溝距離Ｄ２より大きい。さまざまな実施形態において、第１の縦溝距離Ｄ１及び第２の縦溝距離Ｄ２は、２ｍｍを超えて異なる。いくつかの実施形態において、第１の縦溝距離Ｄ１は、第２の縦溝距離Ｄ２と少なくとも５ｍｍ、少なくとも８ｍｍ、又はさらには少なくとも１５ｍｍ異なる。いくつかの実施形態において、第１の縦溝距離Ｄ１は、第２の縦溝距離Ｄ２と３ｍｍ〜２０ｍｍ、１０ｍｍ〜２０ｍｍ、又は１５ｍｍ〜２５ｍｍ異なる。
【０２１６】
いくつかの実施形態において、複数の縦溝１２４０の第３の縦溝１２４８は、第１の流れ面１２２０と第２の流れ面１２３０との間の第３の縦溝距離Ｄ３を画定する。本実施形態では、第３の縦溝距離Ｄ３は、第１の縦溝距離Ｄ１及び第２の縦溝距離Ｄ２より大きいが、縦溝距離は、上記のような他の相対関係を有することができる。第３の縦溝距離Ｄ３は一般に、第１の縦溝距離Ｄ１及び第２の縦溝距離Ｄ２のうちの少なくとも１つと２ｍｍを超えて異なる。いくつかの実施形態において、第３の縦溝距離Ｄ３は、第１の縦溝距離Ｄ１及び第２の縦溝距離Ｄ２の両方と２ｍｍを超えて異なる。第３の縦溝距離Ｄ３は、第１の縦溝距離Ｄ１及び第２の縦溝距離Ｄ２の一方又は両方と、上記と同程度の範囲で異なる可能性がある。
【０２１７】
この特定の実施形態と一致する例において、第１の流れ面１２２０は非平面状であり、第２の流れ面１２３０は非平面状である。第１の流れ面及び第２の流れ面の一方又は両方は、三次元表面であるように切断することができる。本例において、第１の流れ面１２２０及び第２の流れ面１２３０のうちの少なくとも１つは凹状である、よって、フィルタアセンブリ１２００に対して内方に張り出す空隙を画定する。本例において、第１の流れ面１２２０及び第２の流れ面１２３０はそれぞれ、くぼみを画定し、それぞれ凹状である。いくつかの他の実施形態において、第１の流れ面１２２０及び第２の流れ面１２３０の一方は、フィルタアセンブリに対して凹状であり、第１の流れ面１２２０及び第２の流れ面１２３０の他方は、平面状である、又は、突出している。本例において、第１の流れ面１２２０及び第２の流れ面１２３０の一般的形状は、ｚ軸に対して対称である。いくつかの他の実施形態において、第１の流れ面１２２０及び第２の流れ面１２３０は、ｚ軸に対して非対称である。いくつかの実施形態では、第１の流れ面１２２０及び第２の流れ面１２３０は類似の形状を有し、他の実施形態では、第１の流れ面１２２０及び第２の流れ面１２３０は異なる形状を有する。
【０２１８】
図１６は、本明細書に開示される技術に一致するさらに別の例示的なフィルタアセンブリ１３００の側断面図を示す。フィルタアセンブリ１３００は、第１の流れ面１３２０を画定する第１の細長い縁部１３１２と、第２の流れ面１３３０を画定する第２の細長い縁部１３１４と、第１の流れ面１３２０から第２の流れ面１３３０に延在する複数の縦溝１３４０とを有するフィルタ媒体１３１０から構築される。本例において、第１の流れ面１３２０は、フィルタアセンブリ１３００の第１の端部１３０２上に画定され、第２の流れ面１３３０は、フィルタアセンブリ１３００の反対側の第２の端部１３０４上に画定される。
【０２１９】
本明細書に記載の他の実施形態と同様に、フィルタアセンブリ１３００は一般に、流体がフィルタ媒体１３１０によってろ過されるような、フィルタ媒体１３１０を通る第１の流れ面１３２０と第２の流れ面１３３０との間の流体経路１３１８を画定するように構築される。よって、複数の縦溝１３４０のそれぞれは、前の図に関して説明されたように、縦溝開口部と縦溝閉鎖部とを画定する。また、いくつかの他の実施形態と同様に、フィルタアセンブリ１３００は、ｚ軸のまわりで渦巻状構成であるフィルタ媒体１３１０から構築される。フィルタ媒体１３１０は、溝が付けられたフィルタ媒体の第１のシートと、フィルタ媒体の第１のシートに隣接するフィルタ媒体の第２のシートとを有する（ここでは、この図から識別可能ではない）。フィルタ媒体の第１のシート及びフィルタ媒体の第２のシートは、複数の縦溝を相互に画定する。図１６のフィルタアセンブリ１３００は、フィルタ媒体１３１０のさまざまな代替の構成から構築することができ、その例は、図４ａ〜４ｄに関連して説明され、以下でも説明される。
【０２２０】
フィルタ媒体の第１のシート及びフィルタ媒体の第２のシートのそれぞれは、ｚ軸のまわりに渦巻状構成を画定するように配置される。よって、複数の縦溝は、ｚ軸のまわりの渦巻状構成にもある。この例では、複数の縦溝１３４０は略平行である。
【０２２１】
複数の縦溝１３４０のそれぞれは、第１の流れ面１３２０と第２の流れ面１３３０との間の縦溝距離を画定する。本実施形態において、複数の縦溝１３４０の第１の縦溝１３４４は、第１の流れ面１３２０と第２の流れ面１３３０との間の第１の縦溝距離Ｄ１を画定し、複数の縦溝１３４０の第２の縦溝１３４６は、第１の流れ面１３２０と第２の流れ面１３３０との間の第２の縦溝距離Ｄ２を画定する。本実施形態では、第１の縦溝距離Ｄ１は第２の縦溝距離Ｄ２より小さいが、他の実施形態では、第１の縦溝距離Ｄ１は第２の縦溝距離Ｄ２より大きい。さまざまな実施形態において、第１の縦溝距離Ｄ１及び第２の縦溝距離Ｄ２は、１３ｍｍを超えて異なる。いくつかの実施形態において、第１の縦溝距離Ｄ１は、第２の縦溝距離Ｄ２と少なくとも５ｍｍ、少なくとも８ｍｍ、又はさらには少なくとも１５ｍｍ異なる。いくつかの実施形態において、第１の縦溝距離Ｄ１は、第２の縦溝距離Ｄ２と３ｍｍ〜２０ｍｍ、１０ｍｍ〜２０ｍｍ、又は１５ｍｍ〜２５ｍｍ異なる。
【０２２２】
いくつかの実施形態において、複数の縦溝１３４０の第３の縦溝１３４８は、第１の流れ面１３２０と第２の流れ面１３３０との間の第３の縦溝距離Ｄ３を画定する。本実施形態では、第３の縦溝距離Ｄ３は、第１の縦溝距離Ｄ１及び第２の縦溝距離Ｄ２より大きいが、縦溝距離は、上記のような他の相対関係を有することができる。第３の縦溝距離Ｄ３は一般に、第１の縦溝距離Ｄ１及び第２の縦溝距離Ｄ２のうちの少なくとも１つと２ｍｍを超えて異なる。いくつかの実施形態において、第３の縦溝距離Ｄ３は、第１の縦溝距離Ｄ１及び第２の縦溝距離Ｄ２の両方と２ｍｍを超えて異なる。第３の縦溝距離Ｄ３は、第１の縦溝距離Ｄ１及び第２の縦溝距離Ｄ２の一方又は両方と、上記と同程度の範囲で異なる可能性がある。
【０２２３】
さまざまな実施形態において、第１の流れ面１３２０及び第２の流れ面１３３０のうちの少なくとも１つは平面状である。この特定の実施形態と一致する例において、第１の流れ面１３２０は平面状であり、第２の流れ面１３３０は平面状であり、第１の流れ面１３２０は、第２の流れ面１３３０に対して非平行且つ非垂直である。図３の例とは異なり、ここでは、流れ面はそれぞれ、縦溝に垂直でない。
【０２２４】
図１７は、本明細書に開示される技術に一致するさらに別の例示的なフィルタアセンブリ１４００の側断面図を示す。フィルタアセンブリ１４００は、第１の流れ面１４２０を画定する第１の細長い縁部１４１２と、第２の流れ面１４３０を画定する第２の細長い縁部１４１４と、第１の流れ面１４２０から第２の流れ面１４３０に延在する複数の縦溝１４４０とを有するフィルタ媒体１４１０から構築される。本例において、第１の流れ面１４２０は、フィルタアセンブリ１４００の第１の端部１４０２上に画定され、第２の流れ面１４３０は、フィルタアセンブリ１４００の反対側の第２の端部１４０４上に画定される。
【０２２５】
本明細書に記載の他の実施形態と同様に、フィルタアセンブリ１４００は一般に、流体がフィルタ媒体１４１０によってろ過されるような、フィルタ媒体１４１０を通る第１の流れ面１４２０と第２の流れ面１４３０との間の流体経路１４１８を画定するように構築される。よって、複数の縦溝１４４０のそれぞれは、前の図に関して説明されたように、縦溝開口部と縦溝閉鎖部とを画定する。また、いくつかの他の実施形態と同様に、フィルタアセンブリ１４００は、ｚ軸のまわりで渦巻状構成であるフィルタ媒体１４１０から構築される。フィルタ媒体１４１０は、溝が付けられたフィルタ媒体の第１のシートと、フィルタ媒体の第１のシートに隣接するフィルタ媒体の第２のシートとを有する（この図では識別できない）。フィルタ媒体の第１のシート及びフィルタ媒体の第２のシートは、図４ａ〜４ｄに関連して説明された例に一致させることができ、例は以下でも説明される。
【０２２６】
フィルタ媒体の第１のシート及びフィルタ媒体の第２のシートのそれぞれは、ｚ軸のまわりに渦巻状構成を画定するように配置される。よって、複数の縦溝１４４０は、ｚ軸のまわりの渦巻状構成にもある。この例では、複数の縦溝１４４０は略平行である。
【０２２７】
複数の縦溝１４４０のそれぞれは、第１の流れ面１４２０と第２の流れ面１４３０との間の縦溝距離を画定する。本実施形態において、複数の縦溝１４４０の第１の縦溝１４４４は、第１の流れ面１４２０と第２の流れ面１４３０との間の第１の縦溝距離Ｄ１を画定し、複数の縦溝１４４０の第２の縦溝１４４６は、第１の流れ面１４２０と第２の流れ面１４３０との間の第２の縦溝距離Ｄ２を画定する。本実施形態では、第１の縦溝距離Ｄ１は第２の縦溝距離Ｄ２より小さいが、他の実施形態では、第１の縦溝距離Ｄ１は第２の縦溝距離Ｄ２より大きい。さまざまな実施形態において、第１の縦溝距離Ｄ１及び第２の縦溝距離Ｄ２は、２ｍｍを超えて異なる。いくつかの実施形態において、第１の縦溝距離Ｄ１は、第２の縦溝距離Ｄ２と少なくとも５ｍｍ、少なくとも８ｍｍ、又はさらには少なくとも１５ｍｍ異なる。いくつかの実施形態において、第１の縦溝距離Ｄ１は、第２の縦溝距離Ｄ２と３ｍｍ〜２０ｍｍ、１０ｍｍ〜２０ｍｍ、又は１５ｍｍ〜２５ｍｍ異なる。
【０２２８】
いくつかの実施形態において、複数の縦溝１４４０の第３の縦溝１４４８は、第１の流れ面１４２０と第２の流れ面１４３０との間の第３の縦溝距離Ｄ３を画定する。本実施形態では、第３の縦溝距離Ｄ３は、第１の縦溝距離Ｄ１及び第２の縦溝距離Ｄ２より大きいが、縦溝距離は、上記のような他の相対関係を有することができる。第３の縦溝距離Ｄ３は一般に、第１の縦溝距離Ｄ１及び第２の縦溝距離Ｄ２のうちの少なくとも１つと２ｍｍを超えて異なる。いくつかの実施形態において、第３の縦溝距離Ｄ３は、第１の縦溝距離Ｄ１及び第２の縦溝距離Ｄ２の両方と２ｍｍを超えて異なる。第３の縦溝距離Ｄ３は、第１の縦溝距離Ｄ１及び第２の縦溝距離Ｄ２の一方又は両方と、上記と同程度の範囲で異なる可能性がある。
【０２２９】
この特定の実施形態と一致する例において、第１の流れ面１４２０は非平面状であり、第２の流れ面１４３０は非平面状である。第１の流れ面及び第２の流れ面の一方又は両方は、三次元表面であるように切断することができる。本例において、第１の流れ面１４２０及び第２の流れ面１４３０のうちの少なくとも１つは、フィルタアセンブリ１４００に対して突出する。本例において、第１の流れ面１４２０及び第２の流れ面１４３０はそれぞれ、ｚ方向にフィルタアセンブリ１４００から外方に突出する。いくつかの代替の実施形態では、第１の流れ面１４２０及び第２の流れ面１４３０の少なくとも一方は、外方へ突出し、第１の流れ面１４２０及び第２の流れ面１４３０の他方は、凹状又は平面状である。
【０２３０】
さらなる媒体構成
本明細書に記載されるフィルタアセンブリは、本明細書にすでに示されたものを含むさまざまな異なる構成を有するフィルタ媒体から構築することができる。本明細書に開示される任意の例示的なフィルタアセンブリを含むさまざまな実施形態は、縦溝付きシートと縦溝付きシートに隣接する対面シートとから構築されるフィルタ媒体を組み込むことができ、ここで、縦溝付きシートと対面シートとの間で延在する複数の縦溝が画定される。それらの実施形態のうちのいくつかにおいて、縦溝付きシートは、対面シートに接触する複数の突起を画定する。例示的なフィルタ媒体は、たとえば、参照により本明細書に組み込まれる米国特許第９，６２３，３６２号明細書に記載されている。
【０２３１】
また、それらの実施形態のうちのいくつかにおいて、縦溝付きシートは、縦溝の一部の長さの少なくとも一部に沿って隆起を画定し、ここで、隆起は、特定の縦溝を形成する媒体の異なる傾斜部の間の交差部のラインである。また、それらの実施形態のうちのいくつかにおいて、縦溝の少なくとも一部は、縦溝ピークがカーブしていないことを意味する鋭い縦溝ピークを画定することができる。また、それらの実施形態のうちのいくつかにおいて、縦溝の少なくとも一部は、媒体アセンブリの第１の流れ面から媒体アセンブリの第２の流れ面までテーパ状である可能性がある。上記の縦溝構成、並びにそれぞれが参照により本明細書に組み込まれる、米国特許第７，９５９，７０２号明細書及び米国特許第８，５４５，５８９号明細書で開示されているような他の縦溝構成が確かに意図されている。
【０２３２】
本明細書に開示される技術に一致する縦溝付き媒体から構築されるフィルタアセンブリは、並列又は直列に配置される異なる種類のフィルタ媒体を組み込むことができ、ここで、「異なる種類のフィルタ媒体」は、フィルタ媒体が異なる材料から構築される、又は、フィルタ媒体が、縦溝形状、縦溝寸法、縦溝高さ、縦溝幅、縦溝長さ、縦溝断面、及び／若しくはフィルタ媒体の差異を示す縦溝を有することを意味するように使用される。このような構成は、参照により本明細書に組み込まれる、国際公開第２００８／１１１９２３号パンフレット及び米国特許出願第６２／６８３，５４２号明細書に記載されている。
【０２３３】
フィルタ媒体が複数の縦溝を相互に画定する縦溝付きシート及び対面シートから構築されるいくつかの実施形態において、複数の縦溝は、少なくとも縦溝の第１の群と縦溝の第２の群とを有し、縦溝の第１の群及び第２の群は、縦溝形状、縦溝寸法、縦溝高さ、縦溝幅、縦溝長さ、縦溝断面、及び／又はフィルタ媒体の差異を示す。
【０２３４】
図１８は、さまざまな実施形態に一致する例示的なフィルタ媒体１５００の断面図を示す。フィルタ媒体の第１のシート１５０２及びフィルタ媒体の第２のシート１５０４は、複数の縦溝１５０６を相互に画定する。フィルタアセンブリ１５００は、２種類の縦溝、第１の縦溝１５１０及び第２の縦溝１５２０を有する。第１の縦溝１５１０及び第２の縦溝１５２０は、並流として配置される。フィルタ媒体１５００は、（説明されたような）渦巻状フィルタアセンブリを形成するのに使用することができる、又は、フィルタ媒体１５００は、本明細書の実施形態に一致するパネルフィルタアセンブリを形成するために、類似の又は異なるフィルタ媒体と積み重ねることができる。ここで示される、２種類の縦溝を有する例示的な構造では、第１の縦溝及び第２の縦溝は、第１の複数の縦溝が、フィルタアセンブリの容積の２０〜５０パーセント、たとえば、フィルタアセンブリの２０、３０、４０、又は５０パーセントの容積を備え、第２の２０複数の縦溝が、パックの２０〜５０パーセントの容積、たとえば、フィルタアセンブリの容積の２０、３０、４０、又は５０パーセントを備えるように選択することができる。
【０２３５】
２種類の縦溝を有する例示的な構成において、第１の縦溝及び第２の縦溝は、第１の複数の縦溝が、フィルタアセンブリの媒体表面積の２０〜５０パーセント、たとえば、フィルタアセンブリの媒体表面積の２０、３０、４０、又は５０パーセントを占め、且つ、第２の複数の縦溝が、フィルタアセンブリの媒体表面積の２０〜５０パーセント、たとえば、フィルタアセンブリの媒体表面積の２０、３０、４０、又は５０パーセントを占めるように選択することができる。
【０２３６】
２種類の縦溝を有する例示的な構成において、第１の縦溝及び第２の縦溝は、第１の複数の縦溝が、フィルタアセンブリの入口面の２０〜５０パーセント、たとえば、フィルタアセンブリの入口面の２０、３０、４０、又は５０パーセントを占め、且つ、第２の複数の縦溝が、フィルタアセンブリの入口面の２０〜５０パーセント、たとえば、フィルタアセンブリの入口面の２０、３０、４０、又は５０パーセントを占めるように選択することができる。
【０２３７】
図１８は２つの異なる種類の縦溝を示すが、他の実施形態は、フィルタ媒体に組み込まれるさらなる異なる種類の縦溝を有することができる。
【０２３８】
本明細書に記載される積層構成を有するフィルタアセンブリは、積み重ねられた複数の異なる種類のフィルタ媒体から構築することができる。図１９は、例示的なフィルタアセンブリ１６００の正面概略図であり、２種類のフィルタ媒体による積層構成を示す。２種類のフィルタ媒体は、第１の媒体１６１０と第２の媒体１６２０とである。フィルタ媒体は直列に配置される。媒体は、２種類のフィルタ媒体が混在するのではなく媒体の種類毎に分けられた積層構成で示されている。この例示的な実施形態において、フィルタ媒体１６１０対８２０対８３０の比は、フィルタアセンブリ入口（又は、出口）面積に基づいて約４：３である。
【０２３９】
いくつかの実施態様において、（第１の複数の縦溝を有する）第１の媒体は、媒体アセンブリの入口面の１０〜９０パーセント、たとえば、フィルタアセンブリの入口面の１０、２０、３０、４０、５０、６０、７０、８０、又は９０パーセントを画定し、且つ、（第２の複数の縦溝を有する）第２のフィルタアセンブリは、媒体アセンブリの入口面の９０〜１０パーセント、たとえば、媒体アセンブリの入口面の９０、８０、７０、６０、５０、４０、３０、２０、又は１０パーセントを画定する。代替的に、第１の複数の縦溝は、媒体アセンブリの入口面の２０〜４０パーセントを占め、且つ、第２の複数の縦溝は、媒体アセンブリの入口面の６０〜８０パーセントを占める。他の実施態様において、第１の複数の縦溝は、媒体アセンブリの入口面の４０〜６０パーセントを占め、且つ、第２の複数の縦溝は、媒体アセンブリの入口面の６０〜４０パーセントを占める。さらに別の実装形態において、第１の複数の縦溝は、媒体アセンブリの入口面の６０〜９０パーセントを占め、且つ、第２の複数の縦溝は、媒体アセンブリの入口面の４０〜１０パーセントを占める。本開示に一致する渦巻状媒体配置を有する媒体アセンブリは、直列に配置された複数の種類のフィルタ媒体から構築することもできる。図２０は、例示的なフィルタアセンブリ１７００の概略断面図であり、２種類のフィルタ媒体１７１０及び１７２０による巻き構成を示す。媒体は、内側の第１の媒体１７１０と外側の第２の媒体１７２０とで巻かれている。第１の媒体１７１０及び第２の媒体１７２０は継ぎ合わされている。ここでは縦溝が示されていないが、第１の媒体及び第２の媒体のそれぞれは一般に、縦溝付き媒体であることは理解されるべきである。第１の媒体１７１０及び第２の媒体１７２０は、図１９を参照して上で説明されたものと一致する比率及びパラメータを有することができる。
【０２４０】
本明細書及び添付の特許請求の範囲で使用される場合、「構成される」という文言は、特定の作業を実行する、又は、特定の構造を採用するように構築されるシステム、機器、又は他の構造を説明することにも留意すべきである。「構成される」という文言は、たとえば、「配置される」、「配置及び構成される」、「構築及び配置される」、「構築される」、「製造及び配置される」などの他の同様の文言と交換可能に使用することができる。
【０２４１】
本明細書におけるすべての刊行物及び特許出願は、本技術が属する当業者のレベルを示す。すべての刊行物及び特許出願は、個別の刊行物又は特許出願が参照により特に且つ個別に示されるように、参照により本明細書に同じ程度まで組み込まれる。
【０２４２】
本出願は、本主題の適合又は修正を含むことが意図される。上記の説明は、例示を意図したものであり、限定を意図したものではないことが理解されるべきである。
【図１】
2020534994.tif 000003
【図２ａ】
2020534994.tif 000004
【図２ｂ】
2020534994.tif 000005
【図３】
2020534994.tif 000006
【図４ａ】
2020534994.tif 000007
【図４ｂ】
2020534994.tif 000008
【図４ｃ】
2020534994.tif 000009
【図４ｄ】
2020534994.tif 000010
【図５】
2020534994.tif 000011
【図６ａ】
2020534994.tif 000012
【図６ｂ】
2020534994.tif 000013
【図７】
2020534994.tif 000014
【図８】
2020534994.tif 000015
【図９】
2020534994.tif 000016
【図１０】
2020534994.tif 000017
【図１１Ａ】
2020534994.tif 000018
【図１１Ｂ】
2020534994.tif 000019
【図１２Ａ】
2020534994.tif 000020
【図１２Ｂ】
2020534994.tif 000021
【図１３Ａ】
2020534994.tif 000022
【図１３Ｂ】
2020534994.tif 000023
【図１４Ａ】
2020534994.tif 000024
【図１４Ｂ】
2020534994.tif 000025
【図１５】
2020534994.tif 000026
【図１６】
2020534994.tif 000027
【図１７】
2020534994.tif 000028
【図１８】
2020534994.tif 000029
【図１９】
2020534994.tif 000030
【図２０】
2020534994.tif 000031
【国際調査報告】
2020534994.tif 000032
2020534994.tif 000033
2020534994.tif 000034
2020534994.tif 000035
2020534994.tif 000036